(57)【要約】【課題】薬剤自体を認識し、自動的に仕分けることが可能な薬剤仕分装置を実現する。【解決手段】薬剤仕分装置（１）は、撮像ユニット（３）によって撮像された画像から抽出した薬剤の特徴を、登録された複数種類の薬剤に関する薬剤データのうち、所定期間内に分包機によって分包された薬剤に関する薬剤データと照合することで、薬剤の種類を判別する判別部（６４）と、判別部による判別結果に基づき、薬剤を種類毎に第２収容部（１４）へ格納する搬送・仕分ユニット（１２）と、を備える。【選択図】図１
2020096819.tif 000002
【特許請求の範囲】
【請求項１】
複数種類の薬剤を収容する第１収容部と、
前記薬剤を種類毎に仕分けられた状態で収容する第２収容部と、
前記第１収容部から取出した薬剤を撮像する撮像部と、
前記撮像部によって撮像された画像から抽出した薬剤の特徴を、登録された複数種類の薬剤に関する薬剤データのうち、所定期間内に分包機によって分包された薬剤に関する薬剤データと照合することで、前記薬剤の種類を判別する判別部と、
前記判別部による判別結果に基づき、前記薬剤を種類毎に前記第２収容部へ格納する仕分部と、を備える、薬剤仕分装置。
【請求項２】
複数種類の薬剤を収容する第１収容部と、
前記薬剤を種類毎に仕分けられた状態で収容する第２収容部と、
前記第１収容部から取出した薬剤を撮像する撮像部と、
前記撮像部によって撮像された画像に基づき、前記薬剤の種類を判別する判別部と、
前記判別部による判別結果に基づき、前記薬剤を種類毎に前記第２収容部へ格納する仕分部と、
前記第２収容部に格納された薬剤を分包する分包部と、
前記分包部に接続されており、かつ、前記仕分部によって仕分けられた薬剤が投入される薬剤投入部と、
前記薬剤投入部の内部を撮像する投入撮像部と、
前記投入撮像部が撮像した画像に基づき、前記薬剤投入部に投入された薬剤の個数を判定する個数判定部と、
前記個数判定部が、前記薬剤投入部に投入された薬剤が１つであると判定した場合に、前記薬剤投入部から前記分包部への前記薬剤の移動を決定する薬剤移動決定部と、を備え、
前記個数判定部は、前記画像に薬剤が複数含まれていると判定した場合、前記薬剤投入部に投入された前記薬剤を取出した状態で前記投入撮像部が再度撮像した画像に薬剤が含まれていない場合に、前記薬剤投入部に投入された薬剤が１つであると判定する、薬剤仕分装置。
【請求項３】
前記第２収容部に格納された薬剤を前記薬剤投入部へと搬送する分包薬剤搬送制御部を備え、
前記分包薬剤搬送制御部は、前記投入撮像部が再度撮像した画像に薬剤が含まれている場合には、前記薬剤投入部に投入された薬剤を前記第２収容部へと返送する、請求項２に記載の薬剤仕分装置。
【発明の詳細な説明】
【技術分野】
【０００１】
本発明は、薬剤を仕分ける薬剤仕分装置等に関する。
【背景技術】
【０００２】
従来、返品された複数種類の薬剤は、薬剤師または医師の手により種類毎に仕分けられていた。返品される薬剤は、様々な患者に処方される、または処方された調剤後の薬剤である。そのため、１患者単位の処方箋情報に基づいて、調剤機器等に予め薬種単位でまとめられた薬種群（薬剤カセット）から、一服用時期単位毎に、（１種または複数種の）薬剤（錠剤）を取りまとめる（分包する）調剤業務に比べて、複数の患者に処方された薬剤がまとめて返品される薬剤の種類は非常に多い。そのため、返品された薬剤を自動的に仕分けて、再利用することの有用性は高い。なお、一服用時期用に調剤される薬剤は、一般に２〜３種類程度であり、多くても１０種類程度である。
【０００３】
なお、仕分け業務にかかる時間、手間、または仕分け間違い（薬剤カセットへの戻し間違い）による誤投与のリスクを避けるため、返品された薬剤を、そのまま廃棄する薬局または病院（正確には院内薬剤部）も存在している。
【０００４】
特許文献１には、返品されたアンプルまたはバイアルを自動的に認識して格納する薬剤仕分装置が開示されている。この薬剤仕分装置は、アンプルまたはバイアルの向き及び姿勢と、アンプルまたはバイアルの性状（例：形状、大きさ、種類及び使用期限）とを認識する。そして、認識されたアンプルまたはバイアルの大きさに応じて格納時に個々のアンプルまたはバイアルに設定される格納領域と、個々のアンプルまたはバイアルの識別情報とを関連付けて、アンプルまたはバイアルを個別に配置し、それによって個別のアンプルまたはバイアルを取り出し可能に格納する。
【先行技術文献】
【特許文献】
【０００５】
【特許文献１】国際公開第2015/170761号（2015年11月12日公開）
【発明の概要】
【発明が解決しようとする課題】
【０００６】
しかしながら、特許文献１での返品対象は、アンプルまたはバイアルであり、錠剤またはカプセル等の、容器等に収容されていない薬剤、または包装等が施されていない薬剤自体ではない。そのため、特許文献１では、このような薬剤（例：錠剤またはカプセル）そのものを識別し、自動的に仕分けることについてまでは想定されていない。
【０００７】
また、特許文献１では、複数種類の薬剤に関する薬剤データを管理する薬剤データベース（薬剤マスタ）へのデータ登録に関する処理の詳細は開示されていない。
【０００８】
本発明の一態様は、薬剤自体を認識し、自動的に仕分けることが可能な薬剤仕分装置を実現することを目的とする。また、本発明の一態様は、薬剤データの登録の有無に依らず、薬剤を仕分けることが可能な薬剤仕分装置を実現することを目的とする。
【課題を解決するための手段】
【０００９】
本発明の一態様に係る薬剤仕分装置は、複数種類の薬剤を収容する第１収容部と、前記薬剤の少なくとも一部を種類毎に仕分けられた状態で収容する第２収容部と、前記薬剤を撮像する撮像部と、予め登録された複数種類の薬剤に関する薬剤データの中に、前記撮像部によって撮像された画像に対応する薬剤データが存在するか否かを判定する判定部と、前記画像に対応する薬剤データが存在すると判定された薬剤については、種類毎に前記第２収容部の第１領域に収容し、前記画像に対応する薬剤データが存在しないと判定された薬剤については、前記第１領域とは異なる第２領域に収容する仕分部と、を備える。
【００１０】
また、本発明の一態様に係る薬剤仕分装置は、複数種類の薬剤を収容する第１収容部と、前記薬剤を種類毎に仕分けられた状態で収容する第２収容部と、前記薬剤を撮像する撮像部と、前記撮像部によって撮像された画像に基づき、前記薬剤の種類を判別する判別部と、前記判別部による判別結果に基づき、前記薬剤を種類毎に前記第２収容部へ格納する仕分部と、前記撮像部の撮像領域において前記薬剤を載置する薬剤載置台と、前記薬剤載置台に載置された薬剤の大きさおよび形状に基づき、前記薬剤載置台を揺動させる揺動機構と、を備える。
【００１１】
また、本発明の一態様に係る薬剤仕分装置は、複数種類の薬剤を収容する第１収容部と、前記薬剤を種類毎に仕分けられた状態で収容する第２収容部と、前記薬剤を撮像する撮像部と、前記撮像部によって撮像された画像から抽出した薬剤の特徴を、登録された複数種類の薬剤に関する薬剤データのうち、所定期間内に分包機によって分包された薬剤に関する薬剤データと照合することで、前記薬剤の種類を判別する判別部と、前記判別部による判別結果に基づき、前記薬剤を種類毎に前記第２収容部へ格納する仕分部と、を備える。
【００１２】
また、本発明の一態様に係る薬剤仕分装置は、複数種類の薬剤を収容する第１収容部と、前記薬剤を種類毎に仕分けられた状態で収容する第２収容部と、前記第２収容部に収容できなかった薬剤を仮置きする仮収容部と、前記薬剤を撮像する撮像部と、前記撮像部によって撮像された画像を、登録された複数種類の薬剤に関する薬剤データと照合することで、前記薬剤の種類を判別する判別部と、前記判別部による判別結果に基づき、前記薬剤の仕分位置を決定すると共に、決定した仕分位置と、前記判別部が照合に使用した薬剤データとを紐付けて記憶部に記憶する仕分制御部と、前記仮収容部に収容された薬剤を前記第２収容部に収容する場合、前記仮収容部から取出され、かつ前記撮像部によって撮像された当該薬剤の画像を、決定された前記仕分位置としての前記仮収容部に紐付けられた薬剤データと照合することで、当該薬剤の種類を判別する第２判別部と、を備える。
【００１３】
また、本発明の一態様に係る薬剤仕分装置は、複数種類の薬剤を収容する第１収容部と、前記薬剤を種類毎に仕分けられた状態で収容する第２収容部と、前記薬剤を撮像する撮像部と、前記撮像部によって撮像された画像から抽出した薬剤の特徴を、登録された複数種類の薬剤に関する薬剤データと照合した結果、当該特徴との一致度が所定値以上である薬剤データを、前記薬剤の種類を特定するための候補データとして特定し、前記撮像部が前記薬剤を再度撮像した画像から抽出した当該薬剤の特徴を、当該候補データと照合することにより、前記薬剤の種類を判別する判別部と、前記判別部による判別結果に基づき、前記薬剤を種類毎に前記第２収容部へ格納する仕分部と、を備える。
【００１４】
また、本発明の一態様に係る薬剤仕分装置は、複数種類の薬剤を収容する第１収容部と、前記薬剤を種類毎に仕分けられた状態で収容する第２収容部と、前記第１収容部から取出した薬剤を撮像する撮像部と、前記撮像部によって撮像された画像に基づき、前記薬剤の種類を判別する判別部と、前記判別部による判別結果に基づき、前記薬剤を種類毎に前記第２収容部へ格納する仕分部と、前記第２収容部に格納された薬剤を分包する分包部と、前記分包部に接続されており、かつ、前記仕分部によって仕分けられた、分包対象の薬剤が投入される薬剤投入部と、前記薬剤投入部の底部として機能し、前記分包対象の薬剤が前記薬剤投入部に投入されたときに開くシャッターを備えることにより、分包対象ではない薬剤の、前記分包部への落下を防止する薬剤落下防止部と、を備える。
【００１５】
また、本発明の一態様に係る薬剤仕分装置は、複数種類の薬剤を収容する第１収容部と、前記薬剤を種類毎に仕分けられた状態で収容する第２収容部と、前記第１収容部から取出した薬剤を撮像する撮像部と、前記撮像部によって撮像された画像に基づき、前記薬剤の種類を判別する判別部と、前記判別部による判別結果に基づき、前記薬剤を種類毎に前記第２収容部へ格納する仕分部と、前記仕分部によって仕分けられた薬剤を分包する分包部と、前記分包部に接続されており、かつ、前記仕分部によって仕分けられた薬剤が投入される薬剤投入部と、前記薬剤投入部と、前記分包部における分包前薬剤載置領域との間に設けられた、開閉可能なシャッターを備え、前記分包部で作成される１包分に含まれる薬剤の全てが、前記薬剤投入部から投入されるまで、前記薬剤投入部から投入された薬剤を一時的に保持する薬剤保持部と、を備える。
【００１６】
また、本発明の一態様に係る薬剤仕分装置は、複数種類の薬剤を収容する第１収容部と、前記薬剤を種類毎に仕分けられた状態で収容する第２収容部と、前記第１収容部から取出した薬剤を撮像する撮像部と、前記撮像部によって撮像された画像に基づき、前記薬剤の種類を判別する判別部と、前記判別部による判別結果に基づき、前記薬剤を種類毎に前記第２収容部へ格納する仕分部と、前記第２収容部に着脱可能に配置され、かつ、前記仕分部によって仕分けられた薬剤を格納する仕分容器と、水平方向に移動することで、規定された状態で前記第２収容部に載置された前記仕分容器の上部空間に存在する物体を検知する物体検知部と、を備える。
【００１７】
また、本発明の一態様に係る薬剤仕分装置は、複数種類の薬剤を収容する第１収容部と、前記薬剤を種類毎に仕分けられた状態で収容する第２収容部と、前記第１収容部から取出した薬剤を撮像する撮像部と、前記撮像部によって撮像された画像に基づき、前記薬剤の種類を判別する判別部と、前記判別部による判別結果に基づき、前記薬剤を種類毎に前記第２収容部へ格納する仕分部と、前記第２収容部に格納された薬剤を分包する分包部と、前記分包部に接続されており、かつ、前記仕分部によって仕分けられた薬剤が投入される薬剤投入部と、前記薬剤投入部の内部を撮像する投入撮像部と、前記投入撮像部が撮像した画像に基づき、前記薬剤投入部に投入された薬剤の個数を判定する個数判定部と、前記個数判定部が、前記薬剤投入部に投入された薬剤が１つであると判定した場合に、前記薬剤投入部から前記分包部への前記薬剤の移動を決定する薬剤移動決定部と、を備え、前記個数判定部は、前記画像に薬剤が複数含まれていると判定した場合、前記薬剤投入部に投入された前記薬剤を取出した状態で前記投入撮像部が再度撮像した画像に薬剤が含まれていない場合に、前記薬剤投入部に投入された薬剤が１つであると判定する。
【００１８】
また、本発明の一態様に係る薬剤仕分装置は、複数種類の薬剤を収容する第１収容部と、前記薬剤を種類毎に仕分けられた状態で収容する第２収容部と、前記第１収容部から取出した薬剤を撮像する撮像部と、前記撮像部によって撮像された画像に基づき、前記薬剤の種類を判別する判別部と、前記判別部による判別結果に基づき、前記薬剤を種類毎に前記第２収容部へ格納する仕分部と、前記第２収容部に着脱可能に配置され、かつ、前記仕分部によって仕分けられた薬剤を格納する仕分容器と、前記仕分部が前記薬剤を仕分ける前の未使用の仕分容器の内部、又は、前記仕分容器に格納された薬剤の全てを、前記薬剤を分包する分包部へと払出した後の仕分容器の内部を撮像する容器撮像部と、前記容器撮像部が撮像した画像に基づき、前記仕分容器に前記薬剤が格納されているか否かを判定する格納判定部と、前記格納判定部により前記仕分容器に前記薬剤が格納されていると判定された場合、当該仕分容器に前記薬剤が格納されていることを示す格納情報を、当該仕分容器を識別するための容器識別情報に紐付けて記憶する情報記憶制御部と、を備える。
【発明の効果】
【００１９】
本発明の一態様に係る薬剤仕分装置によれば、薬剤自体を認識し、自動的に仕分けることができる。また、薬剤データの登録の有無に依らず、薬剤を仕分けることができる。
【図面の簡単な説明】
【００２０】
【図１】薬剤仕分装置の全体構成を示すブロック図である。
【図２】薬剤仕分装置の構成例を示す図であり、（ａ）は薬剤仕分装置の斜視図であり、（ｂ）は、薬剤仕分領域の基本構成を示す斜視図である。
【図３】（ａ）および（ｂ）は、撮像ユニットの全体構成を示す斜視図であり、（ｃ）は、薬剤載置台の一例を示す斜視図である。
【図４】（ａ）および（ｂ）は、撮像ユニットの旋回について説明するための図である。
【図５】薬剤仕分処理の一例を説明するための図である。
【図６】仕分画像の表示例を示す図である。
【図７】鑑査画像の表示例を示す図である。
【図８】確認画像の表示例を示す図である。
【図９】（ａ）および（ｂ）は、検索画像の表示例を示す図であり、（ｃ）は、第１カメラが撮像した画像の一例を示す図である。
【図１０】（ａ）は、登録画像の一例を示す図であり、（ｂ）は、画像調整処理の一例を説明するための図である。
【図１１】カプセルを登録するときの登録画像の一例を示す図である。
【図１２】別のカプセルを登録するときの登録画像の一例を示す図である。
【図１３】データ管理システムの一例を示す図である。
【図１４】（ａ）は、配置領域に移動してきた薬剤載置台の一例を示す平面図であり、（ｂ）および（ｃ）は、薬剤の位置を調整した後の薬剤載置台の一例を示す平面図である。
【図１５】第２カメラが第１収容部を撮像した画像の一例を示す図である。
【図１６】分包機の一例を説明するための図であり、（ａ）は分包機の正面図、（ｂ）はカセット格納機構の一例を示す図であり、（ｃ）および（ｄ）は補充テーブルの使用例を説明するための図である。
【図１７】分包機の一例を示すブロック図である。
【図１８】（ａ）〜（ｄ）は、非回動型のカセット格納機構の一例を示す図である。
【図１９】ユーザ設定画像の一例を示す図である。
【図２０】（ａ）は、薬剤払出機の構成例を示す斜視図であり、（ｂ）は、手撒きユニットの構成例を示す斜視図である。
【図２１】は、分包機における分包処理の一例を示すフローチャートである。
【図２２】分包機における分包処理の別例を示すフローチャートである。
【図２３】（ａ）及び（ｂ）は、吸着機構の動作例を示す図である。
【図２４】細長い形状の薬剤の一例を示す図であり、（ａ）は平面図、（ｂ）は側面図である。
【図２５】（ａ）は、変形例としての薬剤仕分装置の構成例を示す図であり、（ｂ）及び（ｃ）は、仕分カップ搬送機構の先端部の形状および動作を説明するための図である。
【図２６】制御部の一例を示すブロック図である。
【図２７】（ａ）は、薬剤仕分装置の別例を示す斜視図であり、（ｂ）は、当該別例を示す概略的な平面図である。
【図２８】（ａ）及び（ｂ）は、上部空間を説明するための図である。
【図２９】（ａ）〜（ｄ）は、薬剤搬送部の位置決め動作を説明するための図である。
【図３０】（ａ）及び（ｂ）は、押込検知部を用いた対象物検知について説明するための図である。
【図３１】吸着パッドの有無判定について説明するための図である。
【図３２】照明器及びバックライトの配置位置の一例を示す斜視図である。
【図３３】待機トレイへの薬剤の配置例を説明するための図である。
【図３４】分包機構の構成例を示す図であり、（ａ）は、分包機構の一部の構成例を概略的に示す図であり、（ｂ）及び（ｃ）は、上部シャッター機構における開閉動作について説明するための図であり、（ｄ）及び（ｅ）は、下部シャッター機構における開閉動作について説明するための図である。
【図３５】分包処理時に、薬剤投入口から薬剤を１個ずつ落下させるための処理例を説明するためのフローチャートである。
【図３６】残薬確認画像の一例を示す図である。
【図３７】（ａ）は、類似薬剤登録画像の一例を示す図であり、（ｂ）は、類似薬剤選択画像の一例を示す図である。
【図３８】（ａ）は、返却元選択前の仕分画像の一例を示す図であり、（ｂ）は、返却元登録画像の一例を示す図である。
【図３９】（ａ）は、返却元選択画像の一例を示す図であり、（ｂ）は、返却元選択後の仕分画像の一例を示す図である。
【図４０】（ａ）は、分包紙への印字例を示す図であり、（ｂ）は、ジャーナルへの印字例を示す図である。
【発明を実施するための形態】
【００２１】
［実施形態１］
〔薬剤仕分装置１の概要〕
まず、薬剤仕分装置１の概要について図１および図２を用いて説明する。図１は、薬剤仕分装置１の全体構成を示すブロック図である。図２は、薬剤仕分装置１の構成例を示す図であり、（ａ）は薬剤仕分装置１の斜視図であり、（ｂ）は、薬剤仕分領域２の基本構成を示す斜視図である。図１、並びに、図２の（ａ）および（ｂ）に示すように、薬剤仕分装置１は、薬剤仕分領域２、タッチパネル３、印刷出力部４、および分包機構６を備える。
【００２２】
薬剤仕分装置１は、複数種類の薬剤のそれぞれについて撮像し、撮像の結果得られた画像に基づき薬剤の種類を判別し、種類毎に薬剤を仕分ける。具体的には、薬剤仕分領域２においてこの処理が行われる。薬剤仕分領域２（薬剤仕分装置１の内部構成）については後述する。なお、種類毎に仕分けられた薬剤は、ユーザによる目視鑑査が行われた後、分包されたり、薬剤棚または分包機へと返却されたりする。
【００２３】
本実施形態では、複数種類の薬剤は、容器等に収容されていない薬剤、または包装等が施されていない薬剤であり、その一例として、錠剤またはカプセルであるものとして説明する。また、複数種類の薬剤が返品された薬剤であるものとして説明する。薬剤の返品としては、薬局または病院における採用薬が当該薬局または病院にて「返品薬」として返品される場合と、当該薬局または病院において、当該採用薬以外に、他の薬局または病院で発行された薬剤も含み得る「持参薬」が返品される場合とが含まれる。換言すれば、返品される薬剤という概念には、上記「返品薬」および「持参薬」の少なくともいずれかが含まれる。薬剤仕分装置１は、薬剤が返品された後、撮像から仕分までの処理を自動的に行うことが可能である。
【００２４】
タッチパネル３は、操作部３１にて各種ユーザ入力を受け付けるとともに、表示部３２にて各種画像（例：薬剤仕分の推移を示す画像、目視鑑査用の画像）を表示する。
【００２５】
印刷出力部４は、目視鑑査後のユーザ入力に従って、目視鑑査後の薬剤に関する薬剤データ（例：薬剤名、製造元または成分を示すデータ）を表すジャーナルを印字する。薬剤データには、薬剤固有の画像を示す画像データが含まれていてもよい。
【００２６】
分包機構６は仕分けられた薬剤を分包する。分包機構６はオプション機構である。分包機構６が薬剤仕分装置１に備えられる場合、返品された薬剤の仕分から、目視鑑査を経た後の分包までの処理を、薬剤仕分装置１で一括して行うことが可能となる。特に、搬送・仕分ユニット１２により分包機構６へ薬剤が投入される場合には、目視鑑査を除き、上記仕分から分包までの処理を自動で行うことができる。
【００２７】
分包機構６としては、従来から用いられている錠剤分包機または散薬分包機の分包部を採用することが可能である。この場合、例えば、同一薬種毎に仕分けられた仕分カップ１４１内の薬剤を、一包または複数包に分包することができる。
【００２８】
また、薬剤仕分装置１は、第１ＲＦＩＤ（Radio Frequency Identifier）リーダ・ライタユニット５を備えている。第１ＲＦＩＤリーダ・ライタユニット５は、図２の（ｂ）に示すように、台座１９の、薬剤の取出し側に設けられている。
【００２９】
第１ＲＦＩＤリーダ・ライタユニット５は、第２収容部１４の各仕分カップ１４１の底部に設けられたＲＦＩＤタグ（不図示）に記憶された、各仕分カップ１４１に格納された薬剤に関するデータを読取る。当該データとしては、例えば、格納された薬剤の個数、薬剤データ、および撮像ユニット１３が取得した画像データが挙げられる。当該データは、目視鑑査によって決定された薬剤データ（目視鑑査後の薬剤データ）を含んでもよい。また、上記ＲＦＩＤタグに目視鑑査後の薬剤データを書込んでもよい。目視鑑査後の薬剤データは、対応する仕分カップ１４１に格納された薬剤を、（１）分包機構６、もしくは薬剤仕分装置１とは異なる分包機で分包する時、または（２）薬剤棚へ返却する時に用いられる。
【００３０】
また、図２の（ａ）に示すように、薬剤仕分装置１は、薬剤の取出し側を開閉可能とする開閉シャッター５１と開閉扉５２とを備えている。第２収容部１４に収容された薬剤を分包機構６へと移動させるために、薬剤仕分装置１は、例えば、当該薬剤を一時的に保持する包装ホッパー（不図示）、および包装ホッパーに保持された薬剤を分包機構６へと移動させる移動通路（不図示）を備える。また、少なくとも移動通路は、取外し可能となっている。開閉扉５２を開くことにより、移動通路を薬剤仕分装置１の外部へと取出すことができる。
【００３１】
〔薬剤仕分領域２の基本構成〕
次に、図１および図２の（ｂ）を用いて、薬剤仕分領域２の基本構成（薬剤仕分装置１の内部構成）について説明する。
【００３２】
図１および図２の（ｂ）に示すように、薬剤仕分領域２は、ハードウェアとして主に、第１収容部１１、搬送・仕分ユニット１２（仕分部）、撮像ユニット１３、第２収容部１４、待機トレイ１５、回収トレイ１６、薬剤投入口１７および第２ＲＦＩＤリーダ・ライタユニット１８を備える。そして、搬送・仕分ユニット１２を除く各部材は台座１９に設けられている。搬送・仕分ユニット１２、撮像ユニット１３、および第２ＲＦＩＤリーダ・ライタユニット１８の主要機能については、後述の各処理の説明において詳細に説明する。
【００３３】
第１収容部１１は、ユーザによって返品された複数種類の薬剤を混在した状態で収容する。本実施例では、第１収容部１１は、複数の収容部に分割されている。この場合、例えば、１つの収容部に収容された薬剤の全てが搬送・仕分ユニット１２によって搬送されると、当該収容部に隣接する収容部に収容された薬剤が搬送対象となる。また、第１収容部１１がＺ軸（円柱形状の中心）に対して回動可能に設けられてもよい。この場合、コンピュータ６０の制御部６０ａは、例えば１つの収容部が空になったタイミングで、搬送・仕分ユニット１２が薬剤を取得しやすいように第１収容部１１を回動させてもよい。
【００３４】
第２収容部１４は、薬剤を種類毎に仕分けられた状態で収容する複数の仕分カップ１４１を備える。制御部６０ａは、撮像ユニット１３で撮像された薬剤の画像に基づき薬剤の種類を判別し、その判別結果に基づき当該薬剤を格納する仕分カップ１４１を決定する。当該薬剤は、その決定された仕分カップ１４１に搬送・仕分ユニット１２により搬送され、格納される。
【００３５】
待機トレイ１５は、薬剤が仮置きされる収容部である。例えば、仕分カップ１４１の全てに薬剤が格納されている場合に、制御部６０ａによりそれら以外の種類であると判別された薬剤が、待機トレイ１５に仮置きされる。この場合、仕分カップ１４１から薬剤が取り除かれた後、待機トレイ１５から当該仕分カップ１４１に搬送されてもよい。
【００３６】
また、本実施形態では、待機トレイ１５には、薬剤であると推定された推定薬剤（後述）が仮置きされても構わない。推定薬剤が仮置きされた場合、制御部６０ａの判別結果に応じて、第２収容部１４の所定領域に搬送される。
【００３７】
回収トレイ１６は、制御部６０ａにより種類が判別できなかった物（例：薬剤以外の異物）を格納する収容部である。薬剤以外の異物としては、例えば、ＰＴＰ（Press Through Pack）シートの破片が挙げられる。ＰＴＰシートの破片は、薬剤の返品時に第１収容部１１に混入する可能性がある。また、制御部６０ａは、薬剤データベースに廃棄する薬剤として登録されている薬剤、またはユーザが廃棄することを所望する薬剤（例：製造日の古い薬剤）についても、回収トレイ１６に格納する。
【００３８】
薬剤投入口１７は、薬剤仕分装置１に分包機構６が備えられている場合に、第２収容部１４に格納された薬剤を、搬送・仕分ユニット１２により分包機構６へ搬送するためのものである。当然ながら、薬剤仕分装置１に分包機構６が備えられていない場合には、薬剤投入口１７は不要な構成である。
【００３９】
また、図１に示すように、薬剤仕分装置１の上記各部材（ハードウェア）を統括して制御するコンピュータ６０を備える。コンピュータ６０は、制御部６０ａ（ソフトウェア）として主に、搬送制御部６１、仕分制御部６２、撮像制御部６３、判別部６４、操作入力部６６、表示制御部６７、ＲＦＩＤ制御部６８、印刷出力制御部６９、および登録部７０を備える。搬送制御部６１、仕分制御部６２、撮像制御部６３、判別部６４、および登録部７０については、後述の各処理の説明において詳細に説明する。
【００４０】
操作入力部６６および表示制御部６７は、それぞれタッチパネル３の操作部３１および表示部３２を制御する。ＲＦＩＤ制御部６８は、第１ＲＦＩＤリーダ・ライタユニット５および第２ＲＦＩＤリーダ・ライタユニット１８を制御する。印刷出力制御部６９は、操作入力部６６が受け付けたユーザ入力に従って、印刷出力部４を制御する。なお、薬剤仕分装置１が分包機構６を備える場合には、制御部６０ａは、分包機構６を制御する分包制御部を備えることとなる。
【００４１】
また、コンピュータ６０は記憶部８０を備える。記憶部８０は、複数種類の薬剤に関する薬剤データを管理する薬剤データベース（薬剤マスタ）、および、第１カメラ１３１が撮像した画像を示す画像データ等を記憶する。なお、記憶部８０に記憶された各種データは、記憶部８０にて管理されていなくてもよく、例えば外部装置で管理されてもよい。この場合、制御部６０ａは、上記各種データを、必要に応じて、インターネット等の通信回線を通じて当該外部装置から取得してもよい。また、薬剤データベースは、新たな薬剤データが追加されることにより、更新されてもよい。
【００４２】
〔薬剤仕分装置１における処理の概要〕
薬剤仕分装置１では、搬送・仕分ユニット１２が、第１収容部１１に返品された各薬剤を撮像ユニット１３まで搬送する。搬送された各薬剤を順次撮像ユニット１３が撮像する。制御部６０ａは、撮像された画像に基づき各薬剤の種類を判別するとともに、判別した各薬剤の第２収容部１４における仕分位置を決定する。搬送・仕分ユニット１２は、決定された仕分位置に各薬剤を搬送する。そして、第２収容部１４に格納された薬剤についての情報は、仕分カップ１４１のＲＦＩＤタグに書き込まれたり、記憶部８０に記憶されたり、タッチパネル３に表示されたりする。また、薬剤の仕分が完了した後、または仕分の途中において、ユーザがタッチパネル３を操作することで、目視鑑査、分包等の処理が行われる。以降、各処理について具体的に説明する。
【００４３】
〔撮像ユニット１３への薬剤搬送処理〕
まず、第１収容部１１から撮像ユニット１３への薬剤搬送処理について、図１および図２の（ａ）を用いて説明する。
【００４４】
具体的には、搬送・仕分ユニット１２は、第１収容部１１に収容された薬剤を、撮像ユニット１３が薬剤を受け入れる受入領域Ａｒ１（図３の（ｂ）参照）まで搬送させる。搬送制御部６１は、搬送・仕分ユニット１２による当該搬送処理を制御する。
【００４５】
搬送・仕分ユニット１２は、第２カメラ１２１、吸着・シャッター機構１２２、および搬送機構１２３を備える。
【００４６】
第２カメラ１２１は、搬送対象とする薬剤を特定するために、第１収容部１１を逐次撮像する。撮像制御部６３は、第２カメラ１２１の撮像処理を制御する。第２カメラ１２１は、搬送・仕分ユニット１２の（具体的には、少なくとも吸着・シャッター機構１２２を含む筐体の）、台座１９と対向する側の端部に設けられる。第２カメラ１２１は、後述の吸着機構の先端部に設けられてもよい。撮像制御部６３は、撮像された画像を解析して、当該画像に薬剤が含まれるか否かを判定する。搬送制御部６１は、薬剤が含まれると判定された場合には、例えば、上記先端部を第１収容部１１に近づけ、そのとき撮像された画像に含まれる薬剤を搬送対象の薬剤として特定する。
【００４７】
吸着・シャッター機構１２２は、搬送対象として特定された薬剤を吸着する吸着機構と、吸着機構が吸着した薬剤が落下することを防止するシャッター機構とを含む。吸着機構はＺ軸方向に移動可能に設けられる。シャッター機構は上記端部の前方に、ＸＹ平面と略平行に移動可能に設けられる。
【００４８】
吸着機構は、薬剤取得時に、上記端部から延伸して、その先端部において、特定された薬剤を吸着した後、上記端部の位置まで戻る。この状態において、搬送制御部６１は、上記端部と対向する位置にシャッター機構を移動させ、薬剤搬送中、シャッター機構の位置を維持する（閉状態とする）。搬送制御部６１は、受入領域Ａｒ１に配置された薬剤保持機構１３３の薬剤載置台１３３ａ（図３の（ｂ）参照）と対向する位置まで吸着・シャッター機構１２２を移動させると、シャッター機構を上記端部と対向しない位置に移動させる（開状態とする）。そして、吸着機構を上記端部から延伸させた後、吸着状態を解除することにより、薬剤載置台１３３ａに薬剤を載置する。
【００４９】
搬送機構１２３は、搬送制御部６１の制御を受けて、Ｘ軸およびＹ軸方向に吸着・シャッター機構１２２を移動させる。この搬送機構１２３により、第１収容部１１上での搬送対象となる薬剤の探索時の吸着・シャッター機構１２２の動き、または第１収容部１１から薬剤載置台１３３ａまでの薬剤搬送が可能となる。また、後述の薬剤仕分処理においても、薬剤載置台１３３ａから、第２収容部１４、待機トレイ１５または回収トレイ１６への薬剤搬送が可能となる。
【００５０】
〔薬剤撮像処理〕
次に、撮像ユニット１３による薬剤撮像処理について、図１、図２の（ｂ）、図３および図４を用いて説明する。図３の（ａ）および（ｂ）は、撮像ユニット１３の全体構成を示す斜視図であり、図３の（ｃ）は、薬剤載置台１３３ａの一例を示す斜視図である。図４の（ａ）および（ｂ）は、撮像ユニット１３の旋回について説明するための図である。上記薬剤撮像処理は、主として、撮像ユニット１３および撮像制御部６３により行われる。
【００５１】
具体的には、撮像ユニット１３は、薬剤載置台１３３ａに載置され、図３の（ｂ）に示す撮像対象となる薬剤を配置する配置領域Ａｒ２（撮像領域）に配置された薬剤を撮像する。撮像制御部６３は、撮像ユニット１３による当該撮像処理と、第１カメラ１３１および照明器１３４の旋回移動と、薬剤保持機構１３３の移動とを制御する。撮像ユニット１３は、図１および図３に示すように、第１カメラ１３１（撮像部）、回転機構１３２（回動部）、薬剤保持機構１３３（薬剤載置台、移動機構）、および照明器１３４（紫外光照射部、可視光照射部）を備える。
【００５２】
第１カメラ１３１は、後述の判別部６４において薬剤の種類を判別するために、第１カメラ１３１と対向する配置領域Ａｒ２に配置された薬剤を撮像する。薬剤保持機構１３３は、薬剤を保持する機構であり、図３の（ａ）および（ｂ）に示すように、薬剤載置台（シャーレ）１３３ａと、旋回機構１３３ｂ（移動機構）と、薬剤載置台１３３ａおよび旋回機構１３３ｂを接続する軸部１３３ｃとを備える。薬剤載置台１３３ａは、撮像対象となる薬剤を載置するものである。旋回機構１３３ｂは、薬剤載置台１３３ａを移動させるものであり、具体的には、薬剤載置台１３３ａをＸＹ平面に対して旋回させるとともに、軸部１３３ｃを、軸部１３３ｃの周方向に旋回させる。
【００５３】
撮像制御部６３は、薬剤載置台１３３ａに第１収容部１１から搬送された薬剤が載置されると、旋回機構１３３ｂを駆動し、当該薬剤載置台１３３ａを受入領域Ａｒ１から配置領域Ａｒ２へと移動させる。その後、少なくとも第１カメラ１３１および照明器１３４を制御して、配置領域Ａｒ２に配置された薬剤を撮像する。撮像した画像は記憶部８０に画像データとして記憶される。撮像制御部６３は、例えば撮像が完了した後に、旋回機構１３３ｂを駆動し、撮像された薬剤が載置された薬剤載置台１３３ａを配置領域Ａｒ２から受入領域Ａｒ１へと移動させる。
【００５４】
本実施形態では、薬剤載置台１３３ａは軸部１３３ｃの先端部（端部）に２つ設けられている。旋回機構１３３ｂは、軸部１３３ｃを旋回させることにより、一方の薬剤載置台１３３ａを配置領域Ａｒ２に配置したとき、他方の薬剤載置台１３３ａを受入領域Ａｒ１に配置する。配置領域Ａｒ２での薬剤撮像時に、搬送・仕分ユニット１２により、受入領域Ａｒ１に存在する薬剤載置台１３３ａに、第１収容部１１から薬剤を搬送しておくことで、連続的な薬剤の撮像処理が可能となる。なお、当該薬剤載置台１３３ａは、第２収容部１４への薬剤仕分処理後等、薬剤が載置されていない状態であることが前提である。
【００５５】
また、本実施形態では、薬剤載置台１３３ａは透明性を有する。そのため、第１カメラ１３１は、薬剤載置台１３３ａに載置された薬剤を、薬剤載置台１３３ａを通して多方面から撮像できる。
【００５６】
また、図３の（ｃ）に示すように、薬剤載置台１３３ａは底部が凹んだ状態の断面略Ｖ字形状であってもよい。また、図３の（ｂ）および図４に示すように、薬剤載置台１３３ａが受入領域Ａｒ１および配置領域Ａｒ２に配置されている場合、断面略Ｖ字形状の溝方向（軸部１３３ｃの延伸方向）は、回転機構１３２による撮像機構（後述）の旋回軸Ａｙに対して略平行である。また、薬剤載置台１３３ａの底部は、鋭角なＶ字形状ではなくてよい。図３の（ｃ）に示すように、底部は、底面部１３３ａａと、底面部１３３ａａの対向する２箇所から傾斜した傾斜面部１３３ａｂとを備えていてもよい。底部の形状は、薬剤載置台１３３ａの裏側から見ても（撮像しても）、薬剤の刻印またはプリントが示す情報（刻印情報または印字情報）を認識できる程度で、かつ薬剤が固定される程度の形状であればよい。
【００５７】
薬剤がカプセルまたは変形錠（例：ラグビーボール形）の場合、薬剤載置台１３３ａの底部が平坦であれば、ＸＹ平面上で薬剤の向きがそろわずに、鮮明な薬剤の画像（刻印情報または印字情報）を取得することが困難になる可能性がある。断面略Ｖ字形状であれば、最下端部にカプセルまたは変形錠が嵌合され、当該薬剤を固定できる。そのため、鮮明な薬剤の画像が取得しやすくなる。なお、錠剤の場合には、例えば、軸部１３３ｃを軸部１３３ｃの周方向に旋回させることで、薬剤載置台１３３ａの平面部分（傾斜面部１３３ａｂ）を第１カメラ１３１に対向させることで、当該薬剤を確実に動かないようにしてもよい。
【００５８】
その他、旋回機構１３３ｂは、薬剤載置台１３３ａを振動させる（小さく動かす、ゆする）ことも可能である。この場合、例えば、薬剤載置台１３３ａに載置されたカプセルに振動を与えて転がすことで、カプセルのプリントが付された部分を所定の方向に向かせることができる（例：当該部分を、後述の初期位置に配置された第１カメラ１３１と対向させることができる）。また、上記振動により、例えば円筒状（底部が円形状）の錠剤が上記平面部分に立った状態で載置されたとしても、錠剤を横に倒す（錠剤の底部が当該平面部分に対向するように配置する）ことができる。
【００５９】
照明器１３４は、撮像制御部６３の制御により、薬剤の撮像時に、薬剤に照射される光を出射する。照明器１３４は、図３の（ａ）に示すように、薬剤に可視光を照射する可視光照射部（第１照射部１３４ａおよび第２照射部１３４ｂ）と、薬剤に紫外光を照射する紫外光照射部１３４ｃとを備える。
【００６０】
第１照射部１３４ａおよび第２照射部１３４ｂは、可視光として白色光を薬剤に照射する。第１照射部１３４ａはバー形状の可視光源（バー照明）であり、第２照射部１３４ｂはリング形状の可視光源（リング照明）である。第１カメラ１３１は、第１照射部１３４ａまたは第２照射部１３４ｂから出射され、薬剤で反射した可視光を受光することにより、可視光に基づく画像（可視光画像）を取得する。撮像制御部６３は、第１カメラ１３１が取得した可視光画像を示す画像データを、判別部６４に出力する。
【００６１】
紫外光照射部１３４ｃは、薬剤に紫外光（例：３６５ｎｍ以上４１０ｎｍ以下のピーク波長を有する光）を照射することで、薬剤に含まれる成分を励起させる。これにより、薬剤から蛍光（例：４１０ｎｍ以上８００ｎｍ以下のピーク波長を有する光）が取り出される。第１カメラ１３１は、薬剤から発せられた蛍光を受光することにより、紫外光に基づく画像（紫外光画像）を取得する。撮像制御部６３は、第１カメラ１３１が取得した紫外光画像を示す画像データを、判別部６４に出力する。
【００６２】
回転機構１３２は、図３および図４に示すように、撮像対象となる薬剤が配置される配置領域Ａｒ２（当該位置に配置された薬剤載置台１３３ａ）の周囲を旋回するように第１カメラ１３１を回動させる。第１カメラ１３１は、回転機構１３２が回動させた複数の位置から、配置領域Ａｒ２に配置された薬剤を撮像する。具体的には、第１カメラ１３１および照明器１３４を含む撮像機構を、配置領域Ａｒ２の周囲を旋回するように回動させる。そのため、配置領域Ａｒ２に対する第１カメラ１３１および照明器１３４の位置関係を維持したまま、第１カメラ１３１が複数の方向から薬剤を撮像できる。
【００６３】
回転機構１３２は、図３の（ａ）に示すように、撮像機構駆動部１３２ａと動力伝達機構１３２ｂとを含む。撮像機構駆動部１３２ａは、撮像機構を配置領域Ａｒ２の周囲を旋回させるための動力を発生する。動力伝達機構１３２ｂは、撮像機構駆動部１３２ａが発生させた動力を撮像機構へと伝達する。撮像機構駆動部１３２ａは、撮像制御部６３の制御により駆動し、配置領域Ａｒ２の周囲における撮像機構の位置を変更する。
【００６４】
回転機構１３２は、撮像機構を、初期位置と、初期位置と対向する位置との間において旋回させる。初期位置とは、配置領域Ａｒ２に対して略垂直方向の位置であって、配置領域Ａｒ２の上方の位置である。初期位置と対向する位置とは、配置領域Ａｒ２に対して略垂直方向の位置であって、配置領域Ａｒ２の下方の位置である。また、当該位置は、第１カメラ１３１が配置領域Ａｒ２に存在する薬剤載置台１３３ａの底部と対向する位置であるともいえる。
【００６５】
図４に示すように、配置領域Ａｒ２の中心を通りＺ軸と平行な軸を軸Ａｘ０とし、配置領域Ａｒ２の中心および撮像機構の中心を通る軸を軸Ａｘ１とする。また、軸Ａｘ０と軸Ａｘ１とのなす角をθとする。本実施形態では、回転機構１３２は、撮像機構を、θ＝０°（初期位置）、４５°、１３５°および１８０°の位置のいずれかに配置する。なお、図４の（ａ）は撮像機構がθ＝０°の位置にある場合を示し、図４の（ｂ）は撮像機構が初期位置から旋回してθ＝４５°の位置にある場合を示す。
【００６６】
このように、撮像機構を配置領域Ａｒ２の周囲を旋回させることにより、薬剤を配置領域Ａｒ２に固定した状態で、複数の方向から薬剤を撮像できる。また、薬剤載置台１３３ａをゆすっても薬剤（錠剤）が立っている場合であっても、斜め方向（θ＝４５°または１３５°）からの撮像で、薬剤に付された刻印等が示す情報を取得できる。
【００６７】
なお、撮像機構を固定し薬剤を回動させることで複数の方向から当該薬剤を撮像してもよい。
【００６８】
（撮像位置制御）
次に、撮像機構の位置制御の一例について説明する。撮像制御部６３は、まず撮像機構を初期位置にセットし、第１カメラ１３１に、当該初期位置おいて配置領域Ａｒ２に配置された薬剤を撮像させる。このとき、第１カメラ１３１は、第１照射部１３４ａおよび第２照射部１３４ｂからの可視光に基づく可視光画像（２つの可視光画像）を取得するとともに、紫外光照射部１３４ｃからの紫外光に基づく紫外光画像を取得する。
【００６９】
次に、撮像制御部６３は、撮像機構を初期位置とは対向する位置にセットし、第１カメラ１３１に、当該位置において配置領域Ａｒ２に配置された薬剤を撮像させ、２つの可視光画像および紫外光画像を取得する。判別部６４は、これら６つの画像を解析することにより、薬剤の種類を判別する。薬剤の種類を１つに特定できなかった場合、撮像制御部６３は、θ＝４５°および１３５°の位置において、第１照射部１３４ａおよび第２照射部１３４ｂから可視光を出射させ、第１カメラ１３１に薬剤を撮像させる。判別部６４は、このときの可視光画像を解析して薬剤の種類を判別する。
【００７０】
上記に限らず、撮像機構の位置制御は種々の方法が挙げられる。例えば、初期位置と対向する位置から撮像した後、初期位置から撮像を行ってもよい。また、θ＝４５°の位置から撮像したときの可視光画像に基づく薬剤の判別処理を行い、薬剤の種類を１つに特定できなかった場合にのみθ＝１３５°の位置から撮像したときの可視光画像を取得してもよい。また、初期位置および初期位置と対向する位置において紫外光画像のみを取得し、当該紫外光画像に基づく薬剤の判別処理を行った後、当該位置における可視光画像を取得してもよい。また、全ての位置において可視光画像および紫外光画像を取得してもよい。
【００７１】
〔画像処理・判別処理〕
次に、撮像ユニット１３により撮像された画像に対する画像処理と、画像処理の結果に基づく薬剤の判別処理について、図１を用いて説明する。上記画像処理は、主として撮像制御部６３により行われ、上記判別処理は、主として判別部６４により行われる。
【００７２】
判別部６４は、第１カメラ１３１により撮像された薬剤の画像に基づき、薬剤の種類を判別する。具体的には、判別部６４は、第１照射部１３４ａまたは第２照射部１３４ｂから可視光が照射された状態で撮像された薬剤の撮像結果（可視光画像）に基づき、薬剤の種類を判別する。また、判別部６４は、紫外光が照射された状態で撮像された薬剤の撮像結果（紫外光画像）に基づき、薬剤の種類を判別する。
【００７３】
判別部６４は、可視光画像および／または紫外光画像のそれぞれにおいて画像解析を実行することにより、当該画像に含まれる薬剤の特徴を抽出する。換言すれば、判別部６４は、薬剤の特徴を抽出する特徴抽出部６４ａ（識別情報抽出部）を有する。薬剤の特徴としては、例えば、大きさ、形状、刻印、プリント、割線、代表色（刻印またはプリントが付された領域の色）が挙げられる。ＯＣＲ（Optical Character Recognition）等を行った場合には、薬剤の特徴として、刻印またはプリントにより表された薬剤名（例：識別コード）または製造元を示す識別情報（薬剤を識別する識別情報）、使用期限等のその他の情報が抽出される。また、紫外光画像の場合には、薬剤の特徴として、画像中の薬剤における代表色が挙げられる。判別部６４は、抽出した各薬剤の特徴を、薬剤の画像データに紐づけて記憶部８０に記憶する。なお、薬剤の特徴抽出は、公知の技術により行われてもよい。
【００７４】
判別部６４は、各薬剤の特徴を薬剤データベースと照合することにより薬剤の種類を判別する。換言すれば、判別部６４は、抽出した薬剤の特徴に基づいて、パターンマッチング等を用いて、薬剤データベースの中から、撮像された薬剤に関する薬剤データの候補を絞込む薬剤データ抽出部６４ｂを有する。この場合、例えば、上述した大きさ、形状、刻印、プリント、割線、および代表色の少なくとも１つを用いて薬剤データの候補を絞込む。その後、判別部６４は、ＯＣＲ等を行い、刻印またはプリントに表された識別情報等を読取り、パターンマッチング等を用いて上記候補の中から薬剤の種類をさらに絞込む。
【００７５】
また、判別部６４は、パターンマッチング等を用いて抽出した薬剤の特徴（対象特徴）が薬剤データベースに無い場合であっても、対象特徴の少なくとも一部に基づき薬剤（錠剤またはカプセル）であると推定される場合には、薬剤の種類を推定薬剤として判別する。この場合、推定薬剤も、第２収容部１４または待機トレイ１５への仕分け対象とすることができる。本実施形態では、推定薬剤は、まず待機トレイ１５へ仮置きされても構わない。
【００７６】
このように、判別部６４（判定部）は、予め登録された複数種類の薬剤に関する薬剤データ（薬剤データベース）の中に、第１カメラ１３１によって撮像された画像（画像データ）に対応する薬剤データが存在するか否かを判定している。
【００７７】
判別部６４は、薬剤の種類の判別結果を仕分制御部６２に出力する。例えば、薬剤の種類を１つに特定できた場合、または所定数以内の候補数に絞込んだ場合には、当該薬剤に関する薬剤データを判別結果として出力する。この場合、判別部６４は、当該薬剤に関する薬剤データを、当該薬剤の画像データに紐づけて記憶部８０に記憶する。
【００７８】
判別部６４は、薬剤の種類を推定薬剤として判別した場合には、薬剤の特徴（推定薬剤として推定された物の特徴）を判別結果として出力する。一方、判別部６４は、薬剤データベースに廃棄する薬剤として登録された薬剤であると判別した場合、または第１収容部１１に収容された物が薬剤以外の異物であると判別した場合、仕分対象外の薬剤である旨を判別結果として出力する。
【００７９】
〔薬剤仕分処理〕
次に、上記判別処理の結果に基づく薬剤仕分処理について、図１、図５〜図８を用いて説明する。図５は、薬剤仕分処理の一例を説明するための図である。図６は、仕分画像Ｉｍ１（仕分画面）の表示例を示す図である。図７は、鑑査画像Ｉｍ２（鑑査画面）の表示例を示す図である。図８は、確認画像（確認画面）Ｉｍ３の表示例を示す図である。上記薬剤仕分処理は、主として、搬送・仕分ユニット１２および仕分制御部６２により行われる。
【００８０】
なお、図５では、便宜上、第２収容部１４に載置可能な仕分カップ１４１の位置を特定するための符号Ａ〜Ｆおよび１〜７を付している。また、仕分カップ１４１は、仕分けられた薬剤が収容される仕分容器であって、第２収容部１４に取外し可能に載置できる。
【００８１】
上述したように、第１収容部１１に収容された薬剤は、第１収容部１１から受入領域Ａｒ１へと搬送された後（図５の（ｉ）参照）、配置領域Ａｒ２へと移動させられる。第１カメラ１３１により撮像された後、薬剤は、配置領域Ａｒ２から再び受入領域Ａｒ１へと移動させられる。その後、本実施形態では、薬剤は、判別部６４による判別結果に基づき、図５の（ｉｉ）、（ｉｉｉ）〜（ｖ）、または（ｖｉ）に示す経路を経て搬送される。
【００８２】
具体的には、搬送・仕分ユニット１２は、判別部６４による判別結果に基づき、薬剤を種類毎に第２収容部１４へ格納するか、または待機トレイ１５へ格納する（図５の（ｉｉ）および（ｉｉｉ）参照）。仕分制御部６２は、搬送・仕分ユニット１２を制御して、撮像および判別処理後に受入領域Ａｒ１に配置された薬剤を、判別結果に基づき、第２収容部１４の所定の仕分カップ１４１または待機トレイ１５まで搬送する。
【００８３】
図１および図５に示すように、本実施形態では、第２収容部１４には、確定エリアＡｒ１１（第１領域）および仮判定エリアＡｒ１２（第２領域）が設定されている。確定エリアＡｒ１１は、判別部６４によって画像データに対応する薬剤データが存在すると判定された薬剤を収容するエリアである。一方、仮判定エリアＡｒ１２は、判別部６４によって画像データに対応する薬剤データが存在しないと判定された薬剤を収容する、確定エリアＡｒ１１と異なる位置に設定されたエリアである。
【００８４】
図５の例では、薬剤の取出し側のＡ−１〜Ｆ−５に確定エリアＡｒ１１が設定され、薬剤の取出し側から離れた位置であるＢ−６〜Ｆ−７に仮判定エリアＡｒ１２が設定されている。但し、確定エリアＡｒ１１および仮判定エリアＡｒ１２の設定位置および範囲はこれに限られず、ユーザの利便性に応じて変更可能である。
【００８５】
また、図５の例のように、確定エリアＡｒ１１が仮判定エリアＡｒ１２よりも広く設定されている場合、薬剤仕分装置１が、第２収容部１４において確定エリアＡｒ１１を有効活用する「確定エリア有効活用モード」に設定されていると称しても構わない。
【００８６】
搬送・仕分ユニット１２は、画像データに対応する薬剤データが存在すると判定された薬剤については、種類毎に確定エリアＡｒ１１に収容する（図５の（ｉｉ）または（ｖ）参照）。一方、搬送・仕分ユニット１２は、画像データに対応する薬剤データが存在しないと判定された薬剤については、仮判定エリアＡｒ１２に収容する（図５の（ｉｖ）参照）。
【００８７】
（図５の（ｉｉ）の場合）
仕分制御部６２は、判別結果として薬剤に関する薬剤データを受け取った場合、判別部６４が画像データに対応する薬剤データが存在すると判定したものとして、確定エリアＡｒ１１において当該薬剤を格納する仕分位置（仕分カップ１４１）を決定する。また、仕分制御部６２は、当該判別結果（薬剤データ）と、決定した仕分位置とを付けて記憶部８０に記憶する。
【００８８】
仕分制御部６２は、仕分位置を決定すると、搬送制御部６１と同様に搬送機構１２３を制御して、搬送・仕分ユニット１２を受入領域Ａｒ１の上方に移動させる。仕分制御部６２は、搬送制御部６１と同様、第２カメラ１２１および吸着・シャッター機構１２２を制御して、受入領域Ａｒ１に配置された薬剤を吸着する。その後、搬送機構１２３により、決定した仕分カップ１４１へと薬剤を搬送させる。搬送後、吸着を解除することにより、当該仕分カップ１４１に薬剤を格納する。また、仕分制御部６２は、仕分カップ１４１に格納した薬剤の個数をカウントし、仕分位置に紐づけて記憶部８０に記憶する。
【００８９】
（図５の（ｉｉｉ）の場合）
仕分制御部６２は、薬剤の種類が推定薬剤であるとの判別結果を受け取った場合、判別部６４が画像データに対応する薬剤データが存在しないと判定したものとして、待機トレイ１５を仕分位置として決定する。そして、仕分制御部６２は、搬送・仕分ユニット１２を制御して、受入領域Ａｒ１から待機トレイ１５へと薬剤を搬送させる。
【００９０】
例えば、上記「確定エリア有効活用モード」では、第１収容部１１に収容された薬剤の仕分（確定エリアＡｒ１１、待機トレイ１５または回収トレイ１６への仕分）が完了した後、待機トレイ１５に収容された薬剤については、再度、判別部６４による判別処理が行われる。つまり、上記「確定エリア有効活用モード」では、種類が判別した薬剤を確定エリアＡｒ１１に仕分けると共に、推定薬剤については待機トレイ１５に一旦仮置きしておく。そして、種類が判別した薬剤を確定エリアＡｒ１１に仕分けた後、待機トレイ１５に収容された推定薬剤に対する再仕分が実行される。具体的には、仕分制御部６２は、搬送・仕分ユニット１２を制御して、待機トレイ１５から受入領域Ａｒ１へと薬剤を搬送させる。その後、当該薬剤が受入領域Ａｒ１から配置領域Ａｒ２へと移動された後、当該薬剤に対して上述の薬剤撮像処理、および画像処理・判別処理が行われる。
【００９１】
その結果、判別部６４により画像データに対応する薬剤データが存在すると判定された場合には、仕分制御部６２は、確定エリアＡｒ１１における薬剤未格納の仕分カップ１４１（仕分位置として未決定の仕分カップ１４１）を、仕分位置として決定する。その後、仕分制御部６２は、上述したように、搬送・仕分ユニット１２を制御して、受入領域Ａｒ１から、仕分位置として決定した確定エリアＡｒ１１における仕分カップ１４１へと薬剤を搬送させる（図５の（ｖ）参照）。また、仕分制御部６２は、薬剤データベースにおいて特定した薬剤データと、決定した仕分位置とを紐付けて記憶部８０に記憶する。
【００９２】
一方、判別部６４により再度、画像データに対応する薬剤データが存在しないと判定された場合には、仕分制御部６２は、仮判定エリアＡｒ１２における薬剤未格納の仕分カップ１４１を仕分位置として決定する。そして、仕分制御部６２は、推定薬剤に係る薬剤の特徴と、決定した仕分位置とを紐付けて記憶部８０に記憶する。
【００９３】
仕分制御部６２は、画像に含まれる薬剤（推定薬剤）の特徴のうちの少なくとも１つに基づき、仮判定エリアＡｒ１２における仕分位置を決定する。例えば、仕分制御部６２は、画像における推定薬剤の色、形状、または当該薬剤に付された情報のうちの少なくとも１つに基づき、仮判定エリアＡｒ１２における仕分位置を決定する。具体的には、仕分制御部６２は、薬剤の色、形状、または当該薬剤に付された情報のうちの少なくとも１つが一致するとみなされる推定薬剤同士の仕分位置が同一となるように、仕分位置を決定する。薬剤に付された情報とは、例えば、薬剤に付された識別情報の少なくとも一部を指す。識別情報の少なくとも一部同士が略一致していれば（比較する２つの識別情報に類似する部分があれば）、当該識別情報が付された薬剤同士は同一の仕分カップ１４１に収容されても構わない。一方、仕分制御部６２は、仮判定エリアＡｒ１２に最初に仕分ける推定薬剤、および、既に仕分けられた推定薬剤の特徴と一致しない特徴を有する仕分対象の推定薬剤については、仮判定エリアＡｒ１２における薬剤未格納の仕分カップ１４１を仕分位置として決定する。
【００９４】
その後、仕分制御部６２は、搬送・仕分ユニット１２を制御して、仕分位置として決定した仮判定エリアＡｒ１２における仕分カップ１４１へと薬剤を搬送させる（図５の（ｉｖ）参照）。具体的には、搬送・仕分ユニット１２は、推定薬剤については、画像に含まれる薬剤の色、形状、または当該薬剤に付された情報のうちの少なくとも１つに基づき、仮判定エリアＡｒ１２の各位置（各仕分カップ１４１）に仕分ける。
【００９５】
また、仕分制御部６２は、判別結果として薬剤に関する薬剤データを受け取った場合であっても、確定エリアＡｒ１１の仕分カップ１４１の全てに薬剤が格納されている場合には、待機トレイ１５を仕分位置として決定する。この場合、仕分制御部６２は、確定エリアＡｒ１１の仕分カップ１４１に空きができた場合に、待機トレイ１５に仕分けられた薬剤の仕分位置を、当該仕分カップ１４１が配置された位置として決定する。また、仕分制御部６２は、仮判定エリアＡｒ１２の仕分カップ１４１の全てに薬剤が格納されている場合には、仮判定エリアＡｒ１２の仕分カップ１４１に空きができるまで、待機トレイ１５に薬剤を待機させる。
【００９６】
なお、上述のように確定エリアＡｒ１１の大きさは、ユーザが任意に設定できる。例えば、ユーザは、図５に示すように、確定エリアＡｒ１１の大きさが極力大きくなるように（上記「確定エリア有効活用モード」に）設定しても構わない。この場合、第１収容部１１に収容された薬剤のうち、種類が判別した全てまたはほとんどの薬剤を、確定エリアＡｒ１１へ収容する可能性を高めることができる。但し、確定エリアＡｒ１１の設定については、上記「確定エリア有効活用モード」において、以下のような２つの設定を選択できる構成であっても構わない。
（１）種類が判別した薬剤が待機トレイ１５へ収容されることを許容した確定エリアＡｒ１１の設定。この設定の場合、制御部６０ａは、確定エリアＡｒ１１に空きができた場合に、待機トレイ１５に仮置きした薬剤を確定エリアＡｒ１１に収容する。
（２）種類が判別した薬剤の待機トレイ１５へ仕分けを極力発生させないような、極力大きな確定エリアＡｒ１１の設定。
【００９７】
（図５の（ｉｉｉ）の場合の代替処理）
上記「確定エリア有効活用モード」での処理とは異なり、推定薬剤については、待機トレイ１５に仮置きすることなく、直接、仮判定エリアＡｒ１２に搬送しても構わない。つまり、制御部６０ａは、第１収容部１１に収容された薬剤に対する判別処理が完了した後、判別結果に応じて、確定エリアＡｒ１１および仮判定エリアＡｒ１２のいずれかに薬剤を順次仕分けても構わない。
【００９８】
この場合、制御部６０ａは、薬剤の種別が判別できなった場合、再度、判別処理を実行しても構わない。再度の判別処理により薬剤の種類が判別できる可能性もあるためである。再度の判別処理は、例えば所定回数実行される。所定回数は、再度の判別処理により薬剤の種類が判別できる可能性があり、かつ処理時間の増大化への影響が少ない回数（例：３回）に設定されていればよい。制御部６０ａは、再度の判別処理により薬剤の種類が判別できた場合、当該薬剤を確定エリアＡｒ１１に搬送する。一方、所定回数の判別処理を行ってもなお、薬剤の種類が判別できなかった場合には、当該薬剤を仮判定エリアＡｒ１２に搬送する。
【００９９】
また、順次仕分けていった結果、確定エリアＡｒ１１に仕分けることができない状態となった場合（確定エリアＡｒ１１に空の仕分カップ１４１が存在しなくなった場合）、仕分対象の薬剤は待機トレイ１５に収容される。また、仮判定エリアＡｒ１２に仕分けることができない状態となった場合（仮判定エリアＡｒ１２に空の仕分カップ１４１が存在しなくなった場合）、仕分対象の推定薬剤は待機トレイ１５に収容される。つまり、確定エリアＡｒ１１および仮判定エリアＡｒ１２のそれぞれにおいて仕分ける位置が無くなった場合には、仕分対象の薬剤または推定薬剤は、他方のエリアに収容されることなく、待機トレイ１５へ搬送され蓄積されていく。
【０１００】
なお、薬剤仕分装置１は、「確定エリア有効活用モード」および「確定エリア非有効活用モード」のいずれかのモードに設定可能となっていても構わない。「確定エリア有効活用モード」に設定されている場合、上述のように、推定薬剤については待機トレイ１５に仮置きされた後、確定エリアＡｒ１１または仮判定エリアＡｒ１２に仕分けられる。一方、「確定エリア非有効活用モード」に設定された場合、上述のように、推定薬剤については、待機トレイ１５に仮置きされることなく、仮判定エリアＡｒ１２に直接仕分けられる。
【０１０１】
（図５の（ｖｉ）の場合）
仕分制御部６２は、仕分対象外の薬剤である旨の判別結果を受けた場合には、判別後の薬剤が薬剤データベースに廃棄する薬剤として登録された薬剤であるか、判別後に受入領域Ａｒ１に配置された物が異物である。そのため、仕分制御部６２は、搬送・仕分ユニット１２を制御して、当該薬剤または異物を回収トレイ１６へと搬送させる。
【０１０２】
このように、仕分制御部６２は、薬剤の種類の判別結果に依らず、第１収容部１１に収容された物の全てを、第２収容部１４、待機トレイ１５および回収トレイ１６の何れかに格納する。そのため、薬剤の種類を１つに特定できない場合、または第１収容部１１に異物が混入していた場合であっても、それを理由に仕分処理を停止することなく、継続させることができる。
【０１０３】
また、判別対象となった薬剤が薬剤データベースに登録された薬剤であれば確定エリアＡｒ１１へ、登録されていない薬剤であれば仮判定エリアＡｒ１２へと仕分けることができる。そのため、記憶部８０への薬剤データの登録の有無に依らず、薬剤を仕分けることができる。また、記憶部８０への薬剤データの登録の有無に応じて仕分ける領域を変更できるので、後述の薬剤登録処理の利便性を向上させることができる。
【０１０４】
（その他の構成）
なお、仕分制御部６２は、受入領域Ａｒ１に配置された薬剤載置台１３３ａから、判別処理が完了した薬剤を取り出すために、第２カメラ１２１に当該薬剤載置台１３３ａを撮像させて、当該薬剤の位置を絞り込む。また、仕分制御部６２は、仕分カップ１４１に格納された薬剤の分包機構６への搬送時に、当該仕分カップ１４１から薬剤を取り出すために、第２カメラ１２１に当該仕分カップ１４１を撮像させて、搬送対象とする薬剤を絞り込む。
【０１０５】
また、確定エリアＡｒ１１においては、仕分制御部６２により仕分カップ１４１に格納された薬剤に関する薬剤データは、第２ＲＦＩＤリーダ・ライタユニット１８によって、当該仕分カップ１４１に設けられたＲＦＩＤタグに記憶される。
【０１０６】
第２ＲＦＩＤリーダ・ライタユニット１８は、第１ＲＦＩＤリーダ・ライタユニット５と同様、ＲＦＩＤタグへの薬剤データ等の書込み、またはＲＦＩＤタグに記憶された薬剤データ等の読出しを行う。仕分制御部６２は、ＲＦＩＤ制御部６８に、仕分カップ１４１に薬剤を格納するたびに、当該薬剤に関するデータを書込ませる。
【０１０７】
第２ＲＦＩＤリーダ・ライタユニット１８は、第２収容部１４の下側に設けられている。具体的には、各仕分カップ１４１のＲＦＩＤタグに記憶された薬剤に関するデータの読取りまたは書込み時に、各仕分カップ１４１の底部と対向するように設けられる。
【０１０８】
（表示画像例）
薬剤仕分処理中、または薬剤仕分処理の動作停止中、表示制御部６７は、図６に示すような仕分画像Ｉｍ１を、表示部３２に表示させることができる。
【０１０９】
薬剤が仕分けられる複数の仕分位置のそれぞれと、当該仕分位置に配置される仕分カップ１４１と、仕分カップ１４１に収容された薬剤に関する薬剤データ（または対象特徴の少なくとも一部を含むデータ）とは紐付けられて、記憶部８０に記憶されている。また、仕分カップ１４１に収容された薬剤の個数、および当該薬剤の画像データも紐付けられて、記憶部８０に記憶されている。
【０１１０】
そのため、表示制御部６７は、第２収容部１４における複数の仕分位置と、仕分位置のそれぞれにおける仕分状況（例：収容された薬剤の個数）とを反映した、仕分画像Ｉｍ１を表示できる。
【０１１１】
また、表示制御部６７は、仕分画像Ｉｍ１において、薬剤が仕分けられている位置に、鑑査結果等を表示する。表示制御部６７は、鑑査結果として、目視による鑑査未対応を示す「目視未」、または、鑑査対応済を示す「目視済」を表示する。また、表示制御部６７は、薬剤データ未登録であるために仮判定エリアＡｒ１２に仕分けられている旨を示す「仮仕分」を表示する。これらの表示により、ユーザは、鑑査未対応の薬剤が仕分けられた仕分カップ１４１、または、薬剤データベースへの登録を要する薬剤が仕分けられた仕分カップ１４１を確認できる。
【０１１２】
表示制御部６７は、仕分画像Ｉｍ１に示された確定エリアＡｒ１１の仕分位置に対するユーザ入力を受付けることで、当該仕分位置に対応付けられた薬剤の鑑査画像Ｉｍ２（図７参照）を表示部３２に表示する。これにより、ユーザが目視鑑査を行うことを所望する薬剤の鑑査画像Ｉｍ２を表示できる。
【０１１３】
また、表示制御部６７は、仕分画像Ｉｍ１に示された仮判定エリアＡｒ１２の仕分位置に対するユーザ入力を受付けることで、当該仕分位置に対応付けられた薬剤の確認画像Ｉｍ３を表示部３２に表示する。これにより、ユーザが薬剤データベースへの登録を所望する薬剤の確認画像Ｉｍ３（図８参照）を表示できる。
【０１１４】
〔薬剤登録処理〕
次に、仮判定エリアＡｒ１２に仕分けられた薬剤を薬剤データベースへ登録する薬剤登録処理について、図１、図６、図８〜図１０を用いて説明する。図９の（ａ）および（ｂ）は、検索画像（検索画面）Ｉｍ４の表示例を示す図であり、（ｃ）は、第１カメラ１３１が撮像した画像の一例を示す図である。図１０の（ａ）は、登録画像（登録画面）Ｉｍ５の一例を示す図であり、（ｂ）は、画像調整処理の一例を説明するための図である。
【０１１５】
上述のように、表示制御部６７は、図６に示す仕分画像Ｉｍ１に示される仮判定エリアＡｒ１２の仕分位置に対するユーザ入力を受付けることで、図８に示すような確認画像Ｉｍ３を表示する。図８に示すように、確認画像Ｉｍ３には、少なくとも画像表示領域Ａｒ３１および「マスタ登録」ボタンが含まれる。
【０１１６】
画像表示領域Ａｒ３１は、仕分位置に紐付けて記憶部８０に記憶された、仕分カップ１４１に格納された薬剤の画像データが示す画像（第１カメラ１３１が撮像した画像）が、仕分カップ１４１に格納された薬剤の個数分表示される領域である。本例では、画像表示領域Ａｒ３１には、Ｆ−７の位置に配置された仕分カップ１４１に格納された２個の薬剤の画像が表示されている。「マスタ登録」ボタンは、画像表示領域Ａｒ３１で選択された薬剤の、薬剤データベースへの登録を開始するためのユーザ入力を受付けるものである。
【０１１７】
１つの画像データが選択された状態で、「マスタ登録」ボタンへのユーザ入力を受付けると、制御部６０ａは、当該画像データに対応する薬剤の登録処理を行う。具体的には、図１に示すように、制御部６０ａは、登録部７０を備える。登録部７０は、仮判定エリアＡｒ１２に仕分けられた薬剤に関する薬剤データを、薬剤データベースに登録する処理を総括して行う。つまり、登録部７０は、判別部６４により画像データに対応する薬剤データが存在しないと判定された薬剤について、ユーザにより特定された、画像データに係る薬剤の薬剤データを、当該画像データと紐付けて登録する。
【０１１８】
具体的には、登録部７０は、表示制御部６７を制御して、図９の（ａ）に示す検索画像Ｉｍ４を表示部３２に表示させる。検索画像Ｉｍ４は、仕分カップ１４１に格納された薬剤についての検索結果を示す画像である。
【０１１９】
検索画像Ｉｍ４には、図９の（ａ）に示すように、少なくとも文字入力領域Ａｒ４１、画像表示領域Ａｒ４２、検索結果一覧領域Ａｒ４３、および「選択」ボタンが含まれる。文字入力領域Ａｒ４１は、画像表示領域Ａｒ４２に表示された薬剤を検索するための文字を入力可能な領域である。画像表示領域Ａｒ４２は、第１カメラ１３１が撮像した画像（図８で選択された画像と同一の画像）を表示する領域である。検索結果一覧領域Ａｒ４３は、「検索」ボタンへのユーザ入力を受付けたときに、検索結果を表示する領域である。「選択」ボタンは、検索結果一覧領域Ａｒ４３に表示された薬剤データのうちの１つの薬剤データの選択を決定するものである。
【０１２０】
ここで、第１カメラ１３１は、配置領域Ａｒ２に配置された薬剤載置台１３３ａに載置された薬剤を撮像する。そのため、記憶部８０に記憶された画像データにおける薬剤に付された情報（例：刻印情報または印刷情報）の向きは、薬剤毎によって異なる。画像表示領域Ａｒ４２には、記憶部８０に記憶された画像データが示す画像（第１カメラ１３１が撮像した画像）がそのまま表示される。そのため、画像表示領域Ａｒ４２には、例えば図９の（ａ）に示すように、刻印情報が下向きの状態の画像が表示される。また、例えば、刻印情報が横向きの状態で撮像された場合には、図９の（ｃ）に示すように、刻印情報が横向きの状態の画像が画像表示領域Ａｒ４２に表示される。なお、図７に示す鑑査画像Ｉｍ２、図８に示す確認画像Ｉｍ３においても同様である。
【０１２１】
表示制御部６７が図９の（ａ）に示す検索画像Ｉｍ４を表示すると、ユーザは、画像表示領域Ａｒ４２に表示された画像を確認することで、刻印情報を認識する。ユーザは、認識した刻印情報の少なくとも一部を文字入力領域Ａｒ４１に入力する。
【０１２２】
登録部７０は、文字入力領域Ａｒ４１に刻印情報の少なくとも一部が入力された後、「検索」ボタンへのユーザ入力を受付けた場合、薬剤総合データベースにおいて、文字入力領域Ａｒ４１に入力された文字に基づく検索を行う。
【０１２３】
薬剤総合データベースとは、複数種類の薬剤に関する薬剤データを管理するものである。薬剤総合データベースは、薬剤仕分装置１と通信可能に接続でき、複数種類の薬剤を総合的に一元管理するデータ管理装置５００（図１３参照）で管理されるデータベースである。データ管理装置５００は、例えば薬剤仕分装置１の製造元で使用される装置である。薬剤総合データベースは、様々な場所（病院、病棟または薬局等）で使用される薬剤仕分装置１、および薬剤仕分装置１以外の装置（例：分包機）で取り扱われ得る全ての薬剤に関する薬剤データを含む。
【０１２４】
一方、薬剤データベースは、薬剤仕分装置１、または薬剤仕分装置１が使用される病院、病棟または薬局等で管理しているデータベースである。薬剤データベースは、上述のように、例えば記憶部８０で管理される。薬剤総合データベースで管理されている薬剤データ数は膨大であるため、薬剤データベースにその全てを含めることは現実的ではない。そのため、薬剤データベースは、薬剤総合データベースに含まれる薬剤データの中から、各薬剤仕分装置１で、または、各病院、病棟もしくは薬局等で使用されることが想定される薬剤データを抽出して管理している。つまり、薬剤データベースには存在しない薬剤データであっても、薬剤総合データベースには存在する。そのため、登録部７０は、薬剤総合データベースにおいて検索を行う。
【０１２５】
なお、薬剤総合データベースおよび薬剤データベースに登録されている薬剤データには、薬剤に付された識別情報（例：刻印情報または印字情報）が規定された方向および大きさに調整された薬剤の画像データが含まれる。当該方向および大きさは、例えば、薬剤の種類または大きさ毎に設定されている。
【０１２６】
ユーザが、画像に含まれる情報のうち「ＳＷ」が文字入力領域Ａｒ４１に入力した後、「検索」ボタンを押下したとする。この場合、登録部７０は、図９の（ｂ）に示すように、薬剤総合データベースにおいて文字「ＳＷ」について検索した結果を、検索結果一覧領域Ａｒ４３に表示する。ユーザは、検索結果一覧領域Ａｒ４３において、画像に含まれる情報「ＳＷ３４４」と一致する薬剤データを選択する。
【０１２７】
登録部７０は、検索結果一覧領域Ａｒ４３に表示された１つの薬剤データが選択された状態において、「選択」ボタンへのユーザ入力を受付けると、表示制御部６７を制御して、登録画像Ｉｍ５を表示部３２に表示させる。またこのとき、登録部７０は、判別部６４（特徴抽出部６４ａ）を制御することで、第１カメラが撮像した画像（図８で選択された画像と同一の画像）から刻印情報を抽出する。登録部７０は、当該画像に割線が含まれている場合には、割線もあわせて抽出する。刻印情報の抽出には、公知の技術を採用できる。
【０１２８】
登録画像Ｉｍ５には、図１０に示すように、少なくとも画像表示領域Ａｒ５１、薬剤情報表示領域Ａｒ５２、画像調整領域Ａｒ５３、操作部表示領域Ａｒ５４、および「確定」ボタンが含まれる。
【０１２９】
画像表示領域Ａｒ５１は、第１カメラ１３１が撮像した画像を表示する領域である。画像表示領域Ａｒ５１には、図８で選択された画像と同一の画像が表示される。但し、画像表示領域Ａｒ５１には、１つの薬剤を複数の方向から撮像した画像が表示されても構わない。図１０では、１つの薬剤を異なる方向から撮像した４個の画像が表示されている。
【０１３０】
薬剤情報表示領域Ａｒ５２は、薬剤総合データベースから抽出した薬剤に関する薬剤データ（例：画像データ、薬剤名、および刻印情報（例：識別コード））を表示する領域である。画像調整領域Ａｒ５３は、画像の方向または大きさを調整する領域である。操作部表示領域Ａｒ５４は、画像調整領域Ａｒ５３に表示された画像の方向または大きさを調整するための操作部を表示する領域である。「確定」ボタンは、薬剤データベースへの登録を確定するものである。
【０１３１】
画像表示領域Ａｒ５１に表示された画像のうちの１つの画像が選択されると、登録部７０は、画像調整領域Ａｒ５３に当該画像を表示する。また、登録部７０は、検索画像Ｉｍ４の「選択」ボタンへのユーザ入力受付時に抽出した刻印情報を、画像調整領域Ａｒ５３に表示する。つまり、登録部７０は、抽出した刻印情報と選択した画像とを、画像調整領域Ａｒ５３に重畳表示する。
【０１３２】
登録部７０は、抽出した刻印情報を画像調整領域Ａｒ５３に表示する。登録部７０は、抽出した刻印情報の方向および大きさを、薬剤データベースで規定された方向および大きさにあわせた状態で、当該刻印情報を画像調整領域Ａｒ５３に表示する。そのため、画像調整領域Ａｒ５３に表示された刻印情報にあわせて、選択した画像の方向および大きさを変更することで、薬剤データベースで規定された方向および大きさの刻印情報を含む画像データを、薬剤データベースに登録できる。
【０１３３】
画像調整領域Ａｒ５３において、抽出した刻印情報と選択した画像とを重畳させた状態で、ユーザは、操作部表示領域Ａｒ５４に表示された操作部を操作する。これにより、ユーザは、選択した画像を回転させたり、上下または左右方向に移動させたり、当該画像の大きさを変更したりする。登録部７０は、当該操作部へのユーザ入力を反映した画像を画像調整領域Ａｒ５３に逐次表示する。これにより、ユーザは、画像調整領域Ａｒ５３を確認しながら、抽出した刻印情報の方向および大きさと略一致するように、選択した画像の方向、大きさおよび位置を変更できる。
【０１３４】
例えば図１０の（ａ）の場合、図１０の（ｂ）に示すように、登録部７０は、抽出した刻印情報を、画像調整領域Ａｒ５３に表示させた後、選択した画像を画像調整領域Ａｒ５３に表示させる。本例では、第１カメラ１３１が撮像した画像において刻印情報は下向きである。つまり、画像調整領域Ａｒ５３では、抽出した刻印情報と、選択した画像における刻印情報とは互いに反対の方向を向いている。なお、図１０の（ｂ）では、明瞭に区別できるように、抽出した刻印情報「ＳＷ３４４」の各文字を太字で示し、選択した画像における刻印情報「ＳＷ３４４」の各文字を点線で示している。
【０１３５】
この状態において、ユーザは、操作部表示領域Ａｒ５４に表示された操作部を操作して、選択した画像の方向、大きさおよび位置を変更することで、選択した画像に含まれる刻印情報を抽出した刻印情報の方向および大きさに略一致させる。これらの刻印情報の方向および大きさが略一致した状態で、ユーザは、「確定」ボタンを押下する。
【０１３６】
登録部７０は、「確定」ボタンへのユーザ入力を受付けると、画像調整領域Ａｒ５３で調整された画像を示す画像データ（調整後の画像データ）と、検索の結果選択された薬剤データとを紐付けて薬剤データベースに登録する。
【０１３７】
このように、本実施形態では、判別部６４（特徴抽出部６４ａ）は、第１カメラ１３１によって撮像された画像に含まれる薬剤に示された刻印情報（識別情報）を抽出する。表示制御部６７は、当該画像および刻印情報を表示部３２に表示する。具体的には、当該画像および刻印情報を、登録画像Ｉｍ５の画像調整領域Ａｒ５３に表示する。そして、登録部７０は、抽出した刻印情報が表示部３２に表示されるときの所定の方向（薬剤データベースで規定されている所定の方向）に、画像に含まれる薬剤に示された刻印情報の方向を一致させたときの、当該画像を示す画像データを登録する。
【０１３８】
これにより、薬剤データベースで規定された方向および大きさの刻印情報を含む画像データを、薬剤データベースに登録できる。そのため、判別部６４による薬剤データベースを用いた照合の正確性を向上させることができ、また迅速化を図ることができる。
【０１３９】
なお、図１０の（ａ）に示すように、画像表示領域Ａｒ５１に複数の画像が表示されている場合、登録部７０は、それぞれの画像について、上述した薬剤登録処理を行っても構わない。この場合、薬剤データベースには、１つの薬剤について、複数の画像データが登録される。また、登録部７０は、複数の画像から選択した１つの画像（例えば、刻印情報が明瞭に映っているとユーザが判断した画像）についてのみ、調整後の画像データを薬剤データベースに登録しても構わない。
【０１４０】
〔カプセルの場合の薬剤登録処理〕
次に、薬剤がカプセルである場合の薬剤登録処理について、図１１および図１２を用いて説明する。図１１は、カプセルを登録するときの登録画像Ｉｍ６の一例を示す図である。図１２は、別のカプセルを登録するときの登録画像Ｉｍ７の一例を示す図である。
【０１４１】
登録部７０は、薬剤がカプセルである場合、表示制御部６７を制御して、カプセルの周囲の複数の位置から撮像された複数の画像を表示部３２に表示させる。
【０１４２】
カプセルの場合、錠剤とは異なり、表面および裏面のいずれかに印字情報（例：識別コード）が表示されているとは限らない。そのため、登録部７０は、複数の画像を表示させることで、複数の画像のうち、印字情報が明確に含まれている画像を、登録対象の画像としてユーザに選択させることができる。従って、カプセルの場合であっても、薬剤データベースへの登録に適した画像データを登録できる。
【０１４３】
登録画像Ｉｍ６には、図１１に示すように、少なくとも画像表示領域Ａｒ６１、薬剤情報表示領域Ａｒ６２、画像調整領域Ａｒ６３、操作部表示領域Ａｒ６４、および「確定」ボタンが含まれる。各領域および「確定」ボタンのそれぞれは、図１０の（ａ）に示す画像表示領域Ａｒ５１、薬剤情報表示領域Ａｒ５２、画像調整領域Ａｒ５３、操作部表示領域Ａｒ５４、および「確定」ボタンと同様の機能を有する。但し、画像表示領域Ａｒ６１には、カプセルの周囲の複数の位置から撮像された複数の画像（本例では７個の画像）が表示される。
【０１４４】
図１１の例では、カプセルを２分割した領域のそれぞれに印字情報が付されている。ユーザは、上記７個の画像において、２分割した各領域の中央付近に印字情報が表示されている画像を選択する。つまり、ユーザは、各領域について、薬剤情報表示領域Ａｒ６２に表示された画像データに含まれる印字情報と可能な限り類似した印字情報を含む画像を選択する。本例では、ユーザは、３番目の画像および６番目の画像を選択する。その後、図１０を用いて説明した場合と同様の薬剤登録処理が行われる。
【０１４５】
つまり、ユーザは、画像調整領域Ａｒ６３において、画像表示領域Ａｒ６１において選択した画像の印刷情報が、撮像された薬剤の画像から抽出し、かつ所定の方向を向くように表示された印刷情報と略一致するように、当該画像の方向、大きさおよび位置を変更する。その後、選択した画像の印刷情報と抽出した印刷情報とが略一致した状態において、ユーザは「確定」ボタンを押下する。登録部７０は、「確定」ボタンへのユーザ入力を受付けると、調整後の画像データを、検索の結果選択された薬剤データとを紐付けて薬剤データベースに登録する。本例では、３番目の画像および６番目の画像のそれぞれについて薬剤登録処理が行われる。
【０１４６】
なお、薬剤データベースに登録されている画像データでは、薬剤情報表示領域Ａｒ６２に示されるように、一方の領域の印刷情報が上向きであり、他方の領域の印刷情報が下向きである。そのため、登録部７０は、一方の領域の印刷情報については上向きに、他方の領域の印刷情報については下向きに、それぞれ印字情報を画像調整領域Ａｒ６３に表示する。従って、ユーザは、３番目の画像の印刷情報は上向きの印刷情報と略一致させるように、また、６番目の画像の印刷情報は下向きの印刷情報と略一致させるように、各画像の方向、大きさおよび位置を変更する。
【０１４７】
また、カプセルの短手方向に印字情報が含まれている場合もある。この場合も図１１と同様に、登録部７０は、複数の方向から撮像した画像を表示部３２に表示させる。
【０１４８】
登録画像Ｉｍ６には、図１２に示すように、少なくとも画像表示領域Ａｒ７１、薬剤情報表示領域Ａｒ７２、画像調整領域Ａｒ７３、操作部表示領域Ａｒ７４、および「確定」ボタンが含まれる。各領域および「確定」ボタンのそれぞれは、図１１に示す画像表示領域Ａｒ６１、薬剤情報表示領域Ａｒ６２、画像調整領域Ａｒ６３、操作部表示領域Ａｒ６４、および「確定」ボタンと同様の機能を有する。
【０１４９】
ユーザは、画像表示領域Ａｒ７１に含まれる７個の画像において、２分割した各領域において印字情報がより多く含まれる画像を選択する。つまり、ユーザは、各領域について、薬剤情報表示領域Ａｒ７２に表示された画像データに含まれる印字情報と可能な限り類似した印字情報を含む画像を選択する。
【０１５０】
本例では、ユーザは、一方の領域については３番目、４番目および５番目の画像を選択すると共に、他方の領域については４番目および５番目の画像を選択する。そして、図１１を用いて説明した場合と同様に、一方の領域については、３番目、４番目および５番目の各画像についての調整が行われると共に、他方の領域については、４番目および５番目の各画像についての調整が行われる。ユーザは、抽出した印字情報と、選択した画像に含まれる印字情報との一致度が最も高い調整後の画像データについて、「確定」ボタンを押下する。これにより、登録部７０は、上記一致度が最も高い調整後の画像データを、検索の結果選択された薬剤データと紐付けて薬剤データベースに登録する。
【０１５１】
このように、薬剤がカプセルの場合であっても、薬剤データベースで規定された方向および大きさの印字情報を含む画像データを、薬剤データベースに登録できる。
【０１５２】
なお、ユーザは、印字情報がより多く含まれる画像の全てを選択しなくてもよい。例えば、ユーザは、各領域について、薬剤情報表示領域Ａｒ７２に表示された画像データに含まれる印字情報と可能な限り類似した印字情報を含む画像を１つ選択するだけでも構わない。
【０１５３】
また、薬剤データベースに登録されている画像データでは、薬剤情報表示領域Ａｒ７２に示されるように、一方の領域の印字情報は「ＡＢＣＤ（Ｅ）」、および他方の領域の印刷情報「５ｍｇ」は共に左向きである。そのため、登録部７０は、両領域の印字情報を表示するときに、それぞれ左向きの印字情報を画像調整領域Ａｒ７３に表示する。
【０１５４】
〔データ管理システム〕
次に、データ管理システムについて、図１３を用いて説明する。図１３は、データ管理システムの一例を示す図である。
【０１５５】
データ管理システムは、複数の薬剤仕分装置１と、薬剤仕分装置１のそれぞれと通信可能に接続できるデータ管理装置５００とを含む。薬剤仕分装置１およびデータ管理装置５００は、インターネット回線、または専用ＶＰＮ（Virtual Private Network）回線を介してデータの送受信を行う。なお、データ管理システムに含まれる薬剤仕分装置１は、１個であっても構わない。
【０１５６】
薬剤仕分装置１は、図１に示す制御部６０ａおよび記憶部８０に加え、データ管理装置５００とデータの送受信を行う送受信部１０１を備える。送受信部１０１は、例えば、仮判定エリアＡｒ１２に仕分けられた薬剤の画像データを、データ管理装置５００に送信する。
【０１５７】
データ管理装置５００は、送受信部５０１、制御部５０２、タッチパネル５０３、および記憶部５０４を備える。送受信部５０１は、薬剤仕分装置１とデータの送受信を行う。送受信部５０１は、例えば、送受信部１０１からの画像データを受信する。制御部５０２は、データ管理装置５００を統括的に制御するものであり、主として、登録部５２１を備える。登録部５２１は、図１に示す登録部７０と同様の機能を有する。タッチパネル５０３は、操作部５３１および表示部５３２を備える。タッチパネル５０３、操作部５３１および表示部５３２は、図１に示すタッチパネル３、操作部３１および表示部３２とそれぞれ同様の機能を有する。記憶部５０４は、薬剤総合データベース、および、薬剤データベースを記憶する。薬剤データベースは、各薬剤仕分装置１専用のものであっても、各薬剤仕分装置１に共通のものであっても構わない。
【０１５８】
例えば、データ管理装置５００では、送受信部５０１は、各薬剤仕分装置１において仮判定エリアＡｒ１２に仕分けられた薬剤の画像データを、各薬剤仕分装置１から受信する。そして、各画像データについて、上述した薬剤登録処理が行われる。登録部５２１は、調整後の画像データを、ユーザが特定した薬剤データと紐付けて薬剤データベースに登録する。
【０１５９】
制御部５０２は、送受信部５０１を制御して、調整後の画像データが登録された薬剤データベースを、各薬剤仕分装置１に送信する。なお、制御部５０２は、調整後の画像データと、当該画像データが紐付けられた薬剤データとを含むデータのみを、各薬剤仕分装置１に送信しても構わない。また、制御部５０２は、画像データを送信してきた薬剤仕分装置１にのみ、薬剤データベースを送信しても構わない。
【０１６０】
このように、データ管理装置５００は、薬剤仕分装置１において、画像データに対応する薬剤データが存在しないと判定された薬剤の画像データを受信する送受信部５０１と、ユーザにより特定された、画像データに係る薬剤の薬剤データを、当該画像データと紐付けて登録する登録部５２１と、を備える。これにより、薬剤仕分装置１が登録部７０を有していなくても（薬剤仕分装置１において薬剤登録処理が行われなくても）、薬剤データベースに推定薬剤の画像データを登録できる。
【０１６１】
また、本データ管理システムにおいては、データ管理装置５００は、各薬剤仕分装置１で用いられる薬剤データベースを管理する。そのため、薬剤データベースを各薬剤仕分装置１の記憶部８０で管理しなくても構わない。
【０１６２】
また、薬剤仕分装置１とデータ管理装置５００との間でのデータの送受信は、上述の回線を用いて行われなくても構わない。例えば、薬剤仕分装置１とは異なる通信装置（例：ＰＣ（Personal Computer））を用いて、データ管理装置５００とのデータの送受信が行われても構わない。また、相手先に送信すべきデータを格納した記憶媒体（例：ＨＤＤ（Hard Disk Drive）またはＤＶＤ（Digital Versatile Disc））を、相手先に送付しても構わない。通信装置または記憶媒体を用いる場合、薬剤仕分装置１は送受信部１０１を備える必要が無い。また、データ管理装置５００は、送受信部５０１を備える必要が無い。
【０１６３】
また、病院、病棟または薬局等で薬剤総合データベースを管理する場合、データ管理装置５００は、薬剤総合データベースを病院、病棟または薬局等に設置されたデータ管理装置に送信しても構わない。この場合、薬剤総合データベースを病院、病棟または薬局等で管理できる。また、薬剤総合データベースが格納された記憶媒体が、病院、病棟または薬局等に配布されても構わない。
【０１６４】
［実施形態２］
本発明の他の実施形態について、以下に説明する。なお、説明の便宜上、上記実施形態にて説明した部材と同じ機能を有する部材については、同じ符号を付記し、その説明を繰り返さない。以降の実施形態についても同様である。図１４の（ａ）は、配置領域Ａｒ２に移動してきた薬剤載置台１３３ａの一例を示す平面図であり、（ｂ）および（ｃ）は、薬剤の位置を調整した後の薬剤載置台１３３ａの一例を示す平面図である。
【０１６５】
本実施形態の薬剤仕分装置１は、登録部７０を備えている必要は無い。つまり、第２収容部１４において、確定エリアＡｒ１１および仮判定エリアＡｒ１２の２領域が設定されている必要は無い。この場合、制御部６０ａは、薬剤の種類を判別できた薬剤、および推定薬剤については、第２収容部１４のいずれかの仕分位置（仕分カップ１４１）に仕分ける。つまり、推定薬剤についても、仕分カップ１４１に空きがあれば、待機トレイ１５に仕分けられることなく、第２収容部１４に仕分けられる。
【０１６６】
つまり、本実施形態の薬剤仕分装置１は、その基本構成として、少なくとも以下の構成を有していればよい。なお、以降の実施形態においても同様である。
・複数種類の薬剤を混在した状態で収容する第１収容部１１。
・薬剤を種類毎に仕分けられた状態で収容する第２収容部１４。
・第１収容部１１から取出した薬剤を撮像する撮像ユニット１３。
・撮像ユニット１３によって撮像された画像に基づき、薬剤の種類を判別する判別部６４。
・判別部６４による判別結果に基づき、薬剤を種類毎に第２収容部１４へ格納する搬送・仕分ユニット１２。
【０１６７】
実施形態１で説明したように、図３の（ａ）および（ｂ）に示す旋回機構１３３ｂは、薬剤載置台１３３ａを振動させることが可能である。旋回機構１３３ｂが薬剤載置台１３３ａを振動させることで、刻印情報または印字情報を所定の方向に向かせることができる。
【０１６８】
ここで、図１４の（ａ）に示すように、旋回機構１３３ｂによって、薬剤載置台１３３ａが受入領域Ａｒ１から配置領域Ａｒ２に旋回して移動した場合に、薬剤に働く遠心力によって、薬剤が薬剤載置台１３３ａの端部まで移動することがある。この場合に、薬剤の大きさまたは形状に依らず一定の振動を行うと、薬剤載置台１３３ａの縁部に薬剤が連続して衝突することで、薬剤を所定の方向を向かせることができない可能性もある。所定の方向を向かせることができない場合、撮像回数が増加したり、刻印情報または印字情報の抽出が困難な画像しか撮像できなかったりする可能性がある。
【０１６９】
本実施形態の薬剤仕分装置１では、旋回機構１３３ｂ（揺動機構）は、薬剤載置台１３３ａに載置された薬剤の大きさおよび形状に基づき、配置領域Ａｒ２に配置された薬剤載置台１３３ａを揺動（振動）させる。
【０１７０】
具体的には、撮像制御部６３は、第１カメラ１３１が撮像した画像に基づき、画像に含まれる薬剤の長さ（大きさ）、および形状を特定する。なお、この特定には、公知の技術を採用できる。また、記憶部８０には、薬剤の長さ、薬剤の形状、薬剤載置台１３３ａの振動量（振動の大きさ）、および、単位時間当たりの振動回数が紐付けられて記憶されている。振動量および振動回数は、例えば実験等により設定される。
【０１７１】
薬剤が錠剤である場合、図１４の（ｂ）に示すように、例えば、図１４の（ａ）に示す状態から、一方の傾斜面部１３３ａｂを略水平としたときの傾斜面部１３３ａｂの中央付近に薬剤が載置されるように、振動量および振動回数が設定される。また、薬剤がカプセルである場合、図１４の（ｃ）に示すように、例えば、図１４の（ａ）に示す状態から、底面部１３３ａａを略水平としたときの底面部１３３ａａの中央付近に薬剤が載置されるように、振動量および振動回数が設定される。例えば、薬剤の長さ（大きさ）が小さい薬剤ほど、薬剤載置台１３３ａの振動に伴う移動量は大きくなるため、振動量は小さく設定される。
【０１７２】
撮像制御部６３は、撮像した画像から特定した薬剤の長さまたは形状に紐付けられた振動量および振動回数で、配置領域Ａｒ２において薬剤載置台１３３ａを振動させる。これにより、錠剤の場合には図１４の（ｂ）に示すように、また、カプセルの場合には図１４の（ｃ）に示すように、第１カメラ１３１が刻印情報または印刷情報を撮像しやすい位置に薬剤を載置できる。そのため、撮像回数の増加を防止できる。
【０１７３】
また、薬剤の大きさおよび形状に基づき薬剤載置台１３３ａを振動させることで、薬剤載置台１３３ａの振動により薬剤が薬剤載置台１３３ａから飛び出してしまうことを防止できる。また、薬剤載置台１３３ａの振動により、薬剤が薬剤載置台１３３ａの縁部と連続的に衝突することを防止できる。そのため、衝突による薬剤の破損の可能性を低減できる（薬剤への負担を軽減できる）。
【０１７４】
［実施形態３］
本実施形態では、判別処理の高速化について説明する。図１５は、第２カメラ１２１が第１収容部１１を撮像した画像の一例を示す図である。
【０１７５】
本実施形態の薬剤仕分装置１は、実施形態２で述べた基本構成に加え、実施形態１と同様、第１収容部１１に収容された薬剤を取出す吸着機構（取出機構）と、吸着機構が薬剤を取出すときに、当該薬剤を撮像する第２カメラ１２１（第２撮像部）と、を備える。
【０１７６】
搬送制御部６１は、第２カメラ１２１が撮像した画像に対する撮像制御部６３の解析結果に基づき、第１収容部１１に収容された複数種類の薬剤の中から、吸着機構に吸着させる薬剤を決定する。搬送制御部６１は、撮像制御部６３が検出した、画像に含まれる薬剤（物体）の輪郭の大きさに基づき、吸着機構に吸着させる薬剤を決定しても構わない。なお、輪郭の検出には、公知の技術が採用されてよい。また、薬剤を取出す順序は、予め設定されている。例えば、輪郭が大きい順に取出すよう設定されている。
【０１７７】
このように薬剤の大きさに基づき薬剤の取出し順序が設定されている場合、吸着機構は、同じ種類の薬剤を連続して取出す可能性が高い。例えば、図１５に示すように、第２カメラ１２１が撮像した画像に、種類（大きさ）の異なる薬剤「Ａ」〜「Ｅ」が含まれているものとする。大きさは、薬剤「Ａ」＞薬剤「Ｂ」＞薬剤「Ｃ」＞薬剤「Ｄ」＞薬剤「Ｅ」となっているものとする。
【０１７８】
上記のように薬剤を取出す順序が設定されている場合、図１５に示す例では、吸着機構は、まず薬剤「Ａ」を連続して取出す。薬剤「Ａ」の取出しが完了すると、次に薬剤「Ｂ」を連続して取出す。その後、薬剤「Ｃ」を連続して取出した後、薬剤「Ｄ」を連続して取出し、最後に薬剤「Ｅ」を連続して取出す。つまり、吸着機構は、薬剤「Ａ」〜薬剤「Ｅ」のそれぞれについて連続して取出している。
【０１７９】
この場合、判別部６４は、同種類の薬剤の判別処理を連続して行う可能性が高い。そのため、本実施形態の薬剤仕分装置１では、判別部６４は、第２カメラ１２１が撮像した画像において、吸着機構が今回取出した薬剤の輪郭と、吸着機構が前回までに取出した薬剤の輪郭との一致度が所定値以上であるか否かを判定する。そして、判別部６４は、一致度が所定値以上であると判定した場合には、前回までに取出した薬剤の種類を判別したときに適用した薬剤データを、今回取出した薬剤の種類の判別に適用する。
【０１８０】
なお、所定値は、例えば実験を行うことで、同種類の薬剤の輪郭同士を比較したときに、これらの輪郭を有する薬剤が同種類の薬剤であると判定できる程度に設定されていればよい。また、一致度の算出には、公知の技術が採用されてよい。また、一致度の判定は、例えば搬送制御部６１で行われても構わない。
【０１８１】
具体的には、撮像制御部６３は、第２カメラ１２１が撮像した画像を解析することで、第１収容部１１に含まれる全薬剤の輪郭を検出する。搬送制御部６１は、予め設定された薬剤の取出し順序に従い、取出す薬剤を決定する。搬送制御部６１は、取出す薬剤として決定した薬剤の輪郭を示す輪郭データを記憶部８０に記憶する。
【０１８２】
判別部６４は、実施形態１と同様、取出された薬剤について第１カメラ１３１が撮像した画像から当該薬剤の特徴を抽出し、当該特徴を薬剤データベースと照合することで、当該薬剤の種類を判別する。判別部６４は、このときに特定した薬剤の種類（薬剤データ）を、当該薬剤の輪郭データに紐付けて記憶部８０に記憶する。
【０１８３】
搬送制御部６１は、予め設定された薬剤の取出し順序に従い、次の薬剤を取出すと共に、当該薬剤の輪郭データを記憶部８０に記憶する。判別部６４は、前回取出された薬剤の輪郭データと今回取出した薬剤の輪郭データとを比較することで、これらの薬剤の輪郭の一致度を算出し、当該一致度が所定値以上であるか否かを判定する。判別部６４は、一致度が所定値以上であると判定した場合には、今回取出された薬剤の特徴を、前回取出された薬剤の輪郭データに紐付けられた薬剤データと照合することで、当該薬剤の種類を判別する。
【０１８４】
判別部６４は、前回取出された薬剤の薬剤データを用いて今回の薬剤の種類を判別できた場合、上記の処理を繰り返して行う。つまり、判別部６４は、今回取出された薬剤の輪郭データと、記憶部８０に記憶されている、前回までに取出された薬剤の輪郭データとの一致度が所定値以上である場合、今回取出された薬剤の特徴を、前回までに取出された薬剤の薬剤データと照合する。
【０１８５】
上述のように、同種類の薬剤が第１収容部１１に収容されている場合、同種類の薬剤を連続して取出すことになる。本実施形態では、上記一致度が所定値以上である場合に、前回と同種類の薬剤が取出されたものとして、今回取出された薬剤の種類を、前回までに取出された薬剤の薬剤データを用いて判別する。これにより、同種類の薬剤のそれぞれについて、実施形態１のように、第１カメラ１３１が撮像した画像から抽出した薬剤の特徴を、薬剤データベースと照合する必要が無い。そのため、薬剤の種類の判別に要する処理時間を短縮することが可能となる。
【０１８６】
なお、判別部６４は、上記一致度が所定値未満であると判別した場合には、前回の薬剤とは異なる種類の薬剤を取出したものと判定し、実施形態１と同様、薬剤データベースを用いて当該薬剤の種類を判別する。この判定結果を受けて、搬送制御部６１は、記憶部８０に記憶されている薬剤の輪郭データを、今回取出した薬剤の輪郭データに更新する。判別部６４は、以降の処理において、更新後の輪郭データを用いる。なお、輪郭データの更新処理は、搬送制御部６１が行っても構わない。
【０１８７】
ここで、種類は異なるが大きさが略同一である薬剤が、第１収容部１１に収容されている場合もある。この場合、今回取出された薬剤の大きさが前回までに取出された薬剤と略同一であるが、今回取出された薬剤の種類が前回までに取出された薬剤の種類とは異なることもある。この場合、判別部６４は、上記一致度が所定値以上であると判定するが、前回までに取出された薬剤の薬剤データを用いて照合を行っても、今回取出された薬剤の種類を判別できない。
【０１８８】
略同一の大きさを有するが、種類が異なる薬剤を連続して取出した場合、その都度、上記一致度が所定値以上であるか否かを判定すると共に、前回までに取出された薬剤の薬剤データを用いた照合を行う。そして、照合に失敗するたびに、判別部６４は、実施形態１と同様、今回取出された薬剤について第１カメラ１３１が撮像した画像を解析した結果と、薬剤データベースとを用いて、当該薬剤の種類を判別することとなる。従って、略同一の大きさであるが、種類が異なる薬剤を順次取出してしまった場合には、かえって処理時間を要してしまうことになる。
【０１８９】
そのため、判別部６４は、前回までに取出した薬剤の種類を判別したときに適用した薬剤データを、今回取出した薬剤の種類の判別に適用した場合に、所定回数以上、当該薬剤の種類を判別できなかった場合には、当該薬剤データの適用を中止しても構わない。この場合、略同一の大きさであるが、種類が異なる薬剤を順次取出した場合であっても、処理時間の増大を抑制できる。なお、所定回数は、処理時間の増大化への影響が少ない回数（例：３回）に設定されていればよい。
【０１９０】
なお、判別部６４は、前回までに取出した薬剤の種類を判別したときに適用した薬剤データの適用を中止した場合、実施形態１と同様、今回取出された薬剤について第１カメラ１３１が撮像した画像を解析した結果と、薬剤データベースとを用いることで、当該薬剤の種類を判別する。
【０１９１】
以上のように、本実施形態の薬剤仕分装置１は、以下の構成を有している。
【０１９２】
つまり、本実施形態の一態様に係る薬剤仕分装置１は、複数種類の薬剤を混在した状態で収容する第１収容部１１と、薬剤を種類毎に仕分けられた状態で収容する第２収容部１４と、薬剤を撮像する撮像ユニット１３（撮像部）と、撮像ユニット１３によって撮像された画像に基づき、薬剤の種類を判別する判別部６４と、判別部６４による判別結果に基づき、薬剤を種類毎に第２収容部１４へ格納する搬送・仕分ユニット１２（仕分部）と、第１収容部１１に収容された薬剤を取出す吸着機構（取出機構）と、吸着機構が薬剤を取出すときに、当該薬剤を撮像する第２カメラ１２１（第２撮像部）と、を備え、判別部６４は、第２カメラ１２１が撮像した画像において、吸着機構が今回取出した薬剤の輪郭と、吸着機構が前回までに取出した薬剤の輪郭との一致度が所定値以上である場合、前回までに取出した薬剤の種類を判別したときに適用した薬剤データを、今回取出した薬剤の種類の判別に適用する。
【０１９３】
また、本実施形態の一態様に係る薬剤仕分装置１は、上記の態様において、判別部６４は、前回までに取出した薬剤の種類を判別したときに適用した薬剤データを今回取出した薬剤の種類の判別に適用した場合に、所定回数以上、当該薬剤の種類を判別できなかった場合には、当該薬剤データの適用を中止しても構わない。
【０１９４】
［実施形態４］
本実施形態では、分包機７００の一例について説明する。図１６は、分包機７００の一例を説明するための図であり、（ａ）は分包機７００の正面図、（ｂ）はカセット格納機構７０５の一例を示す図であり、（ｃ）および（ｄ）は補充テーブル７０３の使用例を説明するための図である。図１７は、分包機７００の一例を示すブロック図である。
【０１９５】
分包機７００は、薬剤を分包するものであり、図１６の（ａ）および図１７に示すように、バーコードリーダ７０１、可変カセット装着部７０２、補充テーブル（充填テーブル）７０３、およびタッチパネル７０４を備える。分包機７００は、薬剤仕分装置１で仕分けられた薬剤の返却先である。また、図１６の（ｂ）および図１７に示すように、開閉扉７１０を開けた分包機７００の内部には、カセット格納機構７０５が備えられている。
【０１９６】
バーコードリーダ７０１は、薬剤仕分装置１または分包機７００で発行されたジャーナルに付されたバーコード、または、薬剤が収容された薬剤箱に付されたバーコードに含まれる情報を読取る。バーコードは、例えば、薬剤名等の識別情報が付与されたＧＳ１コードである。
【０１９７】
可変カセット装着部７０２は、装着された可変カセット８０１を駆動するものである。可変カセット８０１は、挿入された薬剤を、分包機７００に内蔵された分包機構（不図示）に払出す。
【０１９８】
補充テーブル７０３は、図１６の（ｃ）に示すように、固定カセット８００を載置可能な台である。補充テーブル７０３には、開閉扉７１０が設けられた分包機７００の前面側（固定カセット８００の取出し側）に補充テーブル７０３が引き出された状態において、カセット格納機構７０５に格納された複数の固定カセット８００のうちの１つの固定カセット８００が載置される。補充テーブル７０３の、固定カセット８００が載置される位置には、ＲＦＩＤリーダが設けられている。
【０１９９】
固定カセット８００の底部には、ＲＦＩＤタグが設けられている。ＲＦＩＤタグには、固定カセット８００に収容されている薬剤の薬剤データ（例：識別情報）が記憶される。固定カセット８００が補充テーブル７０３に載置されたときに、ＲＦＩＤリーダは、ＲＦＩＤタグに記憶された薬剤データを読み出す。
【０２００】
タッチパネル７０４は、各種ユーザ入力を受け付けるとともに各種画像を表示する。
【０２０１】
カセット格納機構７０５は、薬剤を収容する固定カセット８００を格納可能な固定カセット装着部７０５ｂ（カセット格納部）を複数備える。複数の固定カセット装着部７０５ｂ（各固定カセット装着部７０５ｂに格納された固定カセット８００）は、その全てが分包機７００の前面側に配置可能なように、Ｚ軸を中心として回動可能に設けられている。つまり、カセット格納機構７０５は、Ｚ軸を中心として回転する軸部７０５ａと、軸部７０５ａに略垂直に設けられた複数の固定カセット装着部７０５ｂを備える。
【０２０２】
また、図１７に示すように、分包機７００は、分包機７００の各部を制御する制御部７０６、および、各種データを記憶する記憶部７０７を備える。記憶部７０７には、例えば、各固定カセット装着部７０５ｂの位置と、各固定カセット８００に付されたカセット番号と、各固定カセット８００に収容された薬剤の識別情報とが紐付けられて記憶されている。
【０２０３】
固定カセット８００に薬剤が充填（または返却）される場合、ジャーナルまたは薬剤箱に付されたバーコードに含まれる識別情報をバーコードリーダ７０１が読取る。制御部７０６は、記憶部７０７を参照することで、読み取られた識別情報に紐付けられたカセット番号を特定すると共に、特定したカセット番号が付された固定カセット８００の格納位置を特定する。制御部７０６は、特定した格納位置が分包機７００の前面側となるように、軸部７０５ａを回転させる。これにより、ユーザは、薬剤の充填先となる固定カセット８００を容易に取出すことができる。
【０２０４】
ユーザは、分包機７００の前面側に配置された、薬剤の充填先となる固定カセット８００を取出し、補充テーブル７０３に載置することで、当該薬剤を当該固定カセット８００に収容できる。このとき、ＲＦＩＤリーダがＲＦＩＤタグに含まれる識別情報を読取ることで、制御部７０６は、ＲＦＩＤリーダが読み取った識別情報を、バーコードリーダ７０１が読み取った識別情報と照合する。これにより、薬剤の充填前にも、固定カセット８００が当該薬剤の充填先として適切な固定カセット８００であるか否かを判定できる。
【０２０５】
ここで、薬剤仕分装置１で仕分けられた薬剤の分包機７００への充填を考慮しない場合、上述のように、バーコードリーダ７０１で識別情報を読取ることを契機として、軸部７０５ａを回転させればよい。つまりこの場合、補充テーブル７０３のＲＦＩＤリーダによる識別情報の読取りを契機として、軸部７０５ａを回転させる必要は無い。
【０２０６】
しかし、薬剤仕分装置１で仕分けられた薬剤の分包機７００への充填を考慮した場合、仕分カップ１４１のＲＦＩＤタグに記憶された識別情報を読取ることを契機として、軸部７０５ａを回転させる必要がある。仕分カップ１４１のＲＦＩＤタグに記憶された識別情報を用いて、仕分カップ１４１に収容された薬剤と同種類の薬剤が収容された固定カセット８００を、分包機７００の前面側に配置して、当該固定カセット８００を取出し可能にする必要があるためである。
【０２０７】
薬剤仕分装置１で仕分けられた薬剤を、分包機７００に格納された固定カセット８００に充填する場合、ユーザは、固定カセット８００に充填すべき薬剤が収容された仕分カップ１４１を分包機７００まで運ぶ。そして、ユーザは、図１６の（ｄ）に示すように、分包機７００の補充テーブル７０３に載置する。つまり、補充テーブル７０３は、仕分カップ１４１を載置可能な台であるともいえる。
【０２０８】
薬剤仕分装置１では、仕分けられた薬剤の識別情報（薬剤データ）が、仕分カップ１４１のＲＦＩＤタグに記憶される。そのため、ＲＦＩＤリーダは、仕分カップ１４１が補充テーブル７０３に載置されたときに、仕分カップ１４１のＲＦＩＤタグに記憶された識別情報を読み出す。
【０２０９】
この場合、制御部７０６は、記憶部７０７を参照することで、ＲＦＩＤリーダが仕分カップ１４１のＲＦＩＤタグから読取った識別情報に紐付けられたカセット番号を特定すると共に、特定したカセット番号が付された固定カセット８００の格納位置を特定する。つまり、制御部７０６は、ＲＦＩＤリーダによる識別情報の読取りを契機として、特定した格納位置（固定カセット装着部７０５ｂ）が分包機７００の前面側に配置されるように、軸部７０５ａを回転させる。
【０２１０】
ユーザは、分包機７００の前面側に配置された、仕分カップ１４１に収容された薬剤の充填先となる固定カセット８００を取出し、補充テーブル７０３に載置することで、当該薬剤を当該固定カセット８００に収容できる。
【０２１１】
なお、補充テーブル７０３のＲＦＩＤリーダによる識別情報の読取りは、仕分カップ１４１が設けられた場合のみ行われればよい。例えば、補充テーブルに秤量装置（不図示）が設けられている場合、制御部７０６は、所定値未満の重量である場合に、仕分カップ１４１であると判定して、ＲＦＩＤリーダによって読取られた識別情報を用いて、軸部７０５ａを回転させても構わない。
【０２１２】
＜変形例＞
なお、カセット格納機構７０５は、複数の固定カセット装着部７０５ｂが軸部７０５ａを中心に回動する機構であったが、これに限られない。例えば、複数の固定カセット装着部が回動しない非回動型のカセット格納機構であっても構わない。
【０２１３】
図１８の（ａ）および（ｂ）は、非回動型のカセット格納機構７０５Ａの一例を示す図である。図１８の（ａ）は、カセット格納機構７０５Ａの正面図であり、（ｂ）は、カセット格納棚７０５１を引き出した状態のカセット格納機構７０５Ａの斜視図である。図１８の（ｃ）および（ｄ）は、非回動型のカセット格納機構７０５Ｂの一例を示す図である。図１８の（ｃ）は、カセット格納機構７０５Ｂの正面図であり、（ｄ）は、カセット格納棚７０５５を引き出した状態のカセット格納機構７０５Ｂの斜視図である。
【０２１４】
図１８の（ａ）に示すように、カセット格納機構７０５Ａは、分包機７００の前面側に引き出せる複数のカセット格納棚７０５１を備えている。カセット格納棚７０５１には、図１８の（ｂ）に示すように、底部７０５３と平行となるように、複数の仕切板７０５２が設けられている。複数の仕切板７０５２および底部７０５３により、複数の固定カセット装着部が形成されている。
【０２１５】
カセット格納棚７０５１の前面部には、報知部７０５４ａが設けられている。また、仕切板７０５２および底部７０５３の、複数の固定カセット装着部のそれぞれには、報知部７０５４ｂが設けられている。報知部７０５４ａおよび７０５４ｂは、薬剤の充填先として特定された固定カセット８００の格納位置を報知するための部材であり、例えば、ＬＥＤ（Light Emitting Diode）で実現される。制御部７０６は、上述のように、記憶部７０７を参照することで、薬剤の充填先としての固定カセット８００の格納位置を特定すると、当該格納位置が存在するカセット格納棚７０５１の報知部７０５４ａ、および、当該格納位置の報知部７０５４ｂを点灯する。
【０２１６】
また、図１８の（ｃ）に示すように、カセット格納機構７０５Ｂは、分包機７００の前面側に引き出せる複数のカセット格納棚７０５５を備えている。カセット格納棚７０５５には、図１８の（ｄ）に示すように、底部７０５６を奥行き方向（引出し方向）に２分割する仕切板７０５７が設けられている。底部７０５６には、仕切板７０５７を挟んで両側に、かつ奥行き方向に固定カセット８００を載置できる複数の固定カセット装着部が形成されている。
【０２１７】
カセット格納棚７０５５の前面部には、報知部７０５４ａと同様の機能を有する報知部７０５８ａが設けられている。また、底部７０５６の、複数の固定カセット装着部のそれぞれには、報知部７０５４ｂと同様の機能を有する報知部７０５８ｂが設けられている。制御部７０６は、上述のように、記憶部７０７を参照することで、薬剤の充填先としての固定カセット８００の格納位置を特定すると、当該格納位置が存在するカセット格納棚７０５５の報知部７０５８ａ、および、当該格納位置の報知部７０５８ｂを点灯する。
【０２１８】
なお、非回動型のカセット格納機構は、図１８に示す構成に限られない。例えば、カセット格納棚は１つであっても構わない。また、図１８の（ａ）の形態において、１つのカセット格納棚が奥行き方向に延伸する仕切板によって分割され、奥行き方向に２列に固定カセット８００を載置する構成であっても構わない。また、図１８の（ｃ）の形態において、１つのカセット格納棚が仕切板によって分割されておらず、奥行き方向に１列に固定カセット８００を載置する構成であっても構わない。
【０２１９】
また、非回動型のカセット格納機構は、１つのカセット格納棚に対して複数の固定カセット装着部が設けられた構成ではなくても構わない。例えば、複数の固定カセット装着部の全てが、分包機７００の前面側を向くように配置され、かつ前面側に引出し可能な構成であっても構わない。この場合、複数の固定カセット装着部のそれぞれに報知部が設けられる。
【０２２０】
以上のように、本変形例に係る非回動型のカセット格納機構においては報知部を備えることで、ユーザが所望の固定カセット８００を取出すことが可能となる。
【０２２１】
なお、報知部は、タッチパネル７０４であっても構わない。この場合、例えば、タッチパネル７０４に各格納位置を示す画像が表示されており、制御部７０６は、薬剤の充填先としての固定カセット８００の格納位置を特定したときに、当該格納位置を強調表示する。また、図１８に示すような１つのカセット格納棚に複数の固定カセット装着部が設けられている場合には、当該格納位置に加え、当該格納位置が存在するカセット格納棚も強調表示する。
【０２２２】
［実施形態５］
薬剤仕分装置１は、図１９に示すようなユーザ設定画像（ユーザ設定画面）Ｉｍ８を表示しても構わない。図１９は、ユーザ設定画像Ｉｍ８の一例を示す図である。
【０２２３】
ユーザ設定画像Ｉｍ８は、図１９に示すように、第１収容部１１に収容された薬剤を、分包機７００または薬剤棚に返却せずに廃棄するための仕分条件を設定可能な仕分条件設定領域Ａｒ８１、Ａｒ８２およびＡｒ８３を備える。
【０２２４】
仕分条件設定領域Ａｒ８１は、分包機７００が払出した最終分包日からの経過日数の入力を受付けることが可能な領域である。各薬剤の最終分包日を示す情報は、分包機７００から取得可能である。制御部６０ａは、薬剤仕分日が、取得した情報が示す最終分包日から入力された日数以上経過している薬剤については、判別処理を行わず、回収トレイ１６へ搬送する。
【０２２５】
分包機７００の固定カセット８００に返却される薬剤は、返却時点で固定カセット８００に収容されている薬剤の上に載置されることになる。固定カセット８００に収容されている薬剤よりも製造日の古い薬剤を返却した場合、当該薬剤が固定カセット８００の上方に収容されることになる。一般に、固定カセット８００の下方から薬剤が払出されるため、製造日の古い薬剤を返却した場合には、当該薬剤がなかなか払出されない。そのため、製造日の古い薬剤の方が上方に収容されることは、薬剤の運用または安全上好ましくない。また、製造日の古い薬剤を薬剤棚の薬剤容器に返却したり、分包紙で分包して薬剤棚に返却したりする場合も同様である。
【０２２６】
本実施形態では、仕分条件設定領域Ａｒ８１で仕分条件として上記経過日数を設定できるため、製造日の古い薬剤については回収トレイ１６へ搬送できる。そのため、当該薬剤を廃棄できるので、当該薬剤の利用を回避できる。
【０２２７】
また、仕分条件設定領域Ａｒ８２は、上記仕分条件としての薬価単価の入力を受付可能な領域である。各薬剤の薬価単価は、例えば、薬剤データに紐付けて記憶部８０に記憶されている。仕分条件設定領域Ａｒ８２に薬価単価が入力されている場合、制御部６０ａは、当該薬価単価以下の薬剤については、判別処理を行わず、回収トレイ１６へ搬送する。
【０２２８】
また、仕分条件設定領域Ａｒ８３は、上記仕分条件としての、ユーザが廃棄したい薬剤の薬剤名を入力可能な領域である。仕分条件設定領域Ａｒ８３に薬剤名が入力されている場合、制御部６０ａは、当該薬剤については、判別処理を行わず、回収トレイ１６へ搬送する。
【０２２９】
このように、仕分条件設定領域Ａｒ８２およびＡｒ８３に入力された情報に該当する薬剤を回収トレイ１６へと搬送できる。つまり、仕分条件設定領域Ａｒ８１を用いた場合と同様、ユーザが廃棄したいと所望する薬剤を回収トレイ１６へ搬送できる。そのため、当該薬剤を廃棄できるので、当該薬剤の利用を回避できる。
【０２３０】
［実施形態６］
本実施形態では、図１を用いて、薬剤仕分処理の時間短縮のための構成について説明する。本実施形態の薬剤仕分装置１は、実施形態２で述べた基本構成を備えていればよい。つまり、実施形態２と同様、登録部７０を備えている必要は必ずしもなく、また、第２収容部１４において、確定エリアＡｒ１１および仮判定エリアＡｒ１２の２領域が設定されている必要は必ずしも無い。
【０２３１】
図１等を用いて実施形態１で説明したように、判別部６４は、第１カメラ１３１が撮像した画像に基づき、薬剤の種類を判別する。例えば、判別部６４は、可視光画像及び紫外光画像を解析することにより、大きさ、形状、刻印、プリント、割線、代表色等の薬剤の特徴を抽出し、当該薬剤の特徴を薬剤データベースと照合する。具体的には、判別部６４は、抽出した薬剤の特徴のうちの少なくとも１つを用いて、薬剤データベースの中から薬剤データの候補を絞り込んだ後、刻印またはプリントに表された識別情報等を読取り、パターンマッチング等を用いて上記候補の中から薬剤の種類をさらに絞込む。
【０２３２】
ここで、薬剤データベースに登録される薬剤データ数の増加は、抽出した薬剤の特徴と照合する薬剤データ数の増加を意味する。そのため、薬剤データ数が増加すればするほど、抽出した薬剤の特徴と薬剤データベースとの照合時間が増大することになり、ひいては、薬剤仕分処理の処理時間が増大してしまう。
【０２３３】
本実施形態の薬剤仕分装置１では、上記処理時間の増大を抑制するために、判別部６４が以下の機能を有する。つまり、判別部６４は、第１カメラ１３１によって撮像された画像から抽出した薬剤の特徴を、登録された複数種類の薬剤に関する薬剤データのうち、所定期間内（例：１か月以内）に分包機７００によって分包された薬剤に関する薬剤データと照合することで、薬剤の種類を判別する。つまり、判別部６４は、所定期間内に分包機７００によって分包された実績のある薬剤に関する薬剤データを、撮像された画像から抽出された薬剤の特徴の照合対象とする。
【０２３４】
分包機７００（図１６参照）および薬剤仕分装置１では、それぞれ分包機７００および薬剤仕分装置１の分包機構６で分包された日時を、分包対象となった薬剤データと紐付けて管理する。薬剤仕分装置１および分包機７００が通信可能に接続される場合、薬剤仕分装置１は、分包機構６で分包された日時だけでなく、分包機７００で分包された日時も管理できる。なお、分包機７００および薬剤仕分装置１の分包機構６で分包された日時の管理は、分包機７００及び薬剤仕分装置１と通信可能に接続される上位システムで行われても構わない。また、薬剤仕分装置１は、受信した処方データ（例：１患者単位の処方箋情報）に基づき、分包機７００または分包機構６で分包された日時を特定しても構わない。
【０２３５】
判別部６４は、薬剤データベースの中から、分包された日時が所定期間内である薬剤データを抽出し、抽出した薬剤データを、撮像した画像から抽出した薬剤の特徴との照合対象とする。これにより、薬剤データベースに登録されている全ての薬剤データを、必ずしも当該照合対象とする必要は無いため、上記照合時間（薬剤の種類の判別処理時間）を削減することが可能となる。
【０２３６】
薬剤仕分装置１で仕分けられた薬剤は、分包機構６または分包機７００で分包されたり、薬剤棚へ返却されたりする。つまり、仕分け後の薬剤は、処方のために用いられる。そのため、古い薬剤（例：分包された日時が所定期間外の薬剤）については、廃棄対象（分包または返却の対象外）となるため、薬剤仕分装置１での仕分けが要求される可能性は低い。そのため、所定期間内に分包された薬剤に関する薬剤データを照合対象としても、第１収容部１１に収容された薬剤の種類を判別できる可能性は高い。
【０２３７】
なお、所定期間内に分包された薬剤に関する薬剤データに、撮像された画像に含まれる薬剤の特徴が含まれていない場合には、搬送・仕分ユニット１２は、当該薬剤を待機トレイ１５へと搬送しても構わない。また、実施形態１の場合であれば、搬送・仕分ユニット１２は、当該薬剤を待機トレイ１５、又は第２収容部１４に設定された仮判定エリアＡｒ１２へと搬送しても構わない。さらに、判別部６４は、薬剤データベースに登録された全ての薬剤データ（照合対象とした薬剤データを除く）を照合対象としても構わない。
【０２３８】
［実施形態７］
本実施形態では、図１を用いて、薬剤仕分処理の時間短縮のための構成について説明する。本実施形態の薬剤仕分装置１は、実施形態６と同様、実施形態２で述べた基本構成を備えていればよい。
【０２３９】
本実施形態の薬剤仕分装置１は、図１に示すように、上記基本構成に加え、待機トレイ１５および仕分制御部６２を備える。待機トレイ１５は、実施形態１でも説明したように、第２収容部１４に格納できなかった薬剤を仮置きするトレイ（仮収容部）である。仕分制御部６２は、実施形態１でも説明したように、判別部６４による判別結果に基づき、薬剤の仕分位置を決定する。加えて、仕分制御部６２は、決定した仕分位置と、判別部６４が照合に使用した薬剤データとを紐付けて記憶部８０に記憶する。
【０２４０】
また、本実施形態の薬剤仕分装置１では、判別部６４は、待機トレイ１５に収容された薬剤を第２収容部１４に収容する場合（再仕分けする場合）、以下の処理を行う。つまり、判別部６４は、待機トレイ１５から取出され、かつ第１カメラ１３１によって撮像された当該薬剤の画像を、仕分制御部６２で決定された仕分位置としての待機トレイ１５に紐付けられた薬剤データと照合することで、当該薬剤の種類を判別する。
【０２４１】
なお、再仕分けする場合の上記処理は、判別部６４とは異なる別の判別部（第２判別部）で行われても構わない。本実施形態では、当該処理を判別部６４が行う（つまり、判別部６４が第２判別部の機能を有する）ものとして説明する。
【０２４２】
第２収容部１４に確定エリアＡｒ１１及び仮判定エリアＡｒ１２が設定されていない場合、種類が判別した薬剤は、その種類毎に第２収容部１４の仕分カップ１４１に収容される。全ての仕分カップ１４１に薬剤が収容された状態において、仕分カップ１４１に収容された薬剤の種類とは異なる種類の薬剤であると判別された場合、当該薬剤は、待機トレイ１５に収容される。また、第２収容部１４に確定エリアＡｒ１１及び仮判定エリアＡｒ１２が設定されている場合、確定エリアＡｒ１１に薬剤を収容できなくなった場合には、その後確定エリアＡｒ１１への収容対象となった薬剤については、待機トレイ１５に収容されても構わない。
【０２４３】
待機トレイ１５に収容された薬剤については、第２収容部１４の仕分カップ１４１に空きができた後に、再仕分けが行われる。つまり、待機トレイ１５に収容された薬剤は、再度第１カメラ１３１によって撮像された後、判別部６４による判別結果に基づき、空いている仕分カップ１４１に収容される。
【０２４４】
この場合、判別部６４は、撮像された画像から薬剤の特徴を抽出し、当該薬剤の特徴を、薬剤データベースに登録された全ての薬剤データと照合を行っても構わない。しかし、全ての薬剤データとの照合には、登録された薬剤データ数分の処理時間を要する。また、待機トレイ１５に収容される前に上記照合を行った結果として薬剤の種類を判別できているため、待機トレイ１５から取出された後も同様に、登録された全ての薬剤データとの照合を行う必要は必ずしもない。
【０２４５】
そこで、判別部６４は、待機トレイ１５に収容された薬剤の再仕分けを行う場合、待機トレイ１５から取出した後に撮像した薬剤の画像を、登録されている全ての薬剤データのうち、待機トレイ１５が仕分位置として登録されている薬剤データと照合する。具体的には、判別部６４は、撮像した薬剤の画像から薬剤の特徴を抽出し、抽出した薬剤の特徴を、待機トレイ１５が仕分位置として登録されている薬剤データと照合する。
【０２４６】
つまり、判別部６４は、待機トレイ１５に収容された薬剤の判別結果（識別結果）として、決定した仕分位置（待機トレイ１５）と、判別部６４が当該薬剤の照合に使用した薬剤データとを紐付けて記憶しておく。その結果、種類の判別に１度成功した薬剤を待機トレイ１５に収容した場合、再仕分けのための２度目の種類の判別時には、判別部６４は、待機トレイ１５に収容され、かつ種類が判別している薬剤に関する薬剤データのみを用いて、当該薬剤の種類を判別できる。そのため、判別処理の時間を短縮できると共に、薬剤の識別率を向上させることが可能となる。
【０２４７】
［実施形態８］
本実施形態では、図１６、図１７および図２０〜図２２を用いて、分包機７００側での処理の一例について説明する。
【０２４８】
分包機７００は、固定カセット８００、可変カセット８０１、及び手撒きユニット７０９から供給される薬剤を、自機が備える分包機構（不図示）により分包して払出す。分包機７００は、例えば、処方データ（例：１患者単位の処方箋情報）に基づき、所定の分包単位（例：服用時期単位）で薬剤を分包する。なお、分包機７００は、散薬を払出す散薬供給ユニットを備えていても構わない。
【０２４９】
分包機７００は、実施形態４で説明したように、薬剤仕分装置１で仕分けられた薬剤を、分包機７００に格納された固定カセット８００に充填する場合、ユーザは、固定カセット８００に充填すべき薬剤が収容された仕分カップ１４１を分包機７００まで運ぶ。そして、ユーザは、図１６の（ｄ）に示すように、分包機７００の補充テーブル７０３に載置する。補充テーブル７０３のＲＦＩＤリーダ（カセット照合用リーダ）は、仕分カップ１４１のＲＦＩＤタグから、当該仕分カップ１４１に収容された薬剤に関する情報（例：識別情報（例：ＹＪコード）および薬剤の個数）を読取る。制御部７０６は、ＲＦＩＤリーダによる識別情報の読取りを契機として、特定した格納位置（固定カセット装着部７０５ｂ）が分包機７００の前面側に配置されるように、全ての固定カセット装着部７０５ｂを一律に回動させる。
【０２５０】
なお、実施形態４では、分包機７００が軸部７０５ａを備え、制御部７０６は、上記特定した固定カセット装着部７０５ｂが前面側に配置されるように、軸部７０５ａを回転させているが、これに限られない。本明細書の分包機７００において軸部７０５ａを備える必要は必ずしもない。つまり、分包機７００は、上記特定した固定カセット装着部７０５ｂが前面側に配置されるように、全ての固定カセット装着部７０５ｂを周方向に一律に回動する回動機構を備えていればよい。
【０２５１】
本実施形態の分包機７００では、ＲＦＩＤリーダによる識別情報の読取りを契機として、仕分カップ１４１に収容された薬剤を、固定カセット８００に充填するだけではなく、可変カセット８０１及び手撒きユニット７０９へ充填し、分包できるようにしても構わない。
【０２５２】
以下に、固定カセット８００、可変カセット８０１、及び手撒きユニット７０９について説明する。
【０２５３】
＜固定カセット＞
固定カセット８００は、予め定められた種類の薬剤を払出対象とするカセット（薬剤カセット）である。固定カセット８００は、払出される対象が特定種類の薬剤に限定された専用カセットであるともいえる。つまり、固定カセット８００には、特定種類の薬剤が予め収容される（予め定められた薬剤が収容される）。
【０２５４】
ここで、「特定種類」とは、薬剤の名称（成分）等に基づき分類された薬剤の種類に限らず、薬剤の大きさ（重量）、薬剤の形状、薬剤の表面の状態（質感）、薬剤の硬さ等、様々な指標のうちの少なくとも１つの指標が同一であることを指す。つまり、固定カセット８００は、薬剤の種類、大きさ、形状、表面の状態、及び硬さ等のうちの少なくとも１つの指標が同一である薬剤の払出しに限定されたものである。なお、薬剤の表面の状態とは、例えば、つるつるしている、ざらざらしている等の触り心地を指す。
【０２５５】
固定カセット８００は、収容されている薬剤を単位量毎（例：１錠ずつ）払出すことが可能である。例えば、固定カセット８００は、薬剤が収容される薬剤収容部と、薬剤収容部の下方に設けられ、薬剤収容部に収容された薬剤を個別に払出す薬剤払出部とを備える。
【０２５６】
＜可変カセット＞
図２０の（ａ）は、可変カセット８０１の構成例を示す斜視図である。可変カセット８０１は、払出指示が示す種類の薬剤を払出対象とするカセット（薬剤カセット）である。可変カセット８０１は、払出される対象が特定種類の薬剤に限定されていない汎用カセットであるともいえる。つまり、可変カセット８０１には、複数種類の薬剤のうちの１種類の薬剤が収容される。可変カセット８０１は、固定カセット８００とは異なり、可変カセット８０１には予め決められた特定種類の薬剤が収容されているわけではなく、例えば処方データに応じて、可変カセット８０１に収容される薬剤を適宜変更できる。可変カセット８０１は、駆動条件の変更により、収容された任意の種類の薬剤を単位量毎に払出すことが可能である。また、可変カセット８０１は、収容される薬剤の種類に応じて、薬剤の通過経路幅を変更可能なカセットであるともいえる。
【０２５７】
可変カセット８０１は、可変カセット装着部７０２に取外し可能に装着できる。可変カセット装着部７０２は、可変カセット８０１を装着可能な装着ユニット（モーターベース）である。可変カセット装着部７０２は、装着された可変カセット８０１から薬剤を払出すために、制御部７０６からの薬剤払出の指示を受けて、当該薬剤の駆動機構に駆動力を供給する。つまり、制御部７０６は、可変カセット装着部７０２を介して可変カセット８０１を制御する。
【０２５８】
薬剤を払出すときに、ユーザが所有する可変カセット８０１のうちの１つに、払出対象の薬剤が割り付けられる。その後、当該可変カセット８０１が可変カセット装着部７０２に設けられている場合には、可変カセット装着部７０２のロックが解除され、可変カセット８０１が可変カセット装着部７０２から取外し可能な状態となる。ユーザは、可変カセット８０１に割り付けられた薬剤を収容した後、当該可変カセット８０１を可変カセット装着部７０２に戻すことで、当該可変カセット８０１からの薬剤の払出しが可能となる。
【０２５９】
可変カセット８０１は、図２０の（ａ）に示すように、主として、第１回転体８０１１、第２回転体８０１２、高さ規制体８０１３、および幅規制体８０１４を備える。第１回転体８０１１および第２回転体８０１２は、回転することで、投入された薬剤を払出口８０１５まで搬送する薬剤搬送機構である。高さ規制体８０１３および幅規制体８０１４は、第２回転体８０１２上に、薬剤が一列に並んで払出口８０１５へ搬送可能な、薬剤の通過経路（通過経路幅；移送高さｈ１及び移送幅ｗ１）を規定する部材である。
【０２６０】
＜手撒きユニット＞
図２０の（ｂ）は、手撒きユニット７０９の構成例を示す斜視図である。手撒きユニット７０９は、払出す薬剤をユーザにより投入することが可能なユニットである。手撒きユニット７０９は、図２０の（ｂ）に示すように、ユーザにより分包単位で薬剤が投入される複数の手撒き収容部７０９ａ（マス）と、各手撒き収容部７０９ａに収容された薬剤を手撒き収容部７０９ａ毎に払出す手撒き払出部７０９ｂと、を備える。
【０２６１】
複数の手撒き収容部７０９ａはマトリクス状に配置されている。手撒き払出部７０９ｂは、例えば、各手撒き収容部７０９ａの底面に、各手撒き収容部７０９ａを個別に開閉可能なように設けられる。ユーザは、どの薬剤をどの手撒き収容部７０９ａに収容するかを表記した指示書を確認しながら、各手撒き収容部７０９ａに薬剤を収容する。その後、制御部７０６の制御を受けて、自機の分包機構で分包されるタイミングに合わせて、各手撒き収容部７０９ａが個別に開くことにより、各手撒き収容部７０９ａに収容された薬剤が払出される。
【０２６２】
指示書は、制御部７０６によって発行される。制御部７０６は、仕分カップ１４１に収容された薬剤、または処方データに含まれる薬剤を、どのユニット（例：固定カセット８００、可変カセット８０１、手撒きユニット７０９）から払出すのかを特定する。制御部７０６は、払出先として手撒きユニット７０９を特定した場合、仕分カップ１４１毎に、又は処方データに基づき、薬剤を収容する手撒き収容部７０９ａの位置を特定する。この特定により、制御部７０６は、薬剤を収容する手撒き収容部７０９ａの位置を指示書に印字する。
【０２６３】
＜本実施形態における処理＞
次に、仕分カップ１４１に収容された薬剤を薬剤棚（不図示）に戻す場合の処理の一例について説明する。図２１は、分包機７００における分包処理の一例を示すフローチャートである。
【０２６４】
ユーザは、まず、仕分カップ１４１を補充テーブル７０３に載置する。補充テーブル７０３のＲＦＩＤリーダは、仕分カップ１４１のＲＦＩＤタグから、当該仕分カップ１４１に収容された薬剤の識別情報を読取る（Ｓ１）。
【０２６５】
次に、制御部７０６は、指定された薬剤の充填先が、可変カセット８０１であるか、または手撒きユニット７０９であるかを特定する（Ｓ２）。
【０２６６】
ここで、分包機７００が実装している薬剤の情報は、薬剤仕分装置１に記憶される。そのため、薬剤仕分装置１は、当該情報に基づき、仕分カップ１４１に収容された薬剤が分包機７００に実装されていないと判定した場合に、当該薬剤の充填先として、可変カセット８０１または手撒きユニット７０９を指定する。そして、指定した充填先を示す充填先情報（返却先情報）を印字したジャーナルを発行する。可変カセット８０１および手撒きユニット７０９の何れを指定するかは、例えば薬剤の種類毎に決められていても構わない。
【０２６７】
また、薬剤仕分装置１には、分包機７００において使用可能な可変カセット８０１についての情報も記憶される。そのため、薬剤仕分装置１は、仕分カップ１４１に収容された薬剤を割り付けるために使用する可変カセット８０１を指定できる。なお、ユーザが複数の分包機７００を所有している場合、薬剤仕分装置１には、分包機７００毎に使用可能な可変カセット８０１についての情報が記憶される。
【０２６８】
制御部７０６は、例えばバーコードリーダ７０１で読取られたジャーナルの充填先情報を参照することで、仕分カップ１４１に収容された薬剤の充填先を特定する。このとき、制御部７０６は、Ｓ１で読取られた識別情報を参照することで、参照するジャーナルの適否を判定する。
【０２６９】
制御部７０６は、指定された薬剤の充填先が可変カセット８０１である場合（Ｓ２でＹＥＳ）、ジャーナルから読取った充填先情報に示された可変カセット８０１を、仕分カップ１４１に収容された薬剤を払出すための部材として特定する（Ｓ３）。その後、制御部７０６は、特定した可変カセット８０１を取外し可能な状態とする。
【０２７０】
次に、制御部７０６は、特定した可変カセット８０１に薬剤を充填するよう、ユーザに対して通知を行う。ユーザは、特定された可変カセット８０１に、仕分カップ１４１に収容された薬剤を収容した後、例えば分包開始のユーザ操作を行う。これにより、制御部７０６は、当該薬剤の分包処理を行う（Ｓ４）。つまり、仕分カップ１４１に収容されていた薬剤を当該可変カセット８０１から払出し、例えば薬品棚に戻すために分包することが可能となる。
【０２７１】
制御部７０６は、指定された薬剤の充填先が手撒きユニット７０９である場合（Ｓ２でＮＯ）、手撒きユニット７０９を、仕分カップ１４１に収容された薬剤を払出すための部材として特定する（Ｓ５）。この場合、制御部７０６は、当該薬剤を収容する手撒き収容部７０９ａの位置を決定し、その決定結果を反映した指示書を発行する。ユーザは、指示書を確認しながら、仕分カップ１４１に収容された薬剤を手撒き収容部７０９ａに収容した後、例えば分包開始のユーザ操作を行う。これにより、制御部７０６は、当該薬剤の分包処理を行う（Ｓ６）。つまり、仕分カップ１４１に収容されていた薬剤を手撒きユニット７０９から払出し、例えば薬品棚に戻すために分包することが可能となる。
【０２７２】
このように、仕分カップ１４１に収容された薬剤の充填先として、可変カセット８０１または手撒きユニット７０９が特定される。そして、分包機７００は、可変カセット８０１または手撒きユニット７０９から払出された薬剤を、薬剤棚へ戻すために分包する。つまり、仕分カップ１４１に収容された薬剤は、分包機７００に実装されていない薬剤（非実装の薬剤）であることを前提として分包される。そのため、ユーザは、仕分カップ１４１に収容された薬剤を、分包機７００に実装されているか否かを意識することなく薬剤棚に充填できる。
【０２７３】
薬剤仕分装置１の分包機構６で分包する場合、仕分カップ１４１に収容された薬剤を吸着機構で１つずつ吸着して、分包機構６へと搬送する必要がある。可変カセット８０１または手撒きユニット７０９を用いた場合、仕分カップ１４１に収容された薬剤を一度に可変カセット８０１または手撒きユニット７０９に収容でき、可変カセット８０１または手撒きユニット７０９から順次払出すことができる。そのため、分包機構６を用いた分包に比べて、処理時間を短縮できる。また、仕分カップ１４１を早期に空にし、収容されていた薬剤とは異なる種類の薬剤を仕分けるために用いることが可能となる。
【０２７４】
また、分包機構６は薬剤仕分装置１のオプション機能であるため、薬剤仕分装置１に設けられていない場合もある。この場合であっても、仕分カップ１４１に収容された薬剤を分包機７００によって分包できる。
【０２７５】
また、使用可能な可変カセット８０１の数の分、複数の仕分カップ１４１のそれぞれに収容された薬剤を各可変カセット８０１に収容できる。また、手撒きユニット７０９の、薬剤を収容可能な手撒き収容部７０９ａの数の分、複数の仕分カップ１４１のそれぞれに収容された薬剤を各手撒き収容部７０９ａに収容できる。そのため、複数の仕分カップ１４１のそれぞれに収容された薬剤を、同時期に分包していくことが可能となる。
【０２７６】
なお、Ｓ２、Ｓ４およびＳ５の処理は、ユーザにより行われても構わない。例えば、ユーザは、薬剤仕分装置１により発行されたジャーナルを確認することにより、仕分カップ１４１に収容された薬剤の充填先を特定しても構わない。この場合、制御部７０６は、仕分カップ１４１から読取った識別情報をタッチパネル７０４に表示する。これにより、ユーザは、当該薬剤用のジャーナルであるか否かを確認できる。
【０２７７】
また、上記の処理では、仕分カップ１４１に収容された薬剤は、固定カセット８００には収容されない。しかし、当該薬剤を払出すことが可能な空の固定カセット８００を固定カセット装着部７０５ｂに装着しておくことで、制御部７０６は、仕分カップ１４１に収容された薬剤の充填先として、当該固定カセット８００を特定しても構わない。
【０２７８】
＜本実施形態における別処理＞
分包機７００における分包処理の別例について説明する。図２２は、分包機７００における分包処理の別例を示すフローチャートである。
【０２７９】
ここでは、分包機７００が、処方データに基づき薬剤を分包する場合について説明する。なお、払出対象の薬剤を収容する固定カセット８００そのものが無い場合に、薬剤仕分装置１で仕分けられた薬剤の中に払出対象の薬剤があるものとして説明する。
【０２８０】
まず、制御部７０６は、処方データを受け付けると（Ｓ２１）、処方データに含まれる薬剤（払出対象の薬剤）が収容された固定カセット８００の有無を判定する（Ｓ２２）。制御部７０６は、該当する固定カセット８００が存在すると判定した場合には（Ｓ２２でＹＥＳ）、当該固定カセット８００を、当該薬剤を払出すためのカセットとして特定する（Ｓ２３）。
【０２８１】
制御部７０６は、該当する固定カセット８００が存在しないと判定した場合には（Ｓ２２でＮＯ）、ユーザが所有する可変カセット８０１のうち、使用可能な可変カセット８０１が存在するか否かを判定する（Ｓ２４）。
【０２８２】
制御部７０６は、使用可能な可変カセット８０１が存在すると判定した場合（Ｓ２４でＹＥＳ）、当該可変カセット８０１を、払出対象の薬剤を払出すためのカセットとして特定する（Ｓ２５）。つまり、制御部７０６は、当該可変カセット８０１に払出対象の薬剤の識別情報を割り付ける。
【０２８３】
また、制御部７０６は、特定した可変カセット８０１に薬剤を充填するよう、ユーザに対して通知を行う。ユーザは、当該薬剤を収容する仕分カップ１４１を薬剤仕分装置１から取出し、当該仕分カップ１４１を補充テーブル７０３に載置する。これにより、補充テーブル７０３のＲＦＩＤリーダは、仕分カップ１４１のＲＦＩＤタグに記憶された識別情報を読取る（Ｓ２６）。制御部７０６は、読取られた識別情報が、特定した可変カセット８０１に割り付けられた識別情報と一致すると判定した場合、当該可変カセット８０１を、薬剤投入可能な状態とする（例：可変カセット装着部７０２のロックを解除）。その後、ユーザは、可変カセット８０１に、仕分カップ１４１に収容された薬剤を収容した後、例えば分包開始のユーザ操作を行う。これにより、払出対象の薬剤を当該可変カセット８０１から払出すことが可能となる。
【０２８４】
制御部７０６は、使用可能な可変カセット８０１が存在しないと判定した場合（Ｓ２４でＮＯ）、手撒きユニット７０９を、払出対象の薬剤を払出すユニットとして特定する（Ｓ２７）。この場合、制御部７０６は、処方データに基づき、払出対象の薬剤を収容する手撒き収容部７０９ａの位置を決定し、その決定結果を反映した指示書を発行する。ユーザは、指示書を確認しながら、仕分カップ１４１に収容された薬剤（払出対象の薬剤）を手撒き収容部７０９ａに収容した後、例えば分包開始のユーザ操作を行う。これにより、払出対象の薬剤を手撒きユニット７０９から払出すことが可能となる。
【０２８５】
制御部７０６は、処方データに含まれる全ての薬剤について、上記のように払出先を特定する。その後、制御部７０６は、処方データに基づき、固定カセット８００、可変カセット８０１、及び／又は手撒きユニット７０９から薬剤を払出し、分包する（Ｓ２８）。
【０２８６】
なお、固定カセット８００に収容された薬剤が空になった場合には、制御部７０６は、当該固定カセット８００に当該薬剤を収容する旨の通知をユーザに行っても構わない。この場合、ユーザは、当該通知を確認することで、当該薬剤が収容された仕分カップ１４１を薬剤仕分装置１から取出し、補充テーブル７０３に載置する。これにより、制御部７０６は、該当する固定カセット８００が分包機７００の前面側に配置されるように、全ての固定カセット装着部７０５ｂを回動させるため、ユーザは、仕分カップ１４１に収容された薬剤を当該固定カセット８００に収容できる。
【０２８７】
なお、上記では、固定カセット８００の使用可否を判定した後、可変カセット８０１の使用可否を判定し、その後、手撒きユニット７０９の使用可否を判定しているが、これに限られない。制御部７０６は、処方データに含まれる薬剤の種類毎に、固定カセット８００、可変カセット８０１および手撒きユニット７０９の何れから払出すのかを特定しても構わない。例えば、制御部７０６は、薬剤の種類毎に予め定められた払出先情報に従って、薬剤の払出先を特定する。つまりこの場合、制御部７０６は、固定カセット８００および可変カセット８０１の使用可否を判定することなく、処方データに含まれる薬剤の払出先を特定するため、図２２に示す処理方法に比べ、分包の処理時間を短縮できる。
【０２８８】
［実施形態９］
本実施形態では、図１を用いて、判別処理の一例について説明する。実施形態１で説明したように、仕分制御部６２は、画像における推定薬剤の色、形状、または当該薬剤に付された情報のうちの少なくとも１つに基づき、仮判定エリアＡｒ１２における仕分位置を決定する。具体的には、仕分制御部６２は、推定薬剤の色、形状、または当該薬剤に付された情報のうちの少なくとも１つが一致するとみなされる推定薬剤同士の仕分位置が同一となるように、仕分位置を決定する。
【０２８９】
この一致するか否かの判定に用いられる閾値は、固定値ではなく、ユーザ操作により変更できるようになっていても構わない。つまり、推定薬剤の色、形状、または当該推定薬剤に付された情報のうちの少なくとも１つが一致するか否かの判定を行う閾値を可変に設定でき、仕分制御部６２は、仮判定エリアＡｒ１２における仕分位置を決定するときに、当該閾値を用いて上記判定を行っても構わない。
【０２９０】
仮判定エリアＡｒ１２において、同一の仕分カップ１４１に収容すべきと考える上記判定の基準は、ユーザによって異なる。例えば、白色であれば、大きさ又は形状が多少異なっていても、同一の仕分カップ１４１に収容したいと考えるユーザも存在すれば、色も大きさ及び形状もある程度一致しないと同一の仕分カップ１４１には収容できないと考えるユーザも存在する。また、表面の刻印情報と裏面の刻印情報とがある程度一致しないと同一の仕分カップ１４１には収容できないと考えるユーザも存在する。
【０２９１】
ユーザ操作により設定された閾値を用いることで、各ユーザの基準に沿って、仮判定エリアＡｒ１２における薬剤の仕分けを行うことができる。
【０２９２】
また、例えば、色または形状等のある程度の違いをも許容しないように閾値を厳しく設定することで、薬剤の種類を特定できなかった場合であっても、薬剤の種類の候補をできる限り絞込むことが可能となる。そのため、特徴の一致度が比較的高い薬剤同士を、仮判定エリアＡｒ１２に配置された同一の仕分カップ１４１に収容できる。
【０２９３】
特に持参薬の場合、ユーザが処方した薬剤ではないため、当該薬剤に比べ、その種類を特定するための検索範囲が広がり、膨大となる。従って、持参薬の場合は特に、一致度が比較的高い薬剤同士が仮判定エリアＡｒ１２に配置された同一の仕分カップ１４１に収容されるように閾値を設定することで、次回の種類特定において上記検索範囲を狭くすることが可能となる。
【０２９４】
また、仕分制御部６２は、薬剤の種類を特定できずとも、仕分カップ１４１に収容した薬剤の画像を、当該薬剤の薬剤データに紐付けて記憶する。そのため、種類を特定できなかった薬剤のエビデンスを残すことが可能となる。例えば持参薬については、ユーザが処方した薬剤ではないため、その種類の特定に困難が伴いやすい。当該画像を記憶しておくことで、当該画像を持参薬の特定等において有効に活用できる。
【０２９５】
また、仮判定エリアＡｒ１２の仕分カップ１４１の数は、有限でかつ少ない。色または形状等のある程度の違いを許容するように閾値を設定することで、仮判定エリアＡｒ１２において使用する仕分カップ１４１の数を減少させることができる。
【０２９６】
なお、閾値としては、複数の判定対象に対してそれぞれのレベル（厳密さ）を設定できる。例えば、判定対象が色である場合、一致すると判定する色度の範囲、判定対象が形状の場合、一致すると判定する形状の範囲が、閾値として設定される。また、複数の判定対象のための閾値を用いるかどうかについても設定できる。例えば、判定対象が色および形状である場合、使用する判定対象として、色のみ、形状のみ、または、色および形状の両方を選択できる。
【０２９７】
上記レベルの調整のための操作部としては、タッチ式ＬＥＤレベルバー、ダイヤル式の操作部、クイックホイール式の操作部等、種々のものが挙げられる。また、上記判定対象の具体例としては、薬剤の色および形状の他、例えば、刻印情報の有無、刻印情報の位置、薬剤の大きさが挙げられる。刻印情報の位置が「片面」に設定された場合、刻印情報が片面にあるものは同一種類の薬剤の候補として抽出され、「両面」に設定された場合には、刻印情報が両面にあるものに限り同一種類の薬剤の候補として抽出される。また、薬剤の大きさの閾値は、１ｍｍ単位で設定可能である。
【０２９８】
［実施形態１０］
本実施形態では、図１を用いて、薬剤仕分処理の時間短縮のための構成について説明する。本実施形態の薬剤仕分装置１は、実施形態６と同様、実施形態２で述べた基本構成を備えていればよい。
【０２９９】
全ての仕分カップ１４１に薬剤が収容された場合、空の仕分カップ１４１ができるまで、全ての仕分カップ１４１に収容された薬剤とは異なる種類の薬剤を、仕分カップ１４１に仕分けることができない。
【０３００】
薬剤仕分装置１の制御部６０ａは、仕分カップ１４１に収容された薬剤の個数に依らず、所定の条件を満たした場合に、仕分カップ１４１に収容された薬剤を分包対象として特定する。例えば、制御部６０ａは、分包機７００が実装していない薬剤（非実装薬剤）を収容する仕分カップ１４１、またはユーザが選択した仕分カップ１４１を、分包対象の薬剤を収容する仕分カップ１４１として特定する。この場合、分包対象として特定された薬剤の個数が多ければ多いほど、その分、分包処理に時間を要することとなる。
【０３０１】
本実施形態では、仕分カップ１４１に収容された薬剤を分包対象とするか否かを判定するための個数を予め設定しておく。制御部６０ａは、全ての仕分カップ１４１に薬剤が収容されたときに、各仕分カップ１４１に収容された薬剤の個数が、予め設定された個数以下である仕分カップ１４１を特定する。そして、制御部６０ａは、特定した仕分カップ１４１に収容された薬剤を、分包対象の薬剤として特定する。
【０３０２】
そのため、収容された個数が少ない薬剤により占有された仕分カップ１４１を、優先的に空の状態（次の薬剤の仕分けのために使用可能な状態）とすることができる。そのため、全ての仕分カップ１４１に薬剤が収容された場合であっても、空の仕分カップ１４１をより短時間に準備できるので、薬剤仕分処理の時間短縮を図ることが可能となる。
【０３０３】
また、全ての仕分カップ１４１に薬剤が収容された場合には、何れかの仕分カップ１４１を空にするために、ユーザは、例えば分包機構６を動作させる必要がある。また、例えば、当該仕分カップ１４１を取出して、当該仕分カップ１４１に収容された薬剤を、分包機７００または薬剤棚へ充填する必要がある。できる限り薬剤の分包を行いたくないユーザとっては特に、これらの作業が負担になる可能性がある。
【０３０４】
上述のように、制御部６０ａは、全ての仕分カップ１４１に薬剤が収容されたときに、各仕分カップ１４１に収容された薬剤の個数が、予め設定された個数以下である仕分カップ１４１に収容された薬剤を、分包機構６による分包対象として決定する。つまり、ユーザ操作を介することなく、自動で空の仕分カップ１４１を準備できる。従って、上記作業によるユーザの負担を軽減できる。
【０３０５】
なお、確定エリアＡｒ１１及び仮判定エリアＡｒ１２が設定されている場合についても同様に適用できる。つまり、制御部６０ａは、確定エリアＡｒ１１の全ての仕分カップ１４１に薬剤が収容されたときに、収容された薬剤の個数が予め設定された個数以下である仕分カップ１４１を特定する。そして、制御部６０ａは、特定した仕分カップ１４１に収容された薬剤を、分包機構６による分包対象としても構わない。仮判定エリアＡｒ１２の全ての仕分カップ１４１に薬剤が収容されたときも同様である。
【０３０６】
［実施形態１１］
本実施形態では、図１および図２３を用いて、吸着パッド１２２ｃの取付忘れ防止のための構成について説明する。図２３の（ａ）及び（ｂ）は、吸着機構１２２ａの動作例を示す図である。本実施形態の薬剤仕分装置１は、実施形態６と同様、実施形態２で述べた基本構成を備えていればよい。
【０３０７】
図１等を用いて実施形態１で説明したように、吸着・シャッター機構１２２は、搬送対象として特定された薬剤を吸着する吸着機構１２２ａを備える。吸着機構１２２ａは、図２３の（ａ）に示すように、空気が流れる空気管１２２ｂと、空気管１２２ｂの先端部に、搬送対象の薬剤に接触する吸着パッド１２２ｃと、を備える。吸着パッド１２２ｃは、空気が流れる空気管１２２ｂを介して、真空を発生させる（空気を吸引する）真空ポンプ（不図示）に接続されている。
【０３０８】
吸着パッド１２２ｃは、空気管１２２ｂから取り外して清掃できる。清掃後、吸着パッド１２２ｃは空気管１２２ｂに取り付けられる。搬送制御部６１は、吸着パッド１２２ｃの取付忘れを防止するために、例えば薬剤仕分装置１の動作開始時に、第１収容部１１の底部又は台座１９（基準面）から所定の高さまで吸着機構を降下させる。所定の高さは、吸着パッド１２２ｃが取り付けられた状態において、吸着パッド１２２ｃが基準面に接触する程度の高さに設定される。
【０３０９】
搬送制御部６１は、所定の高さにおいて吸引を行うことで、空気管１２２ｂにおける流量を測定する。流量に変化があれば吸着パッド１２２ｃが取り付けられていると判定し、流量に変化がなければ吸着パッド１２２ｃが取り付けられていないと判定する。
【０３１０】
しかし、上記手法で吸着パッド１２２ｃが取り付けられているか否かを判定する場合、薬剤仕分装置１毎に、所定の高さ、および、吸着パッド１２２ｃのサイズを厳密に規定する必要がある。そのため、薬剤仕分装置１毎に、所定の高さの調整および吸着パッド１２２ｃのサイズの測定に、時間および手間を要する。また、吸着パッド１２２ｃの個体差による誤判定が発生する可能性もある。
【０３１１】
本実施形態では、吸着パッド１２２ｃが取り付けられる吸着機構１２２ａの先端面を基準面に近づけたときに、当該基準面と、当該先端面における少なくとも２箇所との距離がそれぞれ異なるように、当該基準面に対する当該先端面の位置が規定される。
【０３１２】
具体的には、図２３の（ａ）に示すように、台座１９に傾斜台２１を備える。傾斜台２１は、吸着機構１２２ａの先端面（吸着パッド１２２ｃが取り付けられている場合、吸着パッド１２２ｃの底面）に対して傾斜する傾斜面２１ａを有する。傾斜面２１ａが上記基準面である。
【０３１３】
吸着機構１２２ａを傾斜面２１ａから所定の高さまで近付け、吸引した場合を考える。所定の高さは、吸着パッド１２２ｃが取り付けられているときに、吸着パッド１２２ｃの一部（ここでは第１部分Ｐｒ１）が接触する程度の位置に規定される。
【０３１４】
吸着パッド１２２ｃが取り付けられている場合、第１部分Ｐｒ１と傾斜面２１ａとの間に隙間がほとんど生じないため、第１部分Ｐｒ１での流量の変化が大きくなる。そのためこの場合、搬送制御部６１は、流量の変化が閾値以上になった（流量が閾値未満になった）と判定でき、吸着パッド１２２ｃが取り付けられていると判定できる。
【０３１５】
なお、吸着パッド１２２ｃにおける各位置と傾斜面２１ａとの距離に応じて、当該各位置における流量の変化量が異なる。この流量の変化量の違いにより、吸着パッド１２２ｃの形状は変化する。具体的には、上記距離が近いほど吸着パッド１２２ｃにおける流量の変化が更に大きくなるように（例えば、第２部分Ｐｒ２よりも第１部分Ｐｒ１の方が流量の変化が更に大きくなるように）、吸着パッド１２２ｃの形状が変化する。そのため、第１部分Ｐｒ１の流量は、第２部分Ｐｒ２の流量に比べ大きく変化しやすい。
【０３１６】
但し、吸着パッド１２２ｃの形状が変化した場合であっても、吸着パッド１２２ｃは、傾斜面２１ａに吸着する。そのため、搬送制御部６１は、傾斜台２１を用いた場合であっても、流量の変化に基づき吸着パッド１２２ｃの取付有無を判定できる。
【０３１７】
一方、吸着パッド１２２ｃが取り付けられていない場合、吸着パッド１２２ｃの厚み分、第１部分Ｐｒ１と傾斜面２１ａとの間に隙間が生じてしまい、第１部分Ｐｒ１においても流量の変化はほとんど生じない。そのため、搬送制御部６１は、流量の変化が閾値未満である（流量が閾値以上のままである）と判定でき、吸着パッド１２２ｃが取り付けられていないと判定できる。
【０３１８】
また、図２３の（ｂ）に示すように、吸着機構１２２ａを第１収容部１１の壁面１１ａに近付けることで、吸着パッド１２２ｃが取り付けられているか否かを判定しても構わない。この場合、壁面１１ａが上記基準面である。
【０３１９】
吸着機構１２２ａを第１収容部１１の内部へ降下させた後、壁面１１ａから所定距離まで近付け、吸引した場合を考える。所定距離は、吸着パッド１２２ｃが取り付けられているときに、吸着パッド１２２ｃの一部（ここでは第２部分Ｐｒ２）が接触する程度の位置に規定される。
【０３２０】
吸着パッド１２２ｃが取り付けられている場合、第２部分Ｐｒ２と壁面１１ａとの間に隙間がほとんど生じないため、第２部分Ｐｒ２での流量の変化が大きくなる。そのためこの場合、搬送制御部６１は、流量の変化が閾値以上になったと判定でき、吸着パッド１２２ｃが取り付けられていると判定できる。なお、上述したのと同様、吸着パッド１２２ｃにおける各位置と壁面１１ａとの距離に応じて吸着パッド１２２ｃにおける流量の変化量が異なることにより、吸着パッド１２２ｃの形状は変化する。これに起因して、第２部分Ｐｒ２の流量は、第１部分Ｐｒ１の流量に比べ大きく変化しやすい。
【０３２１】
一方、吸着パッド１２２ｃが取り付けられていない場合、少なくとも吸着パッド１２２ｃの形状の変化による流量の変化は生じない。そのため、流量の変化が生じたとしても、吸着パッド１２２ｃが取り付けられている場合よりもその変化は小さい。そのため、搬送制御部６１は、流量の変化が閾値未満であると判定でき、吸着パッド１２２ｃが取り付けられていないと判定できる。
【０３２２】
上記の構成によれば、傾斜面２１ａ又は壁面１１ａまでの吸着機構１２２ａの移動距離を、厳密に規定する必要が無くなる。吸着パッド１２２ｃが取り付けられている場合には、吸着パッド１２２ｃの形状の変化により、流量の変化がより大きくなるためである。そのため、上記移動距離を厳密に規定するための時間および手間を削減できる。
【０３２３】
また、所定の高さまたは所定距離を、基準面と吸着パッド１２２ｃとの接触位置よりも若干離れた位置に設定しておくことも可能となる。吸着パッド１２２ｃの個体差、または吸着パッド１２２ｃの設計変更等により、様々な形状または大きさの吸着パッド１２２ｃが混在して使用されることも想定される。上記のように所定の高さまたは所定距離を設定することで、搬送制御部６１は、様々な形状または大きさの吸着パッド１２２ｃに依らず、吸着パッド１２２ｃの取付有無を安定的に検出できる。
【０３２４】
［実施形態１２］
本実施形態では、図１、図３、図４、図１４および図２４を用いて、所定の形状を有する薬剤の種類を精度良く判別するための構成について説明する。図２４は、細長い形状の薬剤の一例を示す図であり、（ａ）は平面図、（ｂ）は側面図である。本実施形態の薬剤仕分装置１は、実施形態６と同様、実施形態２で述べた基本構成を備えていればよい。
【０３２５】
実施形態１で説明したように、図３の（ａ）および（ｂ）に示す旋回機構１３３ｂは、薬剤載置台１３３ａを振動させることが可能である。旋回機構１３３ｂが薬剤載置台１３３ａを振動させることで、刻印情報または印字情報を所定の方向（例えば上向き（＋Ｚ軸方向））に向かせることができる。また、薬剤載置台１３３ａを振動させることで、薬剤載置台１３３ａにおいて、中央付近に存在しない薬剤を略中央へと移動させることができる。また、薬剤が錠剤である場合、図１４の（ｂ）に示すように、旋回機構１３３ｂは、薬剤載置台１３３ａの傾斜面部１３３ａｂが略水平となるように、軸部１３３ｃを回転させる。
【０３２６】
そして、図４の（ａ）および（ｂ）に示すように、旋回機構１３３ｂは、第１カメラ１３１および照明器１３４を含む撮像機構を、配置領域Ａｒ２の周囲を旋回するように回動させる。これにより、第１カメラ１３１は、配置領域Ａｒ２において、例えばθ＝０°、４５°、１３５°および１８０°の４箇所から、薬剤載置台１３３ａに載置された薬剤を撮像できる。
【０３２７】
しかし、薬剤の形状によっては、旋回機構１３３ｂによる振動により薬剤を略中央へ移動させようとした場合に、当該振動により、刻印情報又は印字情報が所定の方向以外の方向（意図しない方向）に向いてしまう場合がある。例えば、図２４の（ａ）および（ｂ）に示すような薬剤ＭＤ（例：ソタコール（登録商標））の場合、刻印情報（図２４の（ａ）では「ＡＡＡ  ０００」）が意図しない方向を向いてしまう可能性がある。
【０３２８】
薬剤ＭＤにおいて、上面ＭＤｔに刻印情報が付され、側面ＭＤｓには刻印情報は付されていない。また、上面ＭＤｔ又は下面ＭＤｕだけでなく側面ＭＤｓも、所定の面積以上の面積を有する平面形状となっている。そのため、上面ＭＤｔ、下面ＭＤｕ及び側面ＭＤｓのいずれが薬剤載置台１３３ａの底部と対向しても、薬剤は起立してしまうことになる。なお、このような形状を有する薬剤は、図２４の（ａ）および（ｂ）に示すように細長い形状となっている場合が多い。
【０３２９】
側面ＭＤｓが薬剤載置台１３３ａの底部と対向することにより薬剤が起立した場合、刻印情報は横方向（Ｚ軸方向に略垂直な方向）を向いてしまうことになる。第１カメラ１３１は所定の位置（例：上記４箇所）から撮像するため、その向きによっては、刻印情報を識別できる程度に撮像できない可能性がある。
【０３３０】
本実施形態の薬剤仕分装置１では、旋回機構１３３ｂは、薬剤の形状に基づき、薬剤載置台１３３ａに与える振動の大きさ、および、傾斜面部１３３ａｂの傾斜角度を変更するための軸部１３３ｃの回転速度を変更する。
【０３３１】
具体的には、判別部６４は、撮像した画像を解析することで、薬剤の長辺の長さＬ１および短辺の長さＬ２を取得し、当該薬剤のアスペクト比を算出する。判別部６４は、当該薬剤のアスペクト比に基づき、短辺の長さＬ２に対する長辺の長さＬ１の割合（長辺の長さＬ１／短辺の長さＬ２）が所定値以上であるか否かを判定する。所定値は、例えば実験等を経て、側面ＭＤｓを下方にした状態で起立する薬剤を検出できる程度の大きさに設定されていればよい。
【０３３２】
判別部６４は、短辺の長さＬ２に対する長辺の長さＬ１の割合が所定値以上であると判定した場合（つまり側面ＭＤｓを下方にした状態で起立する薬剤であると判定した場合）、所定値以上であるときの設定値に従い、上記振動の大きさおよび回転速度を設定する。撮像制御部６３は、旋回機構１３３ｂを制御して、当該設定値に従い設定した振動の大きさおよび回転速度で、薬剤載置台１３３ａを振動および回転させる。
【０３３３】
例えば、上記設定値としては、短辺の長さＬ２に対する長辺の長さＬ１の割合が所定値未満であるときの設定値に比べ、振動も回転速度も小さく設定される。振動は例えば０に設定される。
【０３３４】
このように、短辺の長さＬ２に対する長辺の長さＬ１の割合が所定値以上である場合には、振動も回転速度も小さくすることで、側面ＭＤｓを下方にした状態で起立する薬剤を、薬剤載置台１３３ａで起立しないように、薬剤載置台１３３ａを動かすことができる。そのため、薬剤載置台１３３ａの動きによって、刻印情報が所定の方向以外の方向を向かないようにすることができるので、薬剤の種類の判別（薬剤の識別）を精度良く行うことが可能となる。
【０３３５】
また、薬剤が側面ＭＤｓを下方にした状態で起立することを抑制できる。そのため、当該状態となったことに起因した、再度の薬剤の撮像および種類の判別の発生を抑制できる。従って、効率良く薬剤を判別し、仕分けることが可能となる。
【０３３６】
［実施形態１３］
本実施形態では、図１、図２０および図２５を用いて、分包処理の時間短縮のための構成について説明する。図２５の（ａ）は、変形例としての薬剤仕分装置１Ａの構成例を示す図であり、（ｂ）及び（ｃ）は、仕分カップ搬送機構１２５の先端部の形状および動作を説明するための図である。
【０３３７】
薬剤仕分装置１Ａは、図２５の（ａ）に示すように、仕分カップ搬送機構１２５および可変カセット８０１を備える点で、薬剤仕分装置１とは異なる。つまり、薬剤仕分装置１Ａは、仕分カップ搬送機構１２５および可変カセット８０１以外の構成については、薬剤仕分装置１と同様の構成及び機能を有する。薬剤仕分装置１Ａは、少なくとも実施形態２で述べた基本構成を備えていればよい。
【０３３８】
薬剤仕分装置１Ａは、分包機構６を備える。分包機構６は、当該薬剤を一時的に保持する包装ホッパー６ａと、当該薬剤を分包した分包紙を熱融着するヒーターローラー６ｂとを備える。可変カセット８０１から払出された薬剤は、包装ホッパー６ａを介して、ヒーターローラー６ｂへと移送され、ヒーターローラー６ｂで分包紙に分包される。
【０３３９】
また、薬剤仕分装置１Ａは、図２０の（ａ）に示す可変カセット８０１を備える。可変カセット８０１は、薬剤投入口１７に投入された薬剤を１錠ずつ払出すものである。可変カセット８０１は、薬剤投入口１７から投入された薬剤を第１回転体８０１１で受取ることが可能なように、薬剤投入口１７の下方に設置される。また、可変カセット８０１は、包装ホッパー６ａが第２回転体８０１２により払出口８０１５から払出された薬剤を受取ることが可能なように、包装ホッパー６ａの上方に設置される。なお、薬剤仕分装置１Ａは、可変カセット８０１を装着し、かつ駆動する可変カセット装着部（不図示）を備える。
【０３４０】
吸着・シャッター機構１２２は、吸着機構（例：図２３の吸着機構１２２ａ）と、図２５の（ａ）に示すような仕分カップ搬送機構１２５とを備える。吸着機構及び仕分カップ搬送機構１２５は、共に±Ｚ軸方向の移動が可能である。吸着機構は、搬送対象として特定された薬剤を吸着するものである。そのため、搬送制御部６１または仕分制御部６２は、薬剤を搬送するときに、吸着機構の±Ｚ軸方向の移動を制御する。一方、仕分カップ搬送機構１２５は、第２収容部１４および薬剤投入口１７の間において、仕分カップ１４１を移動させるものである。そのため、仕分制御部６２は、薬剤を分包機構６で分包するときに、仕分カップ搬送機構１２５の±Ｚ軸方向の移動を制御する。
【０３４１】
図２５の（ｂ）に示すように、仕分カップ搬送機構１２５は、例えば、把持部１２５ａ、回動部１２５ｂ及び支持部１２５ｃを備える。把持部１２５ａは、仕分カップ１４１を把持する。把持部１２５ａは、図２５の（ｂ）の例では、開閉動作を行うことが可能な２つの爪部により実現されている。回動部１２５ｂは、Ｚ軸方向と略垂直な方向に延伸する回転軸を有し、把持部１２５ａを回動させる。支持部１２５ｃは、その先端部で把持部１２５ａを支持する。
【０３４２】
仕分制御部６２は、仕分カップ１４１に収容された薬剤を分包機構６で分包する場合、搬送機構１２３を制御して、当該薬剤を収容する仕分カップ１４１上に、仕分カップ搬送機構１２５に移動させる。その後、仕分制御部６２は、仕分カップ搬送機構１２５を下方に移動させ、把持部１２５ａに仕分カップ１４１を把持させる。
【０３４３】
仕分制御部６２は、把持部１２５ａが仕分カップ１４１を把持した状態で、薬剤投入口１７の上方に仕分カップ搬送機構１２５を移動させた後、回動部１２５ｂを駆動することで、把持部１２５ａを上方に回動させる。これにより、仕分カップ１４１に収容された薬剤を薬剤投入口１７に投入できる。
【０３４４】
制御部６０ａは、可変カセット８０１に薬剤が投入される前に、高さ規制体８０１３および幅規制体８０１４を駆動して、当該薬剤のサイズに基づき移送高さｈ１及び移送幅ｗ１を調整する。そして、制御部６０ａは、例えば可変カセット８０１に薬剤が投入されたときに、第１回転体８０１１および第２回転体８０１２を回転させることで、投入された薬剤を包装ホッパー６ａへ１錠ずつ払出す。これにより、分包機構６により当該薬剤を分包できる。
【０３４５】
仕分カップ１４１に収容された薬剤を、吸着機構を用いて分包機構６へ払出す場合、仕分カップ１４１に収容された薬剤を１つずつ吸着して、薬剤投入口１７へ搬送する必要がある。そのため、当該薬剤の個数が多ければ多いほど、当該薬剤の払出しに時間を要する。また、空の仕分カップ１４１を準備するのにも時間を要する。
【０３４６】
薬剤仕分装置１Ａのように、可変カセット８０１を薬剤投入口１７の下方に装着可能とすることで、仕分カップ１４１に収容された薬剤を１度に可変カセット８０１に投入できる。そのため、全ての仕分カップ１４１に薬剤が収容された場合であっても、次の薬剤の仕分けのために空の仕分カップ１４１を短時間で準備できるので、薬剤仕分処理の時間短縮を図ることが可能となる。また、分包処理の時間も短縮できる。
【０３４７】
また、薬剤仕分装置１Ａは、仕分カップ搬送機構１２５を備えることで、仕分カップ１４１に収容された薬剤を自動で分包機構６へと払出すことができる。そのため、分包機構６を用いて分包する場合に、ユーザが、仕分カップ１４１を薬剤投入口１７まで運んで、当該仕分カップ１４１に収容された薬剤を薬剤投入口１７に投入するといった手間を削減できる。
【０３４８】
なお、仕分カップ搬送機構１２５は、搬送・仕分ユニット１２が備えられるものとして説明したが、これに限らず、搬送・仕分ユニット１２とは別体に、薬剤仕分装置１に設けられていても構わない。
【０３４９】
［実施形態１４］
本実施形態では、図１を用いて、判別処理の精度向上のための構成について説明する。本実施形態の薬剤仕分装置１は、実施形態６と同様、実施形態２で述べた基本構成を備えていればよい。
【０３５０】
処方に採用している採用薬の中には、互いに異なる種類であっても、薬剤の色および大きさが類似する薬剤が存在する。例えば、採用薬の約７〜８割程度が、所定の大きさ（例：直径７ｍｍ）を有する白色の錠剤であるユーザも存在する。
【０３５１】
判別部６４は、第１収容部１１に収容された薬剤の種類を判別する場合、第１カメラ１３１が撮像した画像から抽出した薬剤の特徴を、薬剤データベースに登録された複数の薬剤データと照合する。判別部６４は、例えば、薬剤の特徴と薬剤データとの一致度をスコアとして算出し、当該スコアの高い順に薬剤データの順位付けを行う。そして、判別部６４は、設定された順位までの薬剤データ（例：１位〜１０位の薬剤データ）を、薬剤の種類を特定するために用いる薬剤データの候補（候補データ）として特定する。
【０３５２】
薬剤仕分装置１に収容される薬剤について、種類に応じて薬剤の大きさまたは色等が異なる場合には、１位の薬剤データのスコアが、２位以下の薬剤データのスコアに比べ突出することが多い。そのため、この場合、判別部６４は、上記のように設定された順位（例：１０位）までを候補データとして特定すれば、十分に薬剤の種類を特定できる。
【０３５３】
しかし、上記のように候補データを特定した場合、互いに種類は異なるが、大きさおよび色が類似している薬剤については、その種類を正確に特定できない可能性もある。つまり、大きさおよび色が類似する薬剤が多く存在する場合、設定された順位よりも下の順位（設定された順位が１０位である場合、１１位以降）においてもスコアが近似している可能性が高い。そのため、当該下の順位において、本来特定されるべき薬剤データが存在する可能性もある。
【０３５４】
そこで、このような薬剤の種類の特定を精度良く行うために、判別部６４は、画像から抽出した薬剤の特徴を登録された薬剤データと照合した結果、当該特徴との一致度が所定値以上である薬剤データを、候補データとして特定する。そして、判別部６４は、薬剤を再度撮像した画像から抽出した当該薬剤の特徴を、当該候補データと照合することにより、薬剤の種類を判別する。
【０３５５】
例えば、判別部６４は、薬剤データベースに含まれる各薬剤データについて、画像から抽出した薬剤の特徴との一致度（スコア）を算出し、スコアが１位の薬剤データを特定する。判別部６４は、予め設定された、１位の薬剤データのスコアとの差分値の範囲内にある薬剤データの全てを、候補データとして特定する。そして、判別部６４は、例えば、候補データとして特定した薬剤データにフラグを立てる。
【０３５６】
例えば、スコアが０〜１００（数値が大きいほど一致度が高い）で規定されているとする。例えば１位の薬剤データのスコアが９７．５であり、予め設定された差分値が０．３である場合、判別部６４は、スコアが９７．２（＝９７．５−０．３）以上の薬剤データの全てを、候補データとして特定する。
【０３５７】
その後、第１カメラ１３１は薬剤を再度撮像し、判別部６４は、撮像した画像に含まれる薬剤の特徴を、特定した候補データと照合することで、スコアを算出する。そして、スコアが予め設定された差分値の範囲内にある候補データを、更なる候補データとして特定する。
【０３５８】
判別部６４は、この処理を繰り返すことで、薬剤データを一意に特定する。なお、再度薬剤を撮像するか否かの判断（撮像回数）は、特定された候補データの数等によって決定されてよい。
【０３５９】
このように、スコアが所定値以上である薬剤データを候補データとして絞込むことで、抽出されるべき薬剤データを漏れなく特定できる。そのため、薬剤の種類の特定を精度良く行うことが可能となる。
【０３６０】
なお、同じ薬剤の撮像を繰り返し行った場合、撮像の都度、薬剤の位置が異なっている可能性がある。前回撮像時の位置と異なる位置で薬剤を撮像した場合、撮像条件が前回撮像時の撮像条件よりも良くなる可能性がある。そのため、同じ薬剤の撮像を繰り返し行うことで、精度良くスコアを算出できる可能性がある。
【０３６１】
また、判別部６４は、薬剤データを一意に特定するための、画像に含まれる薬剤の特徴と候補データとの照合の繰り返し処理を、以下のように実行しても構わない。
【０３６２】
例えば、判別部６４は、最初の照合においては、画像に含まれる薬剤の特徴を、特定した全ての候補データと照合することで、全ての候補データに対するスコアを算出する。判別部６４は、算出したスコアのうち、上位のスコアを有する候補データ（例：上位７５％以内の候補データ（つまり所定値以上のスコアを有する薬剤データ））を、２回目の照合対象となる候補データとして特定する。これにより、下位のスコアを有する候補データ（例：下位２５％以内の候補データ）を、２回目の照合対象となる候補データから除外できる。同様に、判別部６４は、２回目の照合において算出したスコアのうち、上位のスコアを有する候補データ（例：上位７５％以内の候補データ）を、３回目の照合対象となる候補データとして特定する。
【０３６３】
例えば、画像に含まれる薬剤の特徴が刻印情報である場合、判別部６４は、照合するたびに、画像に含まれる薬剤の刻印情報との一致度が所定値以上（例：７５％以上の一致度）である刻印情報を有する薬剤データを、次回の照合対象としての候補データとして特定する。
【０３６４】
このように、照合対象となる候補データを一定数削減しながら照合を行って薬剤データを一意に特定することで、薬剤データの特定を効率良く行うことが可能となる。なお、上記７５％はあくまで一例であって、実験等を経て、効率良く薬剤データを特定できる程度の値に設定されればよい。
【０３６５】
［実施形態１５］
本実施形態では、図１を用いて、分包処理の別例について説明する。本実施形態の薬剤仕分装置１は、実施形態２で述べた基本構成に加え、分包機構６を備えていればよい。
【０３６６】
分包機７００等によって処方データに基づいて薬剤が分包された後に、処方に変更が生じ、分包内容を急遽変更するといった事態が生じる場合がある。例えば、１種類の薬剤を取り除くという処方の変更が生じた場合、ユーザは、各薬包を破いて、各薬包から当該薬剤を取り除いた後、各薬包を接着テープ等で再度封止するといった作業を行うことも可能である。薬包数が少ない場合には、このようなユーザによる手作業での再分包も可能であるが、薬包数が多くなった場合には、当該手作業での再分包は現実的には困難となる。そのため、再分包対象の薬包数が多くなった場合には、実際には、全薬包を廃棄して、分包機７００等によって、修正後の処方データに基づく再分包が行われることもある。
【０３６７】
本実施形態では、薬剤仕分装置１は、処方データに基づき、分包機構６による分包処理を行っても構わない。例えば、処方データに基づく薬剤の分包処理後に処方の変更が生じた場合、ユーザは、各薬包に収容された薬剤を第１収容部１１に投入する。薬剤仕分装置１は、第１収容部１１に収容された薬剤を、種類毎に第２収容部１４の仕分カップ１４１に仕分ける。種類毎の仕分けが完了した後、薬剤仕分装置１は、第２収容部１４に仕分けた薬剤を、修正後の処方データ（上記変更が反映された処方データ）に基づき、分包機構６により分包する。
【０３６８】
このように、薬剤仕分装置１は、処方に変更が生じた場合に、その変更内容に応じた再分包を行うことができる。そのため、例えば１種類の薬剤を取り除くといった処方の変更が生じた場合に、各薬包から当該薬剤を取り除き、その後薬包を接着テープ等で封止するといった手作業を行う手間を省くことが可能となる。また、全薬包を廃棄することなく再分包を行うことも可能となる。
【０３６９】
なお、薬剤仕分装置１は、種類毎に第２収容部１４に仕分ける必要は必ずしもない。例えば、薬剤仕分装置１は、修正後の処方データに基づき、同一の薬包に再分包される薬剤を、同一の仕分カップ１４１に収容しても構わない。この場合も上記と同様、薬剤仕分装置１は、第２収容部１４に薬剤を仕分けた後、修正後の処方データに基づき、当該薬剤を分包機構６により分包する。
【０３７０】
ここで、例えば実施形態１３（図２５）に示す薬剤仕分装置１Ａでは、上述したように、仕分カップ１４１を薬剤投入口１７まで搬送できる。つまり、薬剤仕分装置１Ａでは、１つの仕分カップ１４１に収容された薬剤を一度に薬剤投入口１７に投入できる。そのため、同一の薬包に再分包される薬剤が同一の仕分カップ１４１に収容されている場合には、一薬包分の薬剤を一度に分包機構６に投入できるため、分包処理を更に効率良く行うことが可能となる。
【０３７１】
なお上記では、薬剤仕分装置１の分包機構６が、修正後の処方データに基づく分包処理に用いられる場合を例に挙げて説明したが、これに限らず、予製のための分包処理に用いられても構わない。つまり、分包機７００等によって予製データに基づき薬剤が各薬包（分包帯）に収容された後、予製データの内容に変更が生じた場合に、薬剤仕分装置１は、修正後の処方データに基づく分包処理と同様に、修正後の予製データに基づく分包処理を行っても構わない。なお、予製データとは、予製のために作成されるデータであって、各分包帯への薬剤の収容方法に関するデータである。
【０３７２】
また上記では、薬剤を取り除くという処方の変更が生じた場合を例に挙げて説明したが、薬剤を追加するという処方の変更が生じる場合も考えられる。この場合、ユーザは、追加対象となった薬剤を仕分カップ１４１に収容し、当該仕分カップ１４１を第２収容部１４に配置する。これにより、薬剤を追加するという処方の変更が生じた場合であっても、薬剤仕分装置１は、修正後の処方データに基づき、分包機構６により薬剤を再分包することが可能となる。
【０３７３】
［補足］
上述のように、第２収容部１４には種類毎に薬剤が収容される。第２収容部１４に種類毎に薬剤が収容されるという意味には、薬剤の種類を一意に（完全に）特定できた場合には、一意に特定された種類毎に、同一の位置（同一の仕分カップ１４１）に薬剤を収容することが含まれる。加えて、当該意味には、薬剤の種類を一意に特定できていないが、薬剤の色、形状等に基づきある程度特徴が類似する薬剤（推定薬剤）同士であると特定できた場合には、ある程度特徴が類似する薬剤毎に、同一の位置に薬剤を収容することも含む。
【０３７４】
［実施形態１６］
本実施形態では、薬剤仕分装置１の起動時の動作について説明する。本実施形態の薬剤仕分装置１は、少なくとも実施形態２で述べた基本構成を備える。以降の実施形態についても同様である。
【０３７５】
＜制御部＞
まず、図２６を用いて、制御部６０ｂについて説明する。図２６は、制御部６０ｂの一例を示すブロック図である。図２６に示すように、制御部６０ｂは、制御部６０ａの構成に加え、駆動制御部７１、対象物有無判定部７２、流量判定部７３、及び分包制御部７４を備えている。なお、本実施形態以降において、制御部は、制御部６０ａを基本構成とし、各実施形態の動作及び処理において必要となる上記部材の少なくとも何れかを備えていればよい。
【０３７６】
駆動制御部７１は、第２カメラ１２１及び吸着・シャッター機構１２２を含む筐体（以降、薬剤搬送部１２０と称する）の移動、及び、障害物検知機構２２の移動を制御する。具体的には、駆動制御部７１は、薬剤搬送部１２０の移動に連動するように、障害物検知機構２２を移動させる。
【０３７７】
対象物有無判定部７２は、台座１９に設置されるべき対象物が存在するか否かを判定する。判定対象となる対象物としては、例えば、仕分カップベース１４ａ（図２７参照）、待機トレイ１５（図２７参照）、回収トレイ１６（図２７参照）、及び吸着パッド１２２ｃ（図２３、図３１参照）が挙げられる。
【０３７８】
流量判定部７３は、吸着機構１２２ａ（図２３、図３１参照）における流量が所定値以下であるか否かを判定することで、吸着機構１２２ａにおいて破損等（吸引異常）が生じているか否かを判定する。
【０３７９】
分包制御部７４は、分包機構６の動作を制御する。また、分包制御部７４は、仕分カップ１４１に格納された薬剤を薬剤投入口１７（薬剤投入部）まで搬送する、又は、薬剤投入口１７に投入された薬剤を仕分カップ１４１に返送する薬剤搬送部１２０の動作を制御する。
【０３８０】
なお、本願明細書を通して、少なくとも薬剤仕分装置１の説明において用いられる「分包」には、「処方データに基づいて服用時期毎に分けて薬剤を包装する」という意味と、「処方データに関係なく、第２収容部１４に仕分けられた薬剤を単に包装する」という意味と、が包含されることに留意されたい。
【０３８１】
＜障害物検知機構＞
まず、図２６〜図２８を用いて、障害物検知機構２２について説明する。図２７の（ａ）は、薬剤仕分装置１の別例を示す斜視図であり、（ｂ）は、当該別例を示す概略的な平面図である。図２８の（ａ）及び（ｂ）は、上部空間ＵＳを説明するための図である。
【０３８２】
図２７の（ａ）及び（ｂ）に示すように、本実施形態の薬剤仕分装置１は、障害物検知機構２２及び反射ミラー２３を備えている。
【０３８３】
障害物検知機構２２は、薬剤仕分領域２に何等かの障害物が置かれていることを検知するものである。具体的には、障害物検知機構２２は、規定された状態で第２収容部１４に載置された（正しく載置された）仕分カップ１４１の上部空間ＵＳ（図２８参照）に存在する障害物（物体）を検知する物体検知部として機能する。図２７の（ａ）に示すように、障害物検知機構２２は、薬剤仕分装置１（台座１９）の一端に設けられる。
【０３８４】
障害物検知機構２２は、上部空間ＵＳに光を出射する光源（例：レーザ光源）と、光源から出射された光を受光するセンサとを備える。上部空間ＵＳに障害物が置かれた場合、センサは、光源が出射した光を受光できなくなることで、当該上部空間ＵＳに障害物が置かれたことを検知する。
【０３８５】
反射ミラー２３は、障害物検知機構２２と対向する位置（他端）に設けられ、障害物検知機構２２が出射した光を、障害物検知機構２２側へと反射する。障害物検知機構２２のセンサは、上部空間ＵＳに障害物が存在しない場合、障害物検知機構２２の光源から出射され、反射ミラー２３で反射した光を受光する。一方、上部空間ＵＳに障害物が存在する場合、センサは、光源から出射され、反射ミラー２３で反射した光を受光することができない。このとき、障害物検知機構２２は、上部空間ＵＳに存在する障害物を検知する。つまり、対象物有無判定部７２は、障害物検知機構２２が光を受光している場合には上部空間ＵＳに障害物が存在しないものと判定し、光を受光しなかった場合に障害物が存在すると判定する。
【０３８６】
また、障害物検知機構２２は、駆動制御部７１（又は、搬送制御部６１、仕分制御部６２、分包制御部７４）の制御を受けて水平方向に移動する。図２７の（ｂ）に示すように、本実施形態では、障害物検知機構２２は、ｙ軸方向（薬剤仕分装置１における薬剤の取出側と奥側とを結ぶ直線上）に移動する。従って、反射ミラー２３は、他端においてｙ軸方向に延伸するように設けられている。
【０３８７】
このように、障害物検知機構２２を所定方向に移動可能とすることで、障害物検知機構を複数設けたり、所定方向に延伸する１つの障害物検知機構を設けたりすることなく、第２収容部１４の全体において、上部空間ＵＳに存在する障害物を検知できる。つまり、障害物の検知のための機構を安価に準備できる。
【０３８８】
なお薬剤仕分装置１は、撮像ユニット１３を備えている。そのため、反射ミラー２３は、障害物検知機構２２と対向する、薬剤仕分装置１の筐体（壁面）の内側と、撮像ユニット１３とに設けられている。各反射ミラー２３の端部２３ａは、図２７の（ｂ）に示すように、湾曲形状を有している。このように端部２３ａを湾曲形状とすることで、端部２３ａが非湾曲形状の場合に生じ得る障害物の誤検出を回避できる。
【０３８９】
図２８の（ａ）に示すように、上部空間ＵＳは、例えば、薬剤搬送部１２０の底部（台座１９と対向する最下面）と、台座１９に正しく載置されている場合の仕分カップ１４１の最上面との間の空間である。
【０３９０】
仕分カップ１４１は、第２収容部１４に着脱可能に配置される。そのため、図２８の（ｂ）に示すように、仕分カップ１４１は、正しく載置されず台座１９に対して斜めに載置される場合もある。なお、図２８の（ａ）に示す状態が、仕分カップ１４１の全てが正しく載置されている状態である。つまり、仕分カップ１４１の最上面が略水平となるように載置された状態が、仕分カップ１４１が正しく載置された状態である。
【０３９１】
障害物検知機構２２は、仕分カップ１４１が正しく載置されず台座１９に対して斜めに載置されている場合に、台座１９に正しく載置されている場合の仕分カップ１４１の最上面（上面）よりも突出した仕分カップ１４１の一部を、障害物として検知する。このとき、障害物検知機構２２は出射した光を受光していないため、対象物有無判定部７２は、上部空間ＤＡに障害物が存在すると判定する。この場合、表示制御部６７は、当該障害物を除去する（例：仕分カップ１４１を正しく載置する）ことをユーザに報知する。また、駆動制御部７１（又は、搬送制御部６１、仕分制御部６２、分包制御部７４）は、移動状態にある薬剤搬送部１２０を停止させる。
【０３９２】
このように、障害物検知機構２２及び対象物有無判定部７２により、上部空間ＵＳに障害物が存在することにより、薬剤搬送部１２０の移動時にその先端が障害物と衝突し、薬剤搬送部１２０又は障害物（例：仕分カップ１４１）が破損することを防止できる。
【０３９３】
また、障害物検知機構２２は、例えば、薬剤が積み重なり、待機トレイ１５又は仕分カップ１４１の最上面から突出してしまった場合に、当該最上面から突出した薬剤を、障害物として検知する。つまり、障害物検知機構２２は、待機トレイ１５又は仕分カップ１４１に収容された薬剤のうち、その上面から飛び出した薬剤を検知する機構としても機能する。この場合、表示制御部６７は、待機トレイ１５又は仕分カップ１４１に薬剤が満載となっていることをユーザに報知する。これにより、待機トレイ１５又は仕分カップ１４１から薬剤がその外部に飛び出てしまうことを防止できる。
【０３９４】
なお、反射ミラー２３を設けなくても構わない。この場合、障害物検知機構２２は、自機構が出射した光を受光した場合（つまり、出射した光が障害物で反射した光を受光した場合）、上部空間ＵＳに存在する障害物を検知する。つまり、対象物有無判定部７２は、上部空間ＵＳに障害物が存在すると判定する。
【０３９５】
＜薬剤搬送部の位置決め動作＞
次に、図２６及び図２９を用いて、薬剤仕分装置１の起動時に行われる、薬剤搬送部１２０の位置決め動作について説明する。図２９の（ａ）〜（ｄ）は、薬剤搬送部１２０の位置決め動作を説明するための図である。
【０３９６】
本実施形態では、障害物検知機構２２は、２つの障害物検知部を有している。一方の障害物検知部は、光源２２ａ１及びセンサ２２ｂ１を備え、他方の障害物検知部は、光源２２ａ２及びセンサ２２ｂ２を備えている。図２９の（ａ）に示すように、２つの障害物検知部は、それぞれから出射された光Ｌａ１及びＬａ２が薬剤搬送部１２０に照射されないように、薬剤搬送部１２０の幅よりも大きい間隔（距離Ｄ１）を有するように配置されている。実際には、上部空間ＵＳに存在する部材は、吸着機構１２２ａである。そのため、上記距離Ｄ１は、少なくとも吸着機構１２２ａの幅よりも大きい間隔を有していればよい。
【０３９７】
また、駆動制御部７１は、薬剤搬送部１２０の移動に連動するように、障害物検知機構２２を移動させる。本実施形態では、障害物検知機構２２は、ｙ軸方向に移動可能となっている。そのため、障害物検知機構２２は、薬剤搬送部１２０のｙ軸方向の移動に連動するように移動する。これにより、障害物検知機構２２から出射された光Ｌａ１及びＬａ２が、薬剤搬送部１２０に照射されることを回避できる。
【０３９８】
薬剤仕分装置１は、その起動時に、薬剤搬送部１２０の、第２収容部１４（具体的には仕分カップベース１４ａ）に対する位置決め動作を行う。この位置決め動作により、制御部６０ｂ（特に、仕分制御部６２及び分包制御部７４）は、第２収容部１４に収容された複数の仕分カップ１４１の位置を正確に特定できる。
【０３９９】
位置決め動作を行うためには、仕分カップ１４１が載置される領域を構成する各辺が延伸する方向（ｘ軸方向及びｙ軸方向）に、薬剤搬送部１２０を移動させる必要がある。ここで、第２収容部１４における薬剤取出し側の一端（例えば、薬剤仕分装置１の前方から見て左端）を、位置決め動作を開始する初期位置とする。
【０４００】
本実施形態では、図２９の（ａ）に示すように、駆動制御部７１は、まず、薬剤搬送部１２０を初期位置に移動させた後、位置決め動作を開始する。このとき、駆動制御部７１は、障害物検知機構２２をオンにすることで、光源２２ａ１から光Ｌａ１を、光源２２ａ２から光Ｌａ２をそれぞれ出射させる。上部空間ＵＳに障害物がなければ、光Ｌａ１及びＬａ２は、反射ミラー２３で反射されて障害物検知機構２２のセンサで受光される。
【０４０１】
次に、図２９の（ａ）に示すように、駆動制御部７１は、薬剤搬送部１２０及び障害物検知機構２２を、例えば距離Ｄ１を超える程度、ｙ軸方向に移動させる。本実施形態では、この移動により、薬剤搬送部１２０は、ｙ軸方向において、２列目の仕分カップ１４１に対応する位置となる。つまり、薬剤搬送部１２０は、ｘ軸方向において、２列目の仕分カップ１４１の上を移動できる位置となる。ｙ軸方向への移動距離は、これに限らず、光源２２ａ２から出射された光Ｌａ２が１列目の仕分カップ１４１の飛び出しを検知できる程度（光Ｌａ２が１列目の仕分カップ１４１の上を通過する程度）の距離であればよい。なお、１列目の仕分カップ１４１は、図２９で網掛けされている仕分カップ１４１を指す。
【０４０２】
ここで、駆動制御部７１は、薬剤搬送部１２０を、初期位置から１列目の仕分カップ１４１の上を移動させた後、ｙ軸方向に移動させることも考えられる。しかしながら、薬剤搬送部１２０が初期位置にいる時点においては、図２９の（ａ）に示すように、光源２２ａ１から出射された光Ｌａ１も、光源２２ａ２から出射された光Ｌａ２も、１列目の仕分カップ１４１の上を通過していない。そのため、１列目の仕分カップ１４１のいずれかが飛び出していたとしても、光Ｌａ１及びＬａ２が、飛び出した仕分カップ１４１によって遮られることが無いため、障害物検知機構２２は、当該仕分カップ１４１を検知することができない。従って、薬剤搬送部１２０を、初期位置から１列目の仕分カップ１４１の上を移動させた場合、１列目の仕分カップ１４１のいずれかが飛び出していた場合には、薬剤搬送部１２０が、飛び出した仕分カップ１４１に衝突してしまう。
【０４０３】
図２９の（ａ）に示すように、薬剤搬送部１２０及び障害物検知機構２２を、初期位置から所定距離ｙ軸方向に移動させることにより、対象物有無判定部７２は、薬剤搬送部１２０を１列目の仕分カップ１４１の上を移動させずに、光源２２ａ２から出射された光Ｌａ２によって１列目の仕分カップ１４１の飛び出し有無を確認することができる。
【０４０４】
次に、図２９の（ｂ）に示すように、駆動制御部７１は、薬剤搬送部１２０を、仕分カップ１４１の上をｘ軸方向に沿って、第２収容部１４における他端（例えば、薬剤仕分装置１の前方から見て右端）まで移動させる。本実施形態では、薬剤搬送部１２０は、２列目の仕分カップ１４１の上をｘ軸方向に沿って、他端側に配置された仕分カップ１４１まで移動させる。２列目の仕分カップ１４１については、薬剤搬送部１２０及び障害物検知機構２２が初期位置からｙ軸方向に移動している間に、光源２２ａ１から出射された光Ｌａ１による飛び出し有無の確認が行われる。そのため、２列目の仕分カップ１４１のいずれかの飛び出しが検知された場合には、薬剤搬送部１２０の移動が停止されるため、薬剤搬送部１２０が飛び出した仕分カップ１４１に衝突することを回避できる。
【０４０５】
その後、図２９の（ｃ）及び（ｄ）に示すように、駆動制御部７１は、薬剤搬送部１２０及び障害物検知機構２２を、他端側に配置された仕分カップ１４１の上をｙ軸方向に沿って移動させることで、位置決め動作が終了する。
【０４０６】
なお、駆動制御部７１は、図２９の（ａ）に示すように薬剤搬送部１２０及び障害物検知機構２２がｙ軸方向に沿って移動している間に、１列目の仕分カップ１４１のいずれかの飛び出しが検知された場合も、薬剤搬送部１２０及び障害物検知機構２２を停止させる。また、図２９の（ｃ）に示すように薬剤搬送部１２０及び障害物検知機構２２がｙ軸方向に沿って移動している間に、３列目〜７列目の仕分カップ１４１のいずれかの飛び出しが検知された場合も、薬剤搬送部１２０及び障害物検知機構２２を停止させる。
【０４０７】
このように、位置決め動作において、薬剤搬送部１２０は、第２収容部１４の上の、薬剤搬送部１２０と連動して移動する障害物検知機構２２の光源２２ａ１又は２２ａ２から出射された光Ｌａ１又はＬａ２が通過した後の領域を移動する。これにより、薬剤仕分装置１は、薬剤搬送部１２０が移動する前に、薬剤搬送部１２０が移動予定としている領域における障害物の有無を判定できる。そのため、薬剤搬送部１２０の、飛び出した仕分カップ１４１への衝突を回避できる。
【０４０８】
なお、図２９に示す移動例はあくまで一例である。例えば、光Ｌａ２が１列目の仕分カップ１４１の上を通過するように初期位置が設定されている場合、薬剤搬送部１２０は、１列目の仕分カップ１４１の上をｘ軸方向に沿って移動した後、他端側に配置された仕分カップ１４１の上をｙ軸方向に沿って移動しても構わない。
【０４０９】
＜フィルタの目詰まり確認＞
薬剤仕分装置１は、その起動時に、吸着機構１２２ａが備えるフィルタ（不図示）の、粉塵等の異物による目詰まり確認を行う。当該フィルタは、吸着パッド１２２ｃから吸い上げられた粉塵等の異物を収集するためのものである。
【０４１０】
吸着機構１２２ａは、空気管１２２ｂ（図２３、図３１参照）に流れる空気の流量を検出する流量センサ（不図示）を備えている。この場合、搬送制御部６１（又は、仕分制御部６２、分包制御部７４）は、吸着パッド１２２ｃで薬剤を吸着したことを、流量センサが検出する流量の変化に基づき判定できる。
【０４１１】
流量判定部７３は、空気管１２２ｂ内の、薬剤を非吸着時の空気の流量が、第１所定値（所定の流量）以下であるか否かを判定する。流量判定部７３は、第１所定値以下であると判定した場合には、フィルタの目詰まりが発生していると判定する。この場合、表示制御部６７は、フィルタの目詰まりが発生しているため、フィルタの清掃又は取替えが必要であることをユーザに報知する。また、制御部６０ｂは、薬剤仕分装置１における起動時の動作を停止する。
【０４１２】
なお、第１所定値以下であると判定された場合、表示制御部６７は、吸着パッド１２２ｃに異常があるものとして、その旨をユーザに報知しても構わない。また、本処理は、薬剤仕分処理の開始前に行われても構わない。
【０４１３】
また、流量判定部７３が判定する所定値を、第１所定値及び第２所定値の２段階で設定しても構わない。第１所定値は、清掃を要する程度にフィルタの目詰まりが発生したと判定するための指標として設定される。第２所定値は、清掃を要する程度のフィルタの目詰まりではないが、近い将来に清掃を要する程度にフィルタの目詰まりが発生すると判定するための指標として設定される。従って、第１所定値よりも第２所定値の方が高く設定される。
【０４１４】
この場合、流量判定部７３は、空気管１２２ｂ内の、薬剤を非吸着時の空気の流量が、第２所定値以下であるか否かを判定する。表示制御部６７は、第２所定値以下であると判定した場合には、近い将来にフィルタの清掃が必要になりそうであることをユーザに報知する。制御部６０ｂは、薬剤仕分装置１における起動時の動作（又は薬剤仕分処理）を一旦停止するが、操作入力部６６が再スタートを示すユーザ入力を受付けた場合には、当該動作を再開する。
【０４１５】
＜仕分カップベースの有無確認＞
薬剤仕分装置１は、その起動時に、仕分カップベース１４ａが台座１９に設置されているか否かの確認を行う。なお、本処理は、薬剤仕分処理の開始前に行われても構わない。仕分カップベース１４ａは、図２７（ａ）及び（ｂ）に示すように、複数の仕分カップ１４１を整列した状態で収容する収容部である。
【０４１６】
図３０の（ａ）及び（ｂ）は、押込検知部１２６を用いた対象物検知処理を説明するための図である。薬剤搬送部１２０は、図３０の（ａ）及び（ｂ）に示すように、押込検知部１２６を備える。押込検知部１２６は、薬剤搬送部１２０から台座１９の方向へ吸着機構１２２ａを延伸させるときの延伸方向とは逆方向に、吸着機構１２２ａが押し込まれたことを検知するものである。本実施形態では、押込検知部１２６は略Ｃ型形状であり、その内側にそれぞれが対向するように、光源１２６ａ及びセンサ１２６ｂが設けられている。押込検知部１２６は、吸着機構１２２ａの上方に、かつ、吸着機構１２２ａがその内側を通過可能なように設けられている。
【０４１７】
押込検知部１２６は、図３０の（ａ）に示すように、吸着機構１２２ａの延伸動作に連動して移動する。図３０の（ｂ）に示すように、吸着パッド１２２ｃが物体（例：仕分カップベース１４ａ）に接触すると、薬剤搬送部１２０に設けられたばね（不図示）の力によって、吸着機構１２２ａは押し上げられる。その結果、センサ１２６ｂは光源１２６ａから出射された光を受光できなくなる。対象物有無判定部７２は、センサ１２６ｂが受光できなくなったときに、吸着機構１２２ａの先端部が対象物と接触したと判定する。つまり、対象物有無判定部７２は、センサ１２６ｂが受光できなくなったときに、存在すべき対象物と接触した、つまり対象物が存在すると判定する。
【０４１８】
仕分カップベース１４ａには、図２７の（ａ）及び（ｂ）に示すように、仕分カップ１４１が収容されない領域が存在する。この領域を用いて、仕分カップベース１４ａの有無判定が行われる。以降、この領域を有無判定領域１４ａａと称する。
【０４１９】
駆動制御部７１は、有無判定領域１４ａａにおいて、吸着機構１２２ａを下降させる。このときの下降距離は、仕分カップベース１４ａが設置されている場合には、有無判定領域１４ａａへの接触を押込検知部１２６が検知できる程度で、かつ、仕分カップベース１４ａが設置されていない場合には、台座１９に接触しない程度に設定されていればよい。
【０４２０】
吸着機構１２２ａを下降させた結果、吸着機構１２２ａが押し上げられ、センサ１２６ｂが受光できなくなった場合に、対象物有無判定部７２は、仕分カップベース１４ａが存在すると判定する。一方、上記下降距離分、吸着機構１２２ａを下降させても、吸着機構１２２ａが押し上げられず、センサ１２６ｂが受光し続けている場合には、対象物有無判定部７２は、仕分カップベース１４ａが存在しないと判定する。この場合、表示制御部６７は、仕分カップベース１４ａを台座１９に設置するようにユーザに報知する。
【０４２１】
＜吸引異常有無確認＞
薬剤仕分装置１は、その起動時に、吸着機構１２２ａが薬剤を吸着したときに、その吸着を正常に検知できるか否かの確認を行う。なお、本処理は、薬剤仕分処理の開始前に行われても構わない。
【０４２２】
流量判定部７３は、空気管１２２ｂ内の、薬剤を非吸着時の空気の流量が、第３所定値以下であるか否かを判定する。第３所定値は、例えば、予め実験等により特定された、薬剤を吸着したときの流量に設定されていればよい。
【０４２３】
駆動制御部７１は、例えば有無判定領域１４ａａにおいて、吸着機構１２２ａを下降させ、仕分カップベース１４ａに接触させる。この状態において、流量判定部７３は、第３所定値以下であると判定した場合には、薬剤を正常に吸着できる（つまり、制御部６０ｂが薬剤の吸着を正常に検知できる）と判定する。一方、流量判定部７３は、第３所定値以下にならないと判定した場合には、薬剤を正常に吸着できないと判定する。この場合、表示制御部６７は、吸着機構１２２ａが薬剤を正常に吸着できない状態であることをユーザに報知する。第３所定値以下にならない場合、空気管１２２ｂ又は吸着パッド１２２ｃの破損等の異常が発生していると考えられる。ユーザへの報知により、破損箇所の特定及び修理を行うことが可能となる。
【０４２４】
＜待機トレイの有無確認＞
薬剤仕分装置１は、その起動時に、待機トレイ１５が台座１９に設置されているか否かの確認を行う。なお、本処理は、薬剤仕分処理の開始前に行われても構わない。
【０４２５】
撮像制御部６３は、待機トレイ１５が設置される領域の上において、薬剤搬送部１２０が備える第２カメラ１２１により当該領域を撮像する。対象物有無判定部７２は、撮像制御部６３が撮像した画像を解析することにより、当該画像に待機トレイ１５が含まれているか否かを判定する。対象物有無判定部７２は、当該画像に待機トレイ１５が含まれている場合、待機トレイ１５が台座１９に設置されていると判定する。一方、対象物有無判定部７２は、当該画像に待機トレイ１５が含まれていない場合、待機トレイ１５が台座１９に設置されていないと判定する。この場合、表示制御部６７は、待機トレイ１５を設置するようにユーザに報知する。
【０４２６】
＜回収トレイの有無確認＞
薬剤仕分装置１は、その起動時に、回収トレイ１６が台座１９に設置されているか否かの確認を行う。なお、本処理は、薬剤仕分処理の開始前に行われても構わない。
【０４２７】
図２７の（ａ）及び（ｂ）に示すように、回収トレイ１６の４隅には、その内側に突出する突出部１６ａが設けられている。対象物有無判定部７２は、吸着機構１２２ａを当該４隅に設けられた突出部１６ａの何れかに接触させることで、回収トレイ１６の設置有無を判定する。
【０４２８】
本処理は、上述した仕分カップベース１４ａの有無確認と同様の手法で行われる。具体的には、駆動制御部７１は、回収トレイ１６が設置される領域の上において、吸着機構１２２ａを下降させる。このときの下降距離は、回収トレイ１６が設置されている場合には、突出部１６ａへの接触を押込検知部１２６が検知できる程度で、かつ、回収トレイ１６が設置されていない場合には、台座１９に接触しない程度に設定されていればよい。
【０４２９】
吸着機構１２２ａを下降させた結果、吸着機構１２２ａが押し上げられ、センサ１２６ｂが受光できなくなった場合に、対象物有無判定部７２は、回収トレイ１６が存在すると判定する。一方、上記下降距離分、吸着機構１２２ａを下降させても、吸着機構１２２ａが押し上げられず、センサ１２６ｂが受光し続けている場合には、対象物有無判定部７２は、回収トレイ１６が存在しないと判定する。この場合、表示制御部６７は、回収トレイ１６を設置するようにユーザに報知する。
【０４３０】
＜吸着パッドの有無確認＞
薬剤仕分装置１は、その起動時に、吸着パッド１２２ｃが吸着機構１２２ａに取り付けられているか否かの確認を行う。なお、本処理は、薬剤仕分処理の開始前に行われても構わない。図３１は、吸着パッド１２２ｃの有無判定について説明するための図である。
【０４３１】
吸着パッド１２２ｃの有無判定は、空気管１２２ｂ内の、薬剤を非吸着時の空気の流量が、例えば第３所定値以下であるか否かによって行われる。具体的には、駆動制御部７１は、例えば有無判定領域１４ａａにおいて、吸着機構１２２ａを下降させ、仕分カップベース１４ａに接触させる。この状態において、流量判定部７３は、第３所定値以下であると判定した場合には、吸着パッド１２２ｃが吸着機構１２２ａに取り付けられていると判定する。一方、流量判定部７３は、第３所定値以下にならないと判定した場合には、吸着パッド１２２ｃが吸着機構１２２ａに取り付けられていないと判定する。この場合、表示制御部６７は、吸着パッド１２２ｃを吸着機構１２２ａに取り付けるようにユーザに報知する。これにより、吸着パッド１２２ｃの取付け忘れを防止できる。
【０４３２】
ここで、薬剤搬送部１２０の、台座１９と対向する側の端部（吸着機構１２２ａの初期位置）から、仕分カップベース１４ａに正しく載置された仕分カップ１４１の底部までの距離は一定である。そのため、有無判定領域１４ａａにおいて本処理を行う場合、当該底部の位置を起点として吸着機構１２２ａの下降距離（吸着機構１２２ａの停止位置）を決定することにより、当該下降距離を精密に（例：ミリオーダで）決定できる。
【０４３３】
具体的には、図３１に示すように、上記底部の位置を規定する基準線ＢＬから、仕分カップベース１４ａの表面までの距離Ｄ１１は一定である。そのため、距離Ｄ１１から、吸着パッド１２２ｃの厚みを考慮した値（例：厚みの半分となる値）を減算した距離Ｄ１２も一定の値となる。そのため、基準線ＢＬから距離Ｄ１２分離れた位置を、吸着機構１２２ａの停止位置として決定すればよい。つまり、下降距離を、吸着機構１２２ａの初期位置から当該停止位置までの距離として決定すればよい。
【０４３４】
これにより、下降距離（停止位置）を、吸着パッド１２２ｃが取り付けられている場合に、吸着パッド１２２ｃが仕分カップベース１４ａの表面に接触し、かつ、吸着パッド１２２ｃが取り付けられていない場合に、吸着機構１２２ａの先端部が当該表面に接触しない程度の距離（位置）に設定することができる。
【０４３５】
つまり、吸着機構１２２ａを下降距離分下降させたときに、図３１に示すように、吸着パッド１２２ｃが取り付けられている場合には、吸着パッド１２２ｃの仕分カップベース１４ａの表面への接触により、流量は第３所定値以下となる。一方、吸着パッド１２２ｃが取り付けられていない場合には、吸着機構１２２ａの先端部と仕分カップベース１４ａの表面との間に隙間ＯＰが生じるため、流量は第３所定値以下にはならない。そのため、対象物有無判定部７２は、精度良く、吸着パッド１２２ｃの有無判定を行うことができる。
【０４３６】
＜薬剤載置台の汚れ及び残薬確認＞
薬剤仕分装置１は、その起動時に、薬剤載置台１３３ａの汚れ及び残薬の有無の確認を行う。なお、本処理は、薬剤仕分処理の開始前に行われても構わない。図３２は、照明器１３４及びバックライト１３５の配置位置の一例を示す斜視図である。
【０４３７】
撮像ユニット１３において、第１照射部１３４ａ（可視光照射部；バー照明）、第２照射部１３４ｂ（可視光照射部；リング照明）、及び紫外光照射部１３４ｃは、図３２に示すように配置されている。また、図３２に示すように、受入領域Ａｒ１には、受入領域Ａｒ１に位置した薬剤載置台１３３ａを、その下方から照射するバックライト１３５が設けられている。吸着機構１２２ａが、受入領域Ａｒ１に位置した薬剤載置台１３３ａに載置された薬剤を吸着するときに（つまり、当該薬剤載置台１３３ａにおいて吸着位置を決定するときに）、バックライト１３５は点灯する。これにより、精度よく吸着位置を決定できる。
【０４３８】
撮像制御部６３は、受入領域Ａｒ１に位置した薬剤載置台１３３ａを撮像する。撮像制御部６３は、撮像した画像を解析した結果、相対的に輝度が低い領域を検出した場合に、薬剤載置台１３３ａに汚れがあると判定する。この場合、表示制御部６７は、薬剤載置台１３３ａに汚れがあるため、当該薬剤載置台１３３ａを清掃するようにユーザに報知する。この相対的に輝度が低い領域を検出する手法としては、例えば、動的閾値処理等の公知の手法が用いられる。
【０４３９】
また、撮像制御部６３は、撮像した画像を解析することにより、薬剤載置台１３３ａに薬剤が存在するか否かについても判定する。撮像制御部６３は、例えば、予め特定されている薬剤と推定される大きさ及び形状との一致度が所定値以上である場合に、薬剤載置台１３３ａに薬剤が載置されていると判定する。この場合、駆動制御部７１は、搬送・仕分ユニット１２を制御することにより、薬剤載置台１３３ａに載置された薬剤を第１収容部１１へ搬送する。そのため、薬剤載置台１３３ａに薬剤が載置された状態のままで薬剤仕分処理を開始してしまうことを防止できる。また、第１収容部１１に収容することで、当該薬剤も仕分対象とすることができると共に、薬剤載置台１３３ａに薬剤が載置されている旨の報知を行う必要が無い。
【０４４０】
なお、一方の薬剤載置台１３３ａの汚れ及び残薬の有無の確認が行われた後、他方の薬剤載置台１３３ａの汚れ及び残薬の有無の確認が行われる。
【０４４１】
＜動作例＞
薬剤仕分装置１における起動時（又は薬剤仕分処理の開始前）の動作例について説明する。駆動制御部７１は、薬剤搬送部１２０を、位置決め動作を開始する初期位置に移動させた後、位置決め動作を行う。駆動制御部７１は、位置決め動作が完了すると、薬剤搬送部１２０を第１収容部１１に移動させる。
【０４４２】
駆動制御部７１は、第１収容部１１の上で、吸着機構１２２ａによる空気の掃出し処理を実行する。これにより、吸着パッド１２２ｃに薬剤が付着していた場合に、その付着した状態のままで薬剤仕分処理を開始してしまうことを防止できる。また、吸着パッド１２２ｃに付着した薬剤を第１収容部１１に収容することで、当該薬剤も仕分対象とすることができると共に、吸着パッド１２２ｃに薬剤が付着している旨の報知を行う必要が無い。
【０４４３】
次に、駆動制御部７１は、薬剤搬送部１２０を有無判定領域１４ａａに移動させる。この位置において、仕分カップベース１４ａの有無確認、吸着パッド１２２ｃの有無確認、吸引異常有無確認、及びフィルタの目詰まり確認の各処理が行われる。
【０４４４】
次に、駆動制御部７１は、薬剤搬送部１２０を待機トレイ１５に移動させる。これにより、待機トレイ１５の有無確認の処理が行われる。次に、駆動制御部７１は、薬剤搬送部１２０を回収トレイ１６に移動させる。これにより、回収トレイ１６の有無確認の処理が行われる。そして最後に、駆動制御部７１は、薬剤搬送部１２０を受入領域Ａｒ１に移動させる。これにより、薬剤載置台１３３ａの汚れ及び残薬の有無の確認処理が行われる。
【０４４５】
薬剤仕分装置１は、その起動時（又は薬剤仕分処理の開始前）に上述した処理を行うことで、薬剤仕分処理を安全かつ確実に行うことが可能となる。
【０４４６】
〔実施形態１７〕
本実施形態では、図３３を用いて、待機トレイ１５への薬剤の配置方法について説明する。図３３は、待機トレイ１５への薬剤の配置例を説明するための図である。図３３において、薬剤ＭＤ１〜ＭＤ５は、その順で待機トレイ１５に配置されていくものとする。
【０４４７】
待機トレイ１５の内部を撮像することにより、待機トレイ１５における薬剤の収容状況を確認することも可能である。しかしながら、実際には、撮像した画像の解析では、当該収容状況を把握しにくい。そのため、上述したように、障害物検知機構２２により、待機トレイ１５の上面から飛び出した薬剤の存在（薬剤が満載である状態）を検知している。
【０４４８】
一方で、待機トレイ１５への薬剤の配置方法により、待機トレイ１５の上面から薬剤を飛び出しにくくすることも可能である。図３３の（ａ）に示すように、薬剤ＭＤ１〜ＭＤ５の位置をずらして配置することで、待機トレイ１５において薬剤を積み上がりにくくすることができる。但し、この場合も薬剤同士が重なり合っている。そこで、図３３の（ｂ）に示すように、薬剤ＭＤ１〜ＭＤ５が少なくとも１つ前に配置された薬剤とは重ならないように配置することで、待機トレイ１５において薬剤をさらに積み上がりにくくすることができる。具体的には、載置された薬剤から所定距離（例：約２ｍｍ）離隔する位置に、次に薬剤が載置される。なお、待機トレイ１５における配置位置は、制御部６０ｂによって決定される。
【０４４９】
［実施形態１８］
本実施形態では、薬剤の形状に応じた吸着方法の切替え及び仕分方法について説明する。薬剤の形状又は大きさとしては、一般的な錠剤及びカプセルの形状（例：断面が略円形状、略楕円形状、略矩形状）又は大きさの他、例えば以下のような形状又は大きさのものも存在する。
（１）半錠形状（円弧が１つで角部が２つある形状）、
（２）一般的な錠剤及びカプセルの形状とは異なる形状（例：一般の薬剤に比べて深い割線を有する薬剤の形状）（以降、異形状と称する）、
（３）一般的な錠剤及びカプセルの大きさよりも小さい薬剤（以降、小薬剤と称する。小薬剤とは、画像のピクセルで所定数以下のもの。すなわち、画像における薬剤の像の領域に含まれる画素数が所定の画素数以下のもの。）。
【０４５０】
制御部６０ｂは、薬剤を吸着するとき、吸引させながら吸着機構１２２ａを下降させるという初期設定動作を行う。このように制御することで、薬剤によっては、薬剤に接触する前に当該薬剤を吸着することができるため、薬剤仕分処理を効率良く行うことが可能となる。しかしながら、上記（１）〜（３）のような形状又は大きさを有する薬剤に対して、吸引させながら吸着機構１２２ａを下降させると、吸引による空気の流れにより吸着前に薬剤が暴れてしまい、薬剤を吸着できないことがある。また、上記空気の流れにより薬剤が動いてしまい、適切な位置を吸着できないこともある。
【０４５１】
そのため、仕分制御部６２は、上記のような形状又は大きさを有する薬剤を仕分ける場合には、初期設定動作を、吸着機構１２２ａを下降させて、吸着パッド１２２ｃを薬剤に接触させた後（押し付けた後）、吸引を開始するという特殊設定動作に切り換える。なお、薬剤への接触は流量の変化により判定できる。
【０４５２】
異形状の薬剤については、当該薬剤の形状が異形状であることを示す情報が当該薬剤の薬剤データに紐付けて薬剤データベースに登録されている。判別部６４は、第１カメラ１３１が撮像した画像に基づき、薬剤の種類を判別したときに、薬剤データベースを参照することにより、当該薬剤が異形状の薬剤として指定されているか否かを判定する。異形状の薬剤であると判定された場合、仕分制御部６２は、吸着動作を初期設定動作から特殊設定動作に切り換える。
【０４５３】
また、判別部６４は、第１カメラ１３１が撮像した画像に基づき、配置領域Ａｒ２に載置された薬剤の形状及び大きさを特定する。その結果、判別部６４が、半錠形状を有する薬剤、又は小薬剤であると判定した場合、仕分制御部６２は、吸着動作を初期設定動作から特殊設定動作に切り換える。なお、画像における薬剤の像の領域に含まれる画素数が所定の画素数以下である場合に、小薬剤であると判定される。
【０４５４】
このように、上記（１）〜（３）のような特殊な形状又は大きさを有する薬剤については、吸着動作を特殊設定動作に切り換えることにより、薬剤が吸着できない、又は、不適切な位置で薬剤を吸着してしまうといった事態を回避できる。
【０４５５】
また、仕分制御部６２は、判別部６４により半錠形状の薬剤であると判定された場合には、半錠形状の薬剤を、同一の仕分カップ１４１に仕分けても構わない。
【０４５６】
［実施形態１９］
本実施形態では、薬剤載置台１３３ａに複数の薬剤が載置された場合の処理について説明する。
【０４５７】
判別部６４は、薬剤の種類を判別するときに、第１カメラ１３１が撮像した画像を解析する。この画像解析により、薬剤載置台１３３ａに薬剤が複数存在すると判定された場合、薬剤の種類判別処理を中断し、撮像制御部６３は、薬剤載置台１３３ａを配置領域Ａｒ２から受入領域Ａｒ１に移動させる。搬送制御部６１は、薬剤搬送部１２０を受入領域Ａｒ１の上に移動させた後、第２カメラ１２１が撮像した画像に基づき、薬剤載置台１３３ａに載置された複数の薬剤のうちの１つを取出し、第１収容部１１に搬送する。搬送制御部６１は、薬剤載置台１３３ａに載置された複数の薬剤の全てが第１収容部１１に搬送されるまで、当該処理を繰り返す。そして、搬送制御部６１は、薬剤載置台１３３ａに薬剤が存在しないと判定した場合に、第１収容部１１から再度薬剤を１つ取出して、薬剤載置台１３３ａに載置する。これにより、一旦中断された薬剤の種類判別処理が再開される。
【０４５８】
このように、薬剤仕分装置１は、薬剤載置台１３３ａに複数の薬剤が載置されていた場合には、当該薬剤を第１収容部１１に戻すことにより、確実に１つずつ、薬剤の種類判別処理を行うことができる。
【０４５９】
［実施形態２０］
本実施形態では、図３４を用いて、第２収容部１４に格納された薬剤を分包する分包機構６（分包部）の構成について説明する。図３４は、分包機構６の構成例を示す図である。図３４の（ａ）は、分包機構６の一部の構成例を概略的に示す図である。図３４の（ｂ）及び（ｃ）は、上部シャッター機構６ｄにおける開閉動作について説明するための図であり、（ｄ）及び（ｅ）は、下部シャッター機構６ｅにおける開閉動作について説明するための図である。
【０４６０】
図３４の（ａ）に示すように、分包機構６は、包装ホッパー６ａ、ヒーターローラー６ｂ、移動通路６ｃ、上部シャッター機構６ｄ、及び下部シャッター機構６ｅを備えている。ヒーターローラー６ｂ、上部シャッター機構６ｄ、及び下部シャッター機構６ｅの制御は、分包制御部７４によって行われる。
【０４６１】
包装ホッパー６ａは、移動通路６ｃを通過（落下）した薬剤を受入れ、ヒーターローラー６ｂにセットされた分包紙ＰＰに導くものである。具体的には、包装ホッパー６ａは、移動通路６ｃを通過した薬剤を、ヒーターローラー６ｂによって薬剤が分包される前に載置される分包前薬剤載置領域ＭＰＡｒに導く。図３４の（ａ）では、分包紙ＰＰは一点鎖線で示されている。包装ホッパー６ａは、分包前薬剤載置領域ＭＰＡｒにおいて、ヒーターローラー６ｂの底部付近に薬剤を載置するために、ヒーターローラー６ｂ側に向けて先細り形状となっている。
【０４６２】
ヒーターローラー６ｂは、１包分ずつ薬剤を分包紙ＰＰに分包するものである。具体的には、ヒーターローラー６ｂは、分包紙ＰＰを熱融着して分包紙ＰＰに薬剤を分包する。分包前薬剤載置領域ＭＰＡｒにおいて、分包紙ＰＰに１包分の薬剤を載置しておくことで、１包分の薬剤毎に分包紙ＰＰに分包できる。
【０４６３】
なお、分包機構６は、同一種類毎に仕分けられた仕分カップ１４１から取り出された薬剤を分包する場合、１つの仕分カップ１４１に格納された薬剤の全てを１包分として分包しても構わない。また、仕分カップ１４１に格納された薬剤の数量が多い場合には、所定数量ずつ複数包に分割して分包しても構わない。複数包に分割して分包する場合、分包機構６に設けられた印刷機構（不図示）により、分包紙ＰＰに薬剤名を印字しても構わない。この場合、分包制御部７４は、薬剤の取出し元である仕分カップ１４１のＲＦＩＤから薬剤データを読み出すことにより、当該薬剤を分包した分包紙ＰＰに、当該薬剤の薬剤名を印字させる。これにより、ユーザは、各包にどの種類の薬剤が分包されているか否かを確認することが可能となる。また、分包機構６は、複数包に分割して分包した場合、各包に１／２、２／２といった印字を行うことにより、ユーザが、分包された対象薬剤の全包数を確認できるようにしても構わない。また、分包機構６は、仕分処理を実行した日付もしくは日時、又は、仕分処理を実行した病棟等の情報を分包紙ＰＰに印字しても構わない。
【０４６４】
移動通路６ｃは、搬送・仕分ユニット１２によって仕分けられた薬剤（分包対象の薬剤）が投入される薬剤投入口１７と、包装ホッパー６ａとの間に設けられ、薬剤投入口１７から投入された薬剤を包装ホッパー６ａに導くものである。換言すれば、移動通路６ｃは、薬剤投入口１７と分包前薬剤載置領域ＭＰＡｒとを接続し、薬剤投入口１７に投入された薬剤を分包前薬剤載置領域ＭＰＡｒに導くものである。
【０４６５】
上部シャッター機構６ｄは、薬剤投入口１７に接続されており、かつ、薬剤投入口１７に投入された分包対象ではない薬剤の、分包機構６への落下を防止する薬剤落下防止部として機能する。図３４の（ｂ）に示すように、上部シャッター機構６ｄは、上部シャッター６ｄａ及び上部シャッター駆動部６ｄｂを備えている。
【０４６６】
上部シャッター６ｄａは、薬剤投入口１７の底部として機能する、開閉可能なシャッターである。上部シャッター駆動部６ｄｂは、上部シャッター６ｄａを駆動することで、上部シャッター６ｄａの開閉動作を制御する。図３４の（ｂ）は上部シャッター６ｄａが開いている状態、（ｃ）は上部シャッター６ｄａが閉じている状態を示している。
【０４６７】
上部シャッター６ｄａは、通常は閉じた状態であり、分包対象の薬剤が薬剤投入口１７に投入されたときに開く。具体的には、分包制御部７４は、搬送・仕分ユニット１２を制御することにより、分包対象の薬剤を該当する仕分カップ１４１から取出し、薬剤投入口１７まで搬送する。分包制御部７４は、薬剤投入口１７に薬剤を投入した後、上部シャッター機構６ｄを制御することにより、閉じている上部シャッター６ｄａを開く。これにより、薬剤投入口１７に投入された薬剤は、移動通路６ｃを介して包装ホッパー６ａへと導かれる。分包制御部７４は、所定時間（投入された薬剤が移動通路６ｃへと落下するのに十分な時間）経過後、開いている上部シャッター６ｄａを閉じる。
【０４６８】
このように、上部シャッター機構６ｄを設けることにより、薬剤仕分装置１の動作中に、薬剤投入口１７に誤って落下した薬剤（分包対象ではない薬剤）が、分包機構６により分包されてしまうことを回避できる。
【０４６９】
また、第２カメラ１２１（薬剤撮像部）は、分包制御部７４の制御を受けて、上部シャッター６ｄａが開く前に、薬剤投入口１７に投入された薬剤を撮像する。分包制御部７４は、第２カメラ１２１が撮像した画像を、分包のエビデンスとして記憶部８０に記憶しておく。これにより、ユーザは、分包機構６により分包される直前に撮像した薬剤の画像を用いて、薬剤が正しく分包されているか否かを確認できる。
【０４７０】
下部シャッター機構６ｅは、分包機構６で作成される１包分に含まれる薬剤の全てが、薬剤投入口１７から投入されるまで、薬剤投入口１７から投入された薬剤を一時的に保持する薬剤保持部として機能する。換言すれば、下部シャッター機構６ｅは、１包分に含まれる薬剤の全てが薬剤投入口１７から投入されるまで、分包前薬剤載置領域ＭＰＡｒに導入されないようにするものである。そのため、下部シャッター機構６ｅ（具体的には、後述の下部シャッター６ｅａ）は、薬剤投入口１７と分包前薬剤載置領域ＭＰＡｒとの間に設けられていればよい。本実施形態では、下部シャッター機構６ｅは、包装ホッパー６ａと移動通路６ｃとの間に設けられているが、これに限らず、例えば包装ホッパー６ａ又は移動通路６ｃの内部に設けられても構わない。
【０４７１】
また、図３４の（ｅ）に示すように、下部シャッター機構６ｅは、開閉可能な下部シャッター６ｅａ（シャッター）を備えている。また、下部シャッター機構６ｅは、下部シャッター駆動部（不図示）を備えている。下部シャッター駆動部は、下部シャッター６ｅａを駆動することで、下部シャッター６ｅａの開閉動作を制御する。図３４の（ｄ）は下部シャッター６ｅａが開いている状態、（ｅ）は下部シャッター６ｅａが閉じている状態を示している。
【０４７２】
下部シャッター６ｅａは、通常は閉じた状態であり、１包分の薬剤が下部シャッター６ｅａ上に保持されたときに開く。具体的には、分包制御部７４は、１包分に含まれる複数の薬剤のうち最後の薬剤が薬剤投入口１７に投入され、上部シャッター６ｄａを開いてから所定時間経過後、下部シャッター６ｅａを開く。これにより、１包分の薬剤が纏めて包装ホッパー６ａ（つまり、分包前薬剤載置領域ＭＰＡｒ）へと導かれる。但し、１包分に含まれる薬剤が１個の場合には、上記最後の薬剤は当該薬剤となる。
【０４７３】
ここで、記憶部８０には、薬剤の種類（又は、薬剤の大きさ、形状等）毎に、１包に収容できる最大数を示す情報が記憶されている。具体的には、薬剤の種類毎に、標準袋長（例：８０ｍｍ）を有する１包分に収容できる最大収容数を示す情報が記憶されている。分包制御部７４は、仕分カップ１４１のＲＦＩＤから、当該仕分カップ１４１に格納された薬剤の個数を読み出し、当該個数と最大収容数とを比較することにより、１包の袋長、及び１包に分包する数量を決定する。
【０４７４】
例えば、分包制御部７４は、上記個数が最大収容数よりも少ないと判定した場合には、仕分カップ１４１に格納された薬剤を全て薬剤投入口１７に投入すると共に、仕分カップ１４１に格納された薬剤を分包する１包分の袋長を短くする。例えば、標準袋長８０ｍｍのときの最大収容数が８錠と定められた薬剤の場合に、１包に分包される薬剤が７錠であれば、袋長を７０ｍｍに変更する。なお、袋長は段階的に変更可能であってよく、この場合、例えば７０ｍｍ，７６ｍｍ，８０ｍｍ（標準袋長），９０ｍｍ及び１１０ｍｍの間で変更可能である。
【０４７５】
また、分包制御部７４は、上記個数が最大収容数と同数であると判定した場合には、仕分カップ１４１に格納された薬剤を全て薬剤投入口１７に投入すると共に、仕分カップ１４１に格納された薬剤を分包する１包分の袋長を標準袋長のままとする。
【０４７６】
また、分包制御部７４は、上記個数が最大収容数よりも多いと判定した場合には、１包分の袋長を標準袋長よりも大きい袋長（例：１１０ｍｍ）に設定し、薬剤の種類に基づき、当該袋長の１包分に分包できる数量分の薬剤を算出する。そして、算出した数量分の薬剤を、仕分カップ１４１から薬剤投入口１７へと投入しても構わない。なお、ユーザの希望によりできるだけ多くの薬剤を１包に分包したい場合（そのような設定となっている場合）にも同様の処理を行っても構わない。
【０４７７】
このように、分包制御部７４は、１包に分包する数量を決定するため、当該数量に基づき、１包分のどの薬剤を薬剤投入口１７に投入しているかを特定できる。なお、分包制御部７４は、処方データに基づき、１包分のどの薬剤を薬剤投入口１７に投入しているかを特定しても構わない。
【０４７８】
また、分包制御部７４は、１包分の薬剤を分包前薬剤載置領域ＭＰＡｒに載置できたタイミングで、１包分の分包紙ＰＰの送り動作を実行し、当該送り動作が完了した後に、ヒーターローラー６ｂにより当該１包分の分包紙ＰＰが熱融着される。これにより、１包分の薬剤毎に分包紙ＰＰに分包できる。
【０４７９】
上記所定時間は、上部シャッター６ｄａを開いて薬剤が移動通路６ｃを介して下部シャッター６ｅａまで到達するのに十分な時間に設定されればよい。但し、分包制御部７４は、分包紙ＰＰの送り動作が停止している間に下部シャッター６ｅａを開く。
【０４８０】
また、分包制御部７４は、所定時間（下部シャッター６ｅａ上に載置された薬剤が包装ホッパー６ａへと落下するのに十分な時間）経過後、開いている下部シャッター６ｅａを閉じる。
【０４８１】
このように、下部シャッター機構６ｅを設けることにより、分包前薬剤載置領域ＭＰＡｒへの１包分の薬剤の載置タイミングと、分包紙ＰＰの送り動作のタイミングとを合わせることができる。そのため、薬剤仕分装置１は、ヒーターローラー６ｂによって１包分の薬剤毎に分包紙ＰＰに分包できる。
【０４８２】
また、下部シャッター機構６ｅにより一時的に薬剤を保持することにより、１包分の薬剤を一度に分包前薬剤載置領域ＭＰＡｒに落下させることができる。そのため、薬剤を１個ずつ落下させることにより、薬剤が分包前薬剤載置領域ＭＰＡｒの手前で熱融着前の分包紙ＰＰの間に挟まってしまい、分包前薬剤載置領域ＭＰＡｒまで落下できないという現象が生じることを回避できる。
【０４８３】
上記現象が生じた場合、熱融着前の２つの分包紙ＰＰの位置ずれが生じてしまうことがある。この状態でヒーターローラー６ｂにより分包紙ＰＰを熱融着すると、包装不良となるため、薬剤の分包をやり直す必要がある。下部シャッター機構６ｅを設けることにより、上記現象を回避できるので、包装不良が生じることを回避できる。従って、薬剤仕分装置１は、薬剤の分包を効率良く行うことができる。
【０４８４】
なお、他の実施形態においては、分包機構６は、本実施形態では説明した構成と異なる構成であっても構わない。上述したように、例えば、包装ホッパー６ａは、薬剤投入口１７から投入された薬剤を一時的に保持するものであっても構わない。また、移動通路６ｃは、包装ホッパー６ａで保持された薬剤を分包前薬剤載置領域ＭＰＡｒに移動するものであっても構わない。
【０４８５】
［実施形態２１］
本実施形態では、分包処理の前処理について説明する。図３４に示す上部シャッター６ｄａ及び下部シャッター６ｅａ上に、前回の分包処理時に用いられた薬剤がそのまま残っている等、分包対象ではない薬剤が載置されたままとなっている場合も考えられる。このような薬剤が分包されることを回避するために、分包制御部７４は、分包処理の開始時に、上部シャッター６ｄａ及び下部シャッター６ｅａを開く。上部シャッター６ｄａ及び下部シャッター６ｅａ上に分包対象でない薬剤が残っていた場合、この動作により、当該薬剤を、分包前薬剤載置領域ＭＰＡｒに落下させることができる。そして、分包制御部７４は、分包前薬剤載置領域ＭＰＡｒに載置された薬剤を分包紙ＰＰで分包することにより、第２収容部１４に仕分けられた薬剤を分包する前に、薬剤仕分装置１の外部へと払出すことができる。
【０４８６】
一般に、分包装置は、装置の制約上、分包処理の開始時に、分包紙ＰＰを数包分、薬剤を分包しない状態で空送りする必要がある。分包機構６では、上部シャッター６ｄａ及び下部シャッター６ｅａ上に残された薬剤を、この空送りされる分包紙ＰＰ（空包）に分包できる。そのため、分包機構６では、装置の制約上発生する空砲を、当該薬剤の回収包として有効利用できる。
【０４８７】
また、印刷機構によって分包紙ＰＰに「回収包」という文字を印字することにより、他の包と区別できるようにしても構わない。また、分包機構６に、ペンによる自動線引き装置（不図示）を設け、回収包とわかるマーキングとして色付きの線を該当包に引いても構わない。
【０４８８】
［実施形態２２］
本実施形態では、図２６及び図３５を用いて、分包処理時に、薬剤投入口１７から薬剤を１個ずつ落下させるための処理について説明する。図３５は、当該処理例を説明するためのフローチャートである。
【０４８９】
＜薬剤仕分装置の構成＞
図２６に示すように、分包制御部７４は、個数判定部７４１、薬剤移動決定部７４２及び分包薬剤搬送制御部７４３を備える。
【０４９０】
個数判定部７４１は、第２カメラ１２１（投入撮像部）が撮像した、薬剤投入口１７の内部の画像に基づき、薬剤投入口１７に投入された薬剤の個数を判定する。具体的には、個数判定部７４１は、第２カメラ１２１が撮像した画像に薬剤が複数含まれていると判定した場合、薬剤投入口１７に投入された薬剤を取出した状態で第２カメラ１２１が再度撮像した画像に薬剤が含まれていない場合に、薬剤投入口１７に投入された薬剤が１つであると判定する。
【０４９１】
薬剤移動決定部７４２は、個数判定部７４１が、薬剤投入口１７に投入された薬剤が１つであると判定した場合に、薬剤投入口１７から分包機構６への薬剤の移動を決定する。薬剤移動決定部７４２は、当該移動を決定した場合、上部シャッター駆動部６ｄｂを駆動して上部シャッター６ｄａを開く。これにより、薬剤投入口１７に投入された薬剤が１個である場合のみ、薬剤を分包機構６へ移動させることができる。つまり、薬剤投入口１７から薬剤を１個ずつ落下させることができる。
【０４９２】
分包薬剤搬送制御部７４３は、搬送・仕分ユニット１２を制御することにより、第２収容部１４に格納された薬剤を薬剤投入口１７へと搬送する。また、分包薬剤搬送制御部７４３は、第２カメラ１２１が撮像した画像に薬剤が複数含まれていると判定した場合、薬剤投入口１７に投入された薬剤を取出した状態で第２カメラ１２１が再度撮像した画像に薬剤が含まれている場合には、薬剤投入口１７に投入された薬剤を第２収容部１４へと返送する。
【０４９３】
この場合、分包薬剤搬送制御部７４３は、薬剤投入口１７に投入された複数の薬剤のうちの１つを、当該薬剤を取出した仕分カップ１４１へと返送する。具体的には、分包薬剤搬送制御部７４３は、薬剤投入口１７を再度撮像するために薬剤投入口１７から取出した薬剤を、当該薬剤を取出した仕分カップ１４１へと返送する。分包薬剤搬送制御部７４３は、薬剤投入口１７に投入された薬剤が１個となるまで、薬剤の返送動作を繰り返す。これにより、薬剤投入口１７に複数の薬剤が投入された場合であっても、薬剤投入口１７から分包機構６へ薬剤を落下させる前に、薬剤投入口１７に存在する薬剤の個数を１個にすることができる。
【０４９４】
＜薬剤仕分装置の処理＞
図３５に示すように、分包薬剤搬送制御部７４３は、分包対象の薬剤を薬剤投入口１７へ投入する（Ｓ３１）。分包制御部７４は、第２カメラ１２１を制御することにより、薬剤投入後の薬剤投入口１７の内部を撮像する（Ｓ３２）。個数判定部７４１は、第２カメラ１２１が撮像した画像を解析することにより、当該画像に複数の薬剤が含まれているか否かを判定する（Ｓ３３）。
【０４９５】
個数判定部７４１が、上記画像に複数の薬剤が含まれていないと判定した場合（Ｓ３３でＮＯ）、薬剤移動決定部７４２は、薬剤投入口１７から分包機構６への薬剤の移動を決定する。つまりこの場合、薬剤移動決定部７４２は、上部シャッター機構６ｄを制御して上部シャッター６ｄａを開く（Ｓ３６）。
【０４９６】
一方、個数判定部７４１が、上記画像に複数の薬剤が含まれていると判定した場合（Ｓ３３でＹＥＳ）、薬剤移動決定部７４２は、上部シャッター６ｄａを閉じたままとする。この場合、分包制御部７４は、薬剤投入口１７に投入された薬剤を取出した後（Ｓ３４）、この状態において、第２カメラ１２１を制御することにより、薬剤投入口１７の内部を再度撮像させる。そして、個数判定部７４１は、第２カメラ１２１が再度撮像した画像を解析することにより、当該画像に薬剤が含まれているか否かを判定する（Ｓ３５）。
【０４９７】
個数判定部７４１が、上記画像に薬剤が含まれていないと判定した場合（Ｓ３５でＹＥＳ）、薬剤移動決定部７４２は、薬剤投入口１７から分包機構６への薬剤の移動を決定する。つまり、薬剤移動決定部７４２は、薬剤投入口１７に投入された薬剤が１個であるものとして、上部シャッター機構６ｄを制御して上部シャッター６ｄａを開く（Ｓ３６）。
【０４９８】
一方、個数判定部７４１が、上記画像に薬剤が含まれていると判定した場合（Ｓ３５でＮＯ）、薬剤移動決定部７４２は、薬剤投入口１７に投入された薬剤が複数存在するものとして、上部シャッター６ｄａを閉じたままとする。この場合、分包薬剤搬送制御部７４３は、Ｓ３４で取出した薬剤を、当該薬剤を取出した仕分カップ１４１へと返却する（Ｓ３７）。その後、Ｓ３２の処理に戻る。
【０４９９】
Ｓ３４では、搬送・仕分ユニット１２は、薬剤投入口１７に投入された薬剤を１個取出している。そのため、薬剤投入口１７に投入された薬剤が複数であれば、Ｓ３４で薬剤を取出したとしても、薬剤投入口１７には、少なくとも１個の薬剤が残っていることになる。一方、薬剤投入口１７に投入された薬剤が１個であれば、Ｓ３４で薬剤を取出した後の薬剤投入口１７には、薬剤は存在しないことになる。
【０５００】
Ｓ３３で、撮像された画像に薬剤が複数含まれていると判定された場合であっても、Ｓ３５で、撮像された画像（薬剤を１個取出した後の画像）においては、薬剤が含まれていないと判定される場合もある。薬剤の種類（刻印等の形状）によっては、１個の薬剤の撮像結果であるにもかかわらず、画像処理の結果としては２個の薬剤と判定してしまう場合があるためである。この場合については、薬剤投入口１７に投入された薬剤は１個であるため、薬剤移動決定部７４２は上部シャッター６ｄａを開いて、当該薬剤を分包機構６へと導く。
【０５０１】
一方、Ｓ３５で、撮像された画像（薬剤を１個取出した後の画像）において薬剤が含まれている場合には、薬剤投入口１７に、複数の薬剤が投入されていることが確実となる。そのため、取出した薬剤を仕分カップ１４１に返却することにより、薬剤投入口１７に投入された薬剤を減らすことができる。そして、３個以上の薬剤が薬剤投入口１７に投入された場合であっても、上述した処理を繰り返すことにより、薬剤投入口１７内の薬剤の個数を１個とした状態で分包機構６へ導くことができる。
【０５０２】
このように、薬剤仕分装置１は、薬剤投入口１７から同時に複数の薬剤を分包機構６へ払出すことを回避できる。また、画像処理の精度上、実際に薬剤投入口１７に投入された薬剤が１個であるにもかかわらず、画像処理において２個の薬剤が存在すると誤判定した場合であっても、最終的に１個と判定し、当該１個の薬剤を分包機構６へ払出すことができる。つまり、誤判定した場合、薬剤投入口１７から薬剤を仕分カップ１４１に返却してしまったり、薬剤投入口１７に複数の薬剤が存在する旨の報知をユーザに行ったりすることが無い。
【０５０３】
［実施形態２３］
本実施形態では、図２６及び図３６を用いて、仕分カップ１４１の残薬確認処理について説明する。図３６は、残薬確認画像Ｉｍ１０の一例を示す図である。
【０５０４】
図２６に示すように、仕分制御部６２は、格納判定部６２１及び情報記憶制御部６２２を備える。
【０５０５】
格納判定部６２１は、第２カメラ１２１（容器撮像部）が撮像した、仕分カップ１４１の内部の画像に基づき、仕分カップ１４１に薬剤が格納されているか否かを判定する。格納判定部６２１が解析対象とする画像は、搬送・仕分ユニット１２が薬剤を仕分ける前の未使用の仕分カップ１４１の内部を、第２カメラ１２１が撮像したものである。つまり、格納判定部６２１は、未使用の仕分カップ１４１が薬剤の仕分位置として決定された場合に、当該仕分カップ１４１に薬剤が格納されているか否かを判定する。
【０５０６】
情報記憶制御部６２２は、格納判定部６２１により仕分カップ１４１に薬剤が格納されていると判定された場合、当該仕分カップ１４１に薬剤が格納されていることを示す格納情報を、当該仕分カップ１４１を識別するための容器識別情報に紐付けて記憶する。具体的には、情報記憶制御部６２２は、格納判定部６２１により薬剤が格納されていると判定された仕分カップ１４１に設けられたＲＦＩＤタグに、格納情報を記憶する。これにより、格納情報と容器識別情報とが紐付けられた状態でＲＦＩＤタグに記憶される。但し、記憶部８０に、格納情報と容器識別情報とが紐付けられた状態で記憶されても構わない。
【０５０７】
このように、薬剤仕分装置１は、未使用の仕分カップ１４１に薬剤が格納されている場合に、格納情報と容器識別情報とを紐付けて記憶することで、当該仕分カップ１４１が未使用の状態ではないことを特定できる。そのため、薬剤仕分装置１は、当該仕分カップ１４１に薬剤を仕分けることを回避できる。また、薬剤仕分装置１は、第２収容部１４において、当該仕分カップ１４１の載置位置を変更したとしても、当該仕分カップ１４１の載置位置を特定できる。
【０５０８】
また、仕分制御部６２は、格納判定部６２１により仕分カップ１４１に薬剤が格納されていると判定された場合、当該仕分カップ１４１への薬剤仕分処理を中断する。そして、仕分制御部６２は、搬送・仕分ユニット１２が吸着している薬剤を、第１収容部１１へと搬送する。なおこの場合、仕分制御部６２は、別の未使用の仕分カップ１４１を仕分位置として決定し、当該仕分カップ１４１に当該薬剤を仕分けても構わない。
【０５０９】
また、図２６に示すように、分包制御部７４は、格納判定部７４４及び情報記憶制御部７４５を備える。格納判定部７４４及び情報記憶制御部７４５は、格納判定部６２１及び情報記憶制御部６２２とそれぞれ同様の機能を有する。但し、格納判定部７４４が解析対象とする画像は、搬送・仕分ユニット１２が、仕分カップ１４１に格納された薬剤の全てを、分包機構６へと払出した後の仕分カップ１４１の内部を、第２カメラ１２１が撮像したものである。
【０５１０】
また、表示制御部６７は、図３６に示すような残薬確認画像Ｉｍ１０を表示する。残薬確認画像Ｉｍ１０は、第２収容部１４への薬剤の仕分状況と共に、仕分制御部６２によって仕分けられた薬剤が格納されているか否かという格納状況を表示する。
【０５１１】
図３６に示すように、本実施形態では、残薬確認画像Ｉｍ１０は、各仕分カップ１４１の画像を表示する共に、各仕分カップ１４１の画像の枠線を色分け表示することで、上記格納状況を表示する。例えば、表示制御部６７は、（１）未使用の仕分カップ１４１の画像の枠線を青色とし、（２）仕分制御部６２によって仕分けられた薬剤が格納されている仕分カップ１４１の画像の枠線を緑色とする。また、表示制御部６７は、（３）未使用の仕分カップ１４１に薬剤が格納されている場合には、当該仕分カップ１４１の画像の枠線を赤色とする（つまり、当該仕分カップ１４１に対して「残薬あり」の表示を行う）。なお、図３６では、上記（１）の場合の枠線を点線、上記（２）の場合の枠線を二重線、上記（３）の場合の枠線を太線で表現している。
【０５１２】
仕分制御部６２によって仕分けられた薬剤が格納されている仕分カップ１４１においては、ＲＦＩＤタグに、当該薬剤の薬剤データが記憶されている。従って、表示制御部６７は、ＲＦＩＤタグに薬剤データが記憶されている仕分カップ１４１を、仕分制御部６２によって仕分けられた薬剤が格納されている仕分カップ１４１であると特定できる。
【０５１３】
また、薬剤が格納されている未使用の仕分カップ１４１においては、ＲＦＩＤタグに、格納情報が記憶されている。従って、表示制御部６７は、ＲＦＩＤタグに格納情報が記憶されている仕分カップ１４１を、薬剤が格納されている未使用の仕分カップ１４１であると特定できる。
【０５１４】
また、表示制御部６７は、ＲＦＩＤタグに、薬剤データ及び格納情報が記憶されていない仕分カップ１４１を、薬剤が格納されていない（薬剤を仕分けることが可能な）未使用の仕分カップ１４１であると特定できる。
【０５１５】
このように、表示制御部６７（報知制御部）は、格納判定部６２１により未使用の仕分カップ１４１に薬剤が格納されていると判定された場合、その旨を報知する。これにより、ユーザは、薬剤が格納された未使用の仕分カップ１４１を確認することが可能となる。
【０５１６】
なお、薬剤が格納された未使用の仕分カップ１４１については、ユーザがクリア操作を行うまで、薬剤が仕分けられることは無い（薬剤の仕分位置として決定されることは無い）。つまり、仕分制御部６２は、ユーザが当該仕分カップ１４１を取出したことを検知し、かつ、操作入力部６６が、当該仕分カップ１４１の目視確認を完了した旨のユーザ入力を受付けて初めて、当該仕分カップ１４１を薬剤の仕分対象として認識する。
【０５１７】
また、残薬確認のユーザ入力を受付けた場合、制御部６０ｂは、第２カメラ１２１に、各仕分カップ１４１の内部を撮像させる。この場合、制御部６０ｂは、各仕分カップ１４１の画像に薬剤が含まれているか否かと、各仕分カップ１４１のＲＦＩＤタグに、薬剤データが記憶されているか否かとに基づき、各仕分カップ１４１の残薬確認を行っても構わない。
【０５１８】
この場合、例えば、表示制御部６７は、画像に薬剤が含まれており、かつ、ＲＦＩＤタグに薬剤データが記憶されている場合に、画像の枠線を緑色表示とする。同様に、表示制御部６７は、画像に薬剤が含まれておらず、かつ、ＲＦＩＤタグに薬剤データが記憶されていない場合に、画像の枠線を青色表示とする。また、表示制御部６７は、画像に薬剤が含まれており、かつ、ＲＦＩＤタグに薬剤データが記憶されていない場合に、画像の枠線を赤色表示とする。
【０５１９】
また、表示制御部６７は、残薬確認画像として、第２収容部１４への薬剤の仕分状況と共に、分包制御部７４による仕分カップ１４１からの薬剤の取出状況を表示する。例えば、表示制御部６７は、分包制御部７４によって全ての薬剤が取り出された後の仕分カップ１４１に薬剤が格納されている場合には、当該仕分カップ１４１の画像の枠線を、他の仕分カップ１４１と異なる色（例：赤色）とする。つまり、表示制御部６７は、当該仕分カップ１４１に対して「残薬あり」の表示を行う。表示制御部６７は、ＲＦＩＤタグに格納情報が記憶されている仕分カップ１４１を、「残薬あり」の仕分カップ１４１として特定できる。
【０５２０】
［実施形態２４］
本実施形態では、ユーザによる薬剤載置台１３３ａの清掃を補助する機能について説明する。
【０５２１】
薬剤載置台１３３ａの状態を確認する旨のユーザ入力を受付けた場合、駆動制御部７１は、受入領域Ａｒ１の上に薬剤搬送部１２０を移動させる。その後、撮像制御部６３は、バックライト１３５を点灯させると共に、第２カメラ１２１により、一方の薬剤載置台１３３ａを撮像する。撮像制御部６３は、一方の薬剤載置台１３３ａの撮像が完了すると、他方の薬剤載置台１３３ａを受入領域Ａｒ１に移動させた後、当該薬剤載置台１３３ａを撮像する。表示制御部６７は、２つの薬剤載置台１３３ａの画像を表示する。これにより、ユーザは、薬剤載置台１３３ａの状態（汚れ具合）を確認できる。
【０５２２】
また、ユーザは、薬剤載置台１３３ａを清掃する場合、２つの薬剤載置台１３３ａから清掃対象とする薬剤載置台１３３ａを選択する。清掃対象とする薬剤載置台１３３ａを選択する旨のユーザ入力を受付けた場合、制御部６０ｂは、当該薬剤載置台１３３ａを受入領域Ａｒ１に位置させる。その後、制御部６０ｂは、開閉シャッターのロックを解除する。これにより、ユーザは、清掃対象として選択した薬剤載置台１３３ａを容易に取出し、かつ清掃できる。
【０５２３】
ユーザが、清掃対象とする薬剤載置台１３３ａを受入領域Ａｒ１に移動させるために、薬剤載置台１３３ａを手動で旋回させることも可能である。しかしながら、この場合、薬剤載置台１３３ａを掴む位置、又は旋回中の薬剤載置台１３３ａの傾斜によっては、薬剤載置台１３３ａを破損させてしまう可能性がある。上述のように、清掃対象とする薬剤載置台１３３ａの受入領域Ａｒ１への移動を自動で行う（制御部６０ｂの制御により行う）ことにより、薬剤載置台１３３ａの破損を回避できる。
【０５２４】
［実施形態２５］
本実施形態では、図２６及び図３７を用いて、類似する薬剤に対する処理について説明する。図３７の（ａ）は、類似薬剤表示画像Ｉｍ１１の一例を示す図であり、（ｂ）は、類似薬剤選択画像Ｉｍ１２の一例を示す図である。
【０５２５】
判別部６４は、第１カメラ１３１が撮像した画像に基づき、薬剤の種類を判別する。このとき、判別部６４は、画像に含まれる薬剤が、薬剤データベースに登録されている薬剤の画像と類似していると判定した場合には、判別対象の薬剤と、薬剤データベースに登録されている薬剤とを類似薬剤として特定する。類似の判断は、薬剤の種類の判別のために画像から抽出した薬剤の特徴が、薬剤データベースに登録されている薬剤の特徴と類似するか否かによって行われる。類似の判定基準は、実験等により予め設定されていればよい。
【０５２６】
判別部６４は、薬剤の種類を判別するときに、画像から抽出した薬剤の特徴を、薬剤データベースに登録された全ての薬剤の特徴（後述の類似薬剤リストに登録された薬剤の特徴を含む）と照合する。その結果、判別部６４が薬剤データベースに登録されていない薬剤（推定薬剤）であると判別した場合には、薬剤データベースに登録された薬剤の中に、推定薬剤の特徴と類似する特徴を有する薬剤が存在するか否かを判定する。
【０５２７】
判別部６４は、特徴が類似する薬剤が存在すると判定した場合、種類の判別対象となった推定薬剤の特徴と、薬剤データベースに登録された、類似する特徴を有する薬剤とを、類似薬剤であると特定する。そして、判別部６４は、推定薬剤の薬剤データを薬剤データベースに登録すると共に、類似薬剤として特定された２つの薬剤の薬剤データを類似薬剤として紐付け、これらの薬剤を類似薬剤リストに登録する。類似薬剤リストは、薬剤データベースに登録された薬剤のうち、どの薬剤同士が類似しているのかを示すリストである。
【０５２８】
また、判別部６４は、操作入力部６６が、類似薬剤として特定された薬剤のうちのいずれかの薬剤の薬剤データを、類似薬剤の薬剤データとして採用する旨のユーザ入力を受付けた場合、採用（指定）された薬剤データを類似薬剤の薬剤データとして特定する。この場合、判別部６４は、薬剤の種類を判別するときに、類似薬剤については、指定された薬剤データのみが、種類の判別対象となる薬剤の薬剤データとの照合対象となる。換言すれば、類似薬剤の薬剤データの指定がない場合には、類似薬剤として特定された各薬剤の薬剤データの全てが、種類の判別対象となる薬剤の薬剤データとの照合対象となる。
【０５２９】
また、判別部６４は、操作入力部６６が、類似薬剤として特定された薬剤のうちのいずれかの薬剤の薬剤データを削除する旨のユーザ入力を受付けた場合、当該薬剤データを薬剤データベースから削除する。その結果、薬剤データベースにおいて、類似する薬剤が存在しなくなった薬剤については、類似薬剤リストから除外される。
【０５３０】
また、仕分制御部６２は、類似薬剤リストに登録がある薬剤については、同一の仕分カップ１４１に格納する。表示制御部６７は、第２収容部１４への薬剤の仕分状況を表示する画像において、類似薬剤が格納される仕分カップ１４１に、類似薬剤が格納されていることを示す情報を表示する。例えば、表示制御部６７は、当該画像において、当該仕分カップ１４１に対して「類似薬剤」の表示を行う。但し、類似薬剤の薬剤データとして１つの薬剤データが指定された場合、表示制御部６７は、「類似薬剤」の表示に代えて、当該薬剤データが示す薬剤名を表示する。
【０５３１】
以上のように、薬剤データベースに登録された薬剤と類似する推定薬剤については、当該薬剤と同一の仕分カップ１４１に格納することにより、当該薬剤と共に推定薬剤の目視鑑査をユーザに行わせることができる。
【０５３２】
また、同一種類の薬剤であっても、販売元（又は製造元）の変更、又は販売年月日（新旧）等によって、異なる特徴を有すると判別される場合がある。例えば、販売元が変更となった場合、画像から取得される刻印情報は同一であってもＹＪコードが異なる。そのため、このような薬剤について販売元の変更後のＹＪコードが薬剤データベースに登録されていない場合には、販売元の変更前のＹＪコードを有する薬剤と同一の仕分カップ１４１に格納されない可能性がある。薬剤データベースに登録された薬剤と類似する推定薬剤については、当該薬剤と同一の仕分カップ１４１に格納することにより、実質同一種類の薬剤を別々の仕分カップ１４１に格納することを回避できる。また、このような薬剤については目視鑑査を促すことで、より安全に仕分けることができる。
【０５３３】
＜具体例＞
例えば、記憶部８０に記憶されている薬剤データベースに、「１０」、「８」及び「ＸＹＺ」という刻印（特徴）を有する３種類の薬剤の薬剤データが登録されているとする。また、種類の判別対象となる薬剤の薬剤データは、「Ｂ」又は「１３」という刻印（特徴）を有するものとする。また、判別部６４は、画像を解析した結果として、刻印同士が類似しているか否かについて判定するものであり、かつ、刻印「８」及び「Ｂ」、又は刻印「Ｂ」及び「１３」が類似すると判定するものとする。なお、刻印「１０」、「８」、「ＸＹＺ」、「Ｂ」及び「１３」を有する薬剤をそれぞれ、「１０」薬剤、「８」薬剤、「ＸＹＺ」薬剤、「Ｂ」薬剤、及び「１３」薬剤と称する。
【０５３４】
判別部６４は、「Ｂ」薬剤の種類を判別するとき、刻印「Ｂ」を、薬剤データベースに登録されている薬剤の刻印「１０」、「８」及び「ＸＹＺ」のそれぞれと照合し、その結果、刻印「Ｂ」が刻印「８」と類似すると判定する。判別部６４は、「Ｂ」薬剤の薬剤データを薬剤データベースに登録すると共に、「８」薬剤及び「Ｂ」薬剤を類似薬剤リストに登録する。
【０５３５】
また、仕分制御部６２は、「８」薬剤及び「Ｂ」薬剤については、同一の仕分カップ１４１に格納する。表示制御部６７は、仕分状況を表示する画像において、当該仕分カップ１４１に「類似薬剤」の表示を行う。
【０５３６】
その後、判別部６４は、「１３」薬剤の種類を判別するとき、刻印「１３」を、薬剤データベースに登録されている薬剤の刻印「１０」、「８」、「ＸＹＺ」及び「Ｂ」のそれぞれと照合し、その結果、刻印「１３」が刻印「Ｂ」と類似すると判定する。判別部６４は、「１３」薬剤の薬剤データを薬剤データベースに登録すると共に、「Ｂ」薬剤及び「１３」薬剤を類似薬剤リストに登録する。
【０５３７】
この場合、類似薬剤リストには、（１）「８」薬剤及び「Ｂ」薬剤と、（２）「Ｂ」薬剤及び「１３」薬剤との２つが登録されており、かつ当該（１）及び（２）において「Ｂ」薬剤は共通である。そのため、仕分制御部６２は、「８」薬剤、「Ｂ」薬剤及び「１３」薬剤については、同一の仕分カップ１４１に格納する。なお、薬剤データベースから「Ｂ」薬剤の薬剤データが削除された場合、「８」薬剤と「１３」薬剤とは類似であると判定されていないため、上記（１）及び（２）共に類似薬剤リストから削除される。
【０５３８】
＜表示例＞
次に、図３７を用いて、類似薬剤表示画像Ｉｍ１１及び類似薬剤選択画像Ｉｍ１２について説明する。
【０５３９】
類似薬剤表示画像Ｉｍ１１は、類似薬剤リストに登録された薬剤に関するデータを表示するものである。図３７の（ａ）の例では、類似薬剤表示画像Ｉｍ１１には、類似薬剤として登録された薬剤毎に、ＹＪコード、薬剤名、及び、第１カメラ１３１が撮像した画像が表示される。
【０５４０】
類似薬剤選択画像Ｉｍ１２は、類似薬剤リストに登録された類似薬剤のうち、いずれの薬剤の薬剤データを、類似薬剤の薬剤データとして採用するか否かを選択するための画像である。図３７の（ｂ）の例では、類似薬剤選択画像Ｉｍ１２には、類似薬剤表示画像Ｉｍ１１で選択された類似薬剤を構成する薬剤の画像、薬剤名及び刻印情報が表示されると共に、採用ボタンＢｏ１１、Ｂｏ１２、及び解除ボタンＢｏ２が表示される。
【０５４１】
採用ボタンＢｏ１１及びＢｏ１２は、類似薬剤を構成する薬剤毎に表示され、類似薬剤の薬剤データとして採用する薬剤の薬剤データを決定するための操作ボタンである。例えば、ユーザが「類似薬品１を採用」と表示された採用ボタンＢｏ１１に触れることで、「類似薬品１」の薬剤データが、類似薬剤の薬剤データとして採用される。また、解除ボタンＢｏ２は、上記の採用を解除するものである。
【０５４２】
［実施形態２６］
本実施形態では、薬剤データベースへの登録承認処理について説明する。薬剤データベースには、ユーザによる目視鑑査を行い、ユーザによる承認を経て、薬剤データが登録される。具体的には、薬剤仕分装置１は、薬剤データベースに仮登録された薬剤データの初回使用時に、ユーザに目視鑑査を促す。ユーザは、仮登録された薬剤データの目視鑑査後に、当該薬剤データを薬剤データベースに本登録することを承認する旨のユーザ入力を行う。薬剤仕分装置１は、当該ユーザ入力を受付けた場合に、当該薬剤データの薬剤データベースへの本登録を行う。
【０５４３】
薬剤データベースへの薬剤データの登録を、目視鑑査を行う権限があるユーザ以外の第三者（例：薬剤仕分装置１の販売元又は製造元）が行う場合がある。そのため、ユーザの承認を経て薬剤データベースへの薬剤データの登録（本登録）とすることで、薬剤仕分装置１の安全性を向上させることができる。
【０５４４】
例えば、第三者は、薬剤仕分装置１の納品先（例：病院）で使用している薬剤の種類を聞き出し、薬剤データベースを作成するが、第三者が情報を有していない薬剤については、薬剤データベースに登録することができない。そのため、第三者は、これらの未登録の薬剤については、納品先から当該薬剤に関するデータ及び画像を提供してもらい、未登録の薬剤についても薬剤データベースに登録を行う。このような場合にも、未登録の薬剤データについては、初回使用時に、ユーザによる承認を経て、薬剤データベースに本登録される。
【０５４５】
〔実施形態２７〕
本実施形態では、返却元を選択した場合の仕分処理について説明する。図３８の（ａ）は、返却元選択前の仕分画像Ｉｍ１５の一例を示す図であり、（ｂ）は、返却元登録画像Ｉｍ１６（施設マスタ編集画面）の一例を示す図である。図３９の（ａ）は、返却元選択画像Ｉｍ１７の一例を示す図であり、（ｂ）は、返却元選択後の仕分画像Ｉｍ１５の一例を示す図である。図４０の（ａ）は、分包紙への印字例を示す図であり、（ｂ）は、ジャーナルへの印字例を示す図である。
【０５４６】
なお、図３８の（ａ）に示す仕分画像Ｉｍ１５に表示された「返却元」とは、薬剤仕分装置１に投入される前に薬剤が保管されていた場所であり、例えば病棟、診療科、施設（例：医療機関）である。本実施形態では、返却元が、例えば調剤薬局がチェーン展開している場合の各店舗を指す場合について説明する。
【０５４７】
例えば調剤薬局がチェーン展開している場合、１つの店舗に薬剤仕分装置１を導入し、自店舗及び他店舗において返品された薬剤を当該薬剤仕分装置１で一括して仕分けて分包する場合、仕分後の薬剤を、元の店舗に返却する必要がある。各店舗で扱う薬剤は互いに異なる可能性があるため、仕分後の薬剤を元の店舗に間違いなく返却する必要がある。従来、仕分後の薬剤を店舗毎に準備した籠等に収容することで、仕分後の薬剤が、対象店舗の籠以外の籠に収容されることを防止していた。
【０５４８】
しかしながら、人の手による管理であるため、仕分後の薬剤が、不注意により、対象店舗の籠以外の籠に収容されてしまう可能性があった。また、対象店舗の籠以外の籠に収容されてしまったときに機械的に確認する方法もなかった。
【０５４９】
そこで、本実施形態の薬剤仕分装置１は、返却元として登録された各店舗のいずれかがユーザ入力に基づき選択されると、選択された返却元を示す情報を記憶しておく。
【０５５０】
具体的には、薬剤仕分装置１は、返却元として、店舗名と、店舗名を示すＩＤ（施設コード）とを入力することで、各店舗を登録する。薬剤仕分装置１は、図３８の（ａ）に示すように、仕分画像Ｉｍ１５の「メニュー」ボタンＢｏ３に対するユーザ入力を受付けると、各メニューを表示する。薬剤仕分装置１は、「施設マスタ」に対するユーザ入力を受付けると、図３８の（ｂ）に示す返却元登録画像Ｉｍ１６を表示する。薬剤仕分装置１は、返却元登録画像Ｉｍ１６において、店舗名と施設コードとを取得する。
【０５５１】
その後、薬剤仕分装置１は、薬剤仕分開始時に、仕分画像Ｉｍ１５の「返却元選択」ボタンＢｏ４に対するユーザ入力を受付けることで、図３９の（ａ）に示す返却元選択画像Ｉｍ１７を表示する。薬剤仕分装置１は、返却元選択画像Ｉｍ１７に表示された複数の店舗（登録された店舗）から返却元の店舗が選択されると、選択された店舗を示す情報を記憶すると共に、図３９の（ｂ）に示す仕分画像Ｉｍ１５に示すように、選択された店舗名（本例ではＢ店舗）を表示する。その後、ユーザ入力に基づき、仕分処理が開始される。
【０５５２】
そして、薬剤仕分装置１は、分包機構６による分包時に、記憶した上記情報に基づき、分包紙又はジャーナルに、返却元である店舗を示す情報を、分包した薬剤を示す情報と共に印字する。これらの情報は、例えば文字と、各店舗に設置された情報読取機で読取可能な形態（例：バーコードリーダで読取可能なバーコード）として印字される。図４０の（ａ）及び（ｂ）の例では、薬剤の種類を示すＧＳ１コードＣｏ１、及び、店舗名を示す店舗バーコードＣｏ２が印字されている。
【０５５３】
これにより、返却元の店舗において、目視確認と、情報読取機による機械的な確認を経て、当該店舗による薬剤の充填が可能となる。そのため、複数の店舗の１つに薬剤仕分装置１を導入し、自店舗及び他店舗において返品された薬剤を当該薬剤仕分装置１で一括して仕分けて分包する場合であっても、元の店舗に間違いなく返却することができる。
【０５５４】
［ソフトウェアによる実現例］
薬剤仕分装置１及び１Ａの制御ブロック（特に、制御部６０ａ及び６０ｂ）は、集積回路（ＩＣチップ）等に形成された論理回路（ハードウェア）によって実現してもよいし、ソフトウェアによって実現してもよい。
【０５５５】
後者の場合、薬剤仕分装置１及び１Ａは、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０５５６】
なお、データ管理装置５００の制御ブロック（特に、制御部５０２）、および、分包機７００の制御ブロック（特に、制御部７０６）についても同様である。
【０５５７】
［付記事項］
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０５５８】
１、１Ａ  薬剤仕分装置
６        分包機構（分包部）
６ｄ      上部シャッター機構（薬剤落下防止部）
６ｄａ    上部シャッター（シャッター）
６ｅ      下部シャッター機構（薬剤保持部）
６ｅａ    下部シャッター（シャッター）
１１      第１収容部
１２      搬送・仕分ユニット（仕分部）
１４      第２収容部
１５      待機トレイ（仮収容部）
１７      薬剤投入口（薬剤投入部）
２２      障害物検知機構（物体検知部）
２２ａ１、２２ａ２  光源
２２ｂ１、２２ｂ２  センサ
３２      表示部
６２      仕分制御部
６４      判別部（判定部）
６４ａ    特徴抽出部（識別情報抽出部）
６７      表示制御部（報知制御部）
７０      登録部
８０      記憶部
１２１    第２カメラ（第２撮像部、薬剤撮像部、投入撮像部、容器撮像部）
１２２    吸着・シャッター機構（取出機構）
１３１    第１カメラ（撮像部）
１３３ａ  薬剤載置台
１３３ｂ  旋回機構（揺動機構）
１４１    仕分カップ（仕分容器）
６２１、７４４  格納判定部
６２２、７４５  情報記憶制御部
７４１    個数判定部
７４２    薬剤移動決定部
７４３    分包薬剤搬送制御部
Ａｒ１１  確定エリア（第１領域）
Ａｒ１２  仮判定エリア（第２領域）
ＭＰＡｒ  分包前薬剤載置領域
ＵＳ      上部空間
【図１】
2020096819.tif 000003
【図２】
2020096819.tif 000004
【図３】
2020096819.tif 000005
【図４】
2020096819.tif 000006
【図５】
2020096819.tif 000007
【図６】
2020096819.tif 000008
【図７】
2020096819.tif 000009
【図８】
2020096819.tif 000010
【図９】
2020096819.tif 000011
【図１０】
2020096819.tif 000012
【図１１】
2020096819.tif 000013
【図１２】
2020096819.tif 000014
【図１３】
2020096819.tif 000015
【図１４】
2020096819.tif 000016
【図１５】
2020096819.tif 000017
【図１６】
2020096819.tif 000018
【図１７】
2020096819.tif 000019
【図１８】
2020096819.tif 000020
【図１９】
2020096819.tif 000021
【図２０】
2020096819.tif 000022
【図２１】
2020096819.tif 000023
【図２２】
2020096819.tif 000024
【図２３】
2020096819.tif 000025
【図２４】
2020096819.tif 000026
【図２５】
2020096819.tif 000027
【図２６】
2020096819.tif 000028
【図２７】
2020096819.tif 000029
【図２８】
2020096819.tif 000030
【図２９】
2020096819.tif 000031
【図３０】
2020096819.tif 000032
【図３１】
2020096819.tif 000033
【図３２】
2020096819.tif 000034
【図３３】
2020096819.tif 000035
【図３４】
2020096819.tif 000036
【図３５】
2020096819.tif 000037
【図３６】
2020096819.tif 000038
【図３７】
2020096819.tif 000039
【図３８】
2020096819.tif 000040
【図３９】
2020096819.tif 000041
【図４０】
2020096819.tif 000042
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
複数種類の薬剤を収容する第１収容部と、
前記薬剤を種類毎に仕分けられた状態で収容する第２収容部と、
前記第１収容部から取出した薬剤を撮像する撮像部と、
前記撮像部によって撮像された画像から抽出した薬剤の特徴を、登録された複数種類の薬剤に関する薬剤データのうち、所定期間内に分包機によって分包された薬剤に関する薬剤データと照合することで、前記薬剤の種類を判別する判別部と、
前記判別部による判別結果に基づき、前記薬剤を種類毎に前記第２収容部へ格納する仕分部と、を備える、薬剤仕分装置。
【請求項２】
複数種類の薬剤を収容する第１収容部と、
前記薬剤を種類毎に仕分けられた状態で収容する第２収容部と、
前記第１収容部から取出した薬剤を撮像する撮像部と、
前記撮像部によって撮像された画像に基づき、前記薬剤の種類を判別する判別部と、
前記判別部による判別結果に基づき、前記薬剤を種類毎に前記第２収容部へ格納する仕分部と、
前記第２収容部に格納された薬剤を分包する分包部と、
前記分包部に接続されており、かつ、前記仕分部によって仕分けられた薬剤が投入される薬剤投入部と、
前記薬剤投入部の内部を撮像する投入撮像部と、
前記投入撮像部が撮像した画像に基づき、前記薬剤投入部に投入された薬剤の個数を判定する個数判定部と、
前記個数判定部が、前記薬剤投入部に投入された薬剤が１つであると判定した場合に、前記薬剤投入部から前記分包部への前記薬剤の移動を決定する薬剤移動決定部と、を備え、
前記個数判定部は、前記画像に薬剤が複数含まれていると判定した際、前記薬剤投入部に投入された前記薬剤を取出した状態で前記投入撮像部が再度撮像した画像に薬剤が含まれていない場合に、前記薬剤投入部に投入された薬剤が１つであると判定する、薬剤仕分装置。
【請求項３】
前記第２収容部に格納された薬剤を前記薬剤投入部へと搬送する分包薬剤搬送制御部を備え、
前記分包薬剤搬送制御部は、前記投入撮像部が再度撮像した画像に薬剤が含まれている場合には、前記薬剤投入部に投入された薬剤を前記第２収容部へと返送する、請求項２に記載の薬剤仕分装置。